(57)【要約】      （修正有）【課題】非対称干渉による自己ジャミングを低減する隣接するチャネルを介したマルチキャリア送信のための方法および装置を提供する。【解決手段】ＣＣＡが帯域幅全体にわたって一緒に実行されるように、大帯域幅負荷ベース機器（ＬＢＥ）キャリアを提供する。また、２つのキャリアを同期させるために追加のＣＣＡタイムスロットを使用する。さらに拡張ＣＣＡは、プライマリ無認可キャリアに対して実行される。単純ＣＣＡは、セカンダリ無認可キャリアに対して実行される。また、ＬＢＥはいくつかのキャリア上で展開され得、フレームベース機器（ＦＢＥ）は他のキャリア上で展開されてもよい。【選択図】図８
2018164309.tif 000002
【特許請求の範囲】
【請求項１】
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対して拡張クリアチャネルアセスメント（ＥＣＣＡ）カウントダウンを実行することと、
前記第１の無認可キャリアに対する前記ＥＣＣＡカウントダウンの１つまたは複数の潜在的最終タイムスロットから潜在的最終タイムスロットを決定することと、
前記潜在的最終タイムスロット中に前記第２の無認可キャリアに対してクリアチャネルアセスメント（ＣＣＡ）検査を実行することと
を備える、ワイヤレス通信の方法。
【請求項２】
前記第１の無認可キャリアの前記ＥＣＣＡカウントダウンが前記潜在的最終タイムスロット中にクリアであるかどうかを決定することと、
前記第２の無認可キャリアの前記ＣＣＡ検査が前記潜在的最終タイムスロット中にクリアであるかどうかを決定することと
をさらに備える、請求項１に記載の方法。
【請求項３】
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信することをさらに備える、
請求項２に記載の方法。
【請求項４】
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入ることと、
前記第１の無認可キャリアの前記ＥＣＣＡカウントダウンがクリアになるとき、前記第１の無認可キャリアまたは前記第２の無認可キャリアのうちの１つまたは複数上で前記データを送信することと
をさらに備える、請求項２に記載の方法。
【請求項５】
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであることと、
前記第２の無認可キャリアの前記ＣＣＡ検査がクリアになるとき、前記第１の無認可キャリアまたは前記第２の無認可キャリアのうちの１つまたは複数上で前記データを送信することと
をさらに備える、請求項２に記載の方法。
【請求項６】
前記少なくとも２つの無認可キャリアのうちの１つまたは複数を介して前記データを送信するためのスケジュールを、基地局から受信することをさらに備える、
請求項１に記載の方法。
【請求項７】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、請求項６に記載の方法。
【請求項８】
前記スケジュールは、物理アップリンク制御チャネル（ＰＵＣＣＨ）を送信することに関係する情報を備える、
請求項６に記載の方法。
【請求項９】
少なくとも２つの無認可キャリアを介した送信のためのデータを受信すること、前記少なくとも２つの無認可キャリアは、第１の無認可キャリアと第２の無認可キャリアとを含む、と、
前記少なくとも２つの無認可キャリアの各々に対して拡張クリアチャネルアセスメント（ＥＣＣＡ）カウントダウンを実行することと、
前記第２の無認可キャリアに対する前記ＥＣＣＡカウントダウンの１つまたは複数の潜在的最終タイムスロットから潜在的最終タイムスロットを決定することと、
前記潜在的最終タイムスロット中に前記第１の無認可キャリアに対してクリアチャネルアセスメント（ＣＣＡ）検査を実行することと
を備える、ワイヤレス通信の方法。
【請求項１０】
前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであることをさらに備える、
請求項９に記載の方法。
【請求項１１】
前記第１の無認可キャリアに対する前記ＣＣＡ検査が前記潜在的最終タイムスロット中にクリアであるかどうかを決定することと、
前記第２の無認可キャリアに対する前記ＥＣＣＡカウントダウンが前記潜在的最終タイムスロット中にクリアであるかどうかを決定することと
をさらに備える、請求項１０に記載の方法。
【請求項１２】
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信すること
をさらに備える、請求項１１に記載の方法。
【請求項１３】
前記第１の無認可キャリアの前記ＣＣＡ検査が前記潜在的最終タイムスロット中にクリアでないとき、前記ＣＣＡ検査がクリアになるまで、前記第２の無認可キャリア上でフリーズ状態に入ることと、
前記ＣＣＡ検査が前記第１の無認可キャリアをクリアするとき、前記第１の無認可キャリアまたは前記第２の無認可キャリアのうちの１つまたは複数上で前記データを送信することと
をさらに備える、請求項１１に記載の方法。
【請求項１４】
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであることと、
前記第２の無認可キャリアに対する前記ＥＣＣＡカウントダウンがクリアになるとき、前記第１の無認可キャリアまたは前記第２の無認可キャリアのうちの１つまたは複数上で前記データを送信することと
をさらに備える、請求項１１に記載の方法。
【請求項１５】
前記ＣＣＡ検査を前記実行することは、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定することと、
タイムスロットの前記潜在的な数がしきい値よりも大きいとき、前記第１の無認可キャリアに対して前記ＣＣＡ検査を実行することと
を備える、請求項９に記載の方法。
【請求項１６】
前記ＣＣＡ検査を前記実行することは、
前記第１の無認可キャリアの前記ＥＣＣＡカウントダウンを実行するための第１の潜在的カウントダウン値を決定することと、
前記第１の無認可キャリアの前記ＥＣＣＡカウントダウンの終了と前記第２の無認可キャリアの前記ＥＣＣＡカウントダウンの終了との間の第２の潜在的カウントダウン値を決定することと、
デューティサイクルがしきい値よりも大きいときに前記第１の無認可キャリアに対して前記ＣＣＡ検査を実行すること、ここにおいて、前記デューティサイクルは、前記第２の潜在的カウントダウン値を前記第１の潜在的カウントダウン値と前記第２の潜在的カウントダウン値との和で割った値に等しい、と
を備える、請求項９に記載の方法。
【請求項１７】
前記少なくとも２つの無認可キャリアのうちの１つまたは複数を介して送信するためのスケジュールを、基地局から受信することをさらに備える、
請求項９に記載の方法。
【請求項１８】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、請求項１７に記載の方法。
【請求項１９】
前記スケジュールは、物理アップリンク制御チャネル（ＰＵＣＣＨ）を送信することに関係する情報を備える、
請求項１７に記載の方法。
【請求項２０】
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対して拡張クリアチャネルアセスメント（ＥＣＣＡ）カウントダウンを実行することと、
前記第２の無認可キャリアのしきい値タイムスロットを過ぎて前記第１の無認可キャリアに対する前記ＥＣＣＡカウントダウンの潜在的最終タイムスロットが生じるかどうかを決定することと、
前記決定に基づいて前記第２の無認可キャリアに対してクリアチャネルアセスメント（ＣＣＡ）検査を実行すべきかどうかを決めることと
を備える、ワイヤレス通信の方法。
【請求項２１】
前記潜在的最終タイムスロット中に、前記第１の無認可キャリアに対してＣＣＡ検査を実行し、前記第２の無認可キャリアに対して前記ＣＣＡ検査を実行することと、
前記第１の無認可キャリアの前記ＣＣＡ検査がクリアになる場合、前記第１の無認可キャリアまたは前記第２の無認可キャリアのうちの１つまたは複数上で前記データを送信することと
をさらに備える、請求項２０に記載の方法。
【請求項２２】
少なくとも２つの無認可キャリアを介した送信のためのデータを受信すること、前記少なくとも２つの無認可キャリアが第１の無認可キャリアと第２の無認可キャリアとを含む、と、
前記第１の無認可キャリアと前記第２の無認可キャリアとに対して拡張クリアチャネルアセスメント（ＥＣＣＡ）カウントダウンを実行することと、
前記第１の無認可キャリアまたは前記第２の無認可キャリアのうちの１つまたは複数上で遅延状態に入ることと、
前記遅延状態の終了時に前記第１の無認可キャリアまたは前記第２の無認可キャリアのうちの前記１つまたは複数に対して初期クリアチャネルアセスメント（ＩＣＣＡ）を実行することと、
前記ＩＣＣＡがクリアになる場合、前記第１の無認可キャリアまたは前記第２の無認可キャリアのうちの前記１つまたは複数上で前記データを送信することと
を備える、ワイヤレス通信の方法。
【請求項２３】
少なくとも２つの無認可キャリアを介した送信のためのデータを受信するための手段、前記少なくとも２つの無認可キャリアが第１の無認可キャリアと第２の無認可キャリアとを含む、と、
前記第１の無認可キャリアに対して拡張クリアチャネルアセスメント（ＥＣＣＡ）カウントダウンを実行するための手段と、
前記第１の無認可キャリアに対する前記ＥＣＣＡカウントダウンの１つまたは複数の潜在的最終タイムスロットから潜在的最終タイムスロットを決定するための手段と、
前記潜在的最終タイムスロット中に前記第２の無認可キャリアに対してクリアチャネルアセスメント（ＣＣＡ）検査を実行するための手段と
を備える、ワイヤレス通信のための装置。
【請求項２４】
前記第１の無認可キャリアの前記ＥＣＣＡカウントダウンが前記潜在的最終タイムスロット中にクリアであるかどうかを決定するための手段と、
前記第２の無認可キャリアの前記ＣＣＡ検査が前記潜在的最終タイムスロット中にクリアであるかどうかを決定するための手段と
をさらに備える、請求項２３に記載の装置。
【請求項２５】
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信するための手段をさらに備える、
請求項２４に記載の装置。
【請求項２６】
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入るための手段と、
前記第１の無認可キャリアの前記ＥＣＣＡカウントダウンがクリアになるとき、前記第１の無認可キャリアまたは前記第２の無認可キャリアのうちの１つまたは複数上で前記データを送信するための手段と
をさらに備える、請求項２４に記載の装置。
【請求項２７】
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであるための手段と、
前記第２の無認可キャリアの前記ＣＣＡ検査がクリアになるとき、前記第１の無認可キャリアまたは前記第２の無認可キャリアのうちの１つまたは複数上で前記データを送信するための手段と
をさらに備える、請求項２４に記載の装置。
【請求項２８】
前記少なくとも２つの無認可キャリアのうちの１つまたは複数を介して前記データを送信するためのスケジュールを、基地局から受信するための手段をさらに備える、
請求項２３に記載の装置。
【請求項２９】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、請求項２８に記載の装置。
【請求項３０】
前記スケジュールは、物理アップリンク制御チャネル（ＰＵＣＣＨ）を送信することに関係する情報を備える、
請求項２８に記載の装置。
【請求項３１】
少なくとも２つの無認可キャリアを介した送信のためのデータを受信するための手段、前記少なくとも２つの無認可キャリアが第１の無認可キャリアと第２の無認可キャリアとを含む、と、
前記少なくとも２つの無認可キャリアの各々に対して拡張クリアチャネルアセスメント（ＥＣＣＡ）カウントダウンを実行するための手段と、
前記第２の無認可キャリアに対する前記ＥＣＣＡカウントダウンの１つまたは複数の潜在的最終タイムスロットから潜在的最終タイムスロットを決定するための手段と、
前記潜在的最終タイムスロット中に前記第１の無認可キャリアに対してクリアチャネルアセスメント（ＣＣＡ）検査を実行するための手段と
を備える、ワイヤレス通信のための装置。
【請求項３２】
前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであるための手段をさらに備える、
請求項３１に記載の装置。
【請求項３３】
前記第１の無認可キャリアに対する前記ＣＣＡ検査が前記潜在的最終タイムスロット中にクリアであるかどうかを決定するための手段と、
前記第２の無認可キャリアに対する前記ＥＣＣＡカウントダウンが前記潜在的最終タイムスロット中にクリアであるかどうかを決定するための手段と
をさらに備える、請求項３１に記載の装置。
【請求項３４】
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信することをさらに備える、
請求項３３に記載の装置。
【請求項３５】
前記第１の無認可キャリアの前記ＣＣＡ検査が前記潜在的最終タイムスロット中にクリアでないとき、前記ＣＣＡ検査がクリアになるまで、前記第２の無認可キャリア上でフリーズ状態に入るための手段と、
前記ＣＣＡ検査が前記第１の無認可キャリアをクリアするとき、前記第１の無認可キャリアまたは前記第２の無認可キャリアのうちの１つまたは複数上で前記データを送信するための手段と
をさらに備える、請求項３３に記載の装置。
【請求項３６】
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであるための手段と、
前記第２の無認可キャリアに対する前記ＥＣＣＡカウントダウンがクリアになるとき、前記第１の無認可キャリアまたは前記第２の無認可キャリアのうちの１つまたは複数上で前記データを送信するための手段と
をさらに備える、請求項３３に記載の装置。
【請求項３７】
前記ＣＣＡ検査を前記実行するための手段は、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定するための手段と、
タイムスロットの前記潜在的な数がしきい値よりも大きいとき、前記第１の無認可キャリアに対して前記ＣＣＡ検査を実行するための手段と
を備える、請求項３１に記載の装置。
【請求項３８】
前記ＣＣＡ検査を前記実行するための手段は、
前記第１の無認可キャリアの前記ＥＣＣＡカウントダウンを実行するための第１の潜在的カウントダウン値を決定するための手段と、
前記第１の無認可キャリアの前記ＥＣＣＡカウントダウンの終了と前記第２の無認可キャリアの前記ＥＣＣＡカウントダウンの終了との間の第２の潜在的カウントダウン値を決定するための手段と、
デューティサイクルがしきい値よりも大きいときに前記第１の無認可キャリアに対して前記ＣＣＡ検査を実行するための手段、ここにおいて、前記デューティサイクルが、前記第２の潜在的カウントダウン値を前記第１の潜在的カウントダウン値と前記第２の潜在的カウントダウン値との和で割った値に等しい、と
を備える、請求項３１に記載の装置。
【請求項３９】
前記少なくとも２つの無認可キャリアのうちの１つまたは複数を介して送信するためのスケジュールを、基地局から受信するための手段をさらに備える、
請求項３１に記載の装置。
【請求項４０】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、請求項３９に記載の装置。
【請求項４１】
前記スケジュールは、物理アップリンク制御チャネル（ＰＵＣＣＨ）を送信することに関係する情報を備える、
請求項３９に記載の装置。
【請求項４２】
少なくとも２つの無認可キャリアを介した送信のためのデータを受信するための手段、前記少なくとも２つの無認可キャリアが第１の無認可キャリアと第２の無認可キャリアとを含む、と、
前記第１の無認可キャリアに対して拡張クリアチャネルアセスメント（ＥＣＣＡ）カウントダウンを実行するための手段と、
前記第２の無認可キャリアのしきい値タイムスロットを過ぎて前記第１の無認可キャリアに対する前記ＥＣＣＡカウントダウンの潜在的最終タイムスロットが生じるかどうかを決定するための手段と、
前記決定に基づいて前記第２の無認可キャリアに対してクリアチャネルアセスメント（ＣＣＡ）検査を実行すべきかどうかを決めるための手段と
を備える、ワイヤレス通信のための装置。
【請求項４３】
前記潜在的最終タイムスロット中に、前記第１の無認可キャリアに対してＣＣＡ検査を実行し、前記第２の無認可キャリアに対して前記ＣＣＡ検査を実行するための手段と、
前記第１の無認可キャリアの前記ＣＣＡ検査がクリアになる場合、前記第１の無認可キャリアまたは前記第２の無認可キャリアのうちの１つまたは複数上で前記データを送信するための手段と
をさらに備える、請求項４２に記載の装置。
【請求項４４】
少なくとも２つの無認可キャリアを介した送信のためのデータを受信するための手段、前記少なくとも２つの無認可キャリアが第１の無認可キャリアと第２の無認可キャリアとを含む、と、
前記第１の無認可キャリアと前記第２の無認可キャリアとに対して拡張クリアチャネルアセスメント（ＥＣＣＡ）カウントダウンを実行するための手段と、
前記第１の無認可キャリアまたは前記第２の無認可キャリアのうちの１つまたは複数上で遅延状態に入るための手段と、
前記遅延状態の終了時に前記第１の無認可キャリアまたは前記第２の無認可キャリアのうちの前記１つまたは複数に対して初期クリアチャネルアセスメント（ＩＣＣＡ）を実行するための手段と、
前記ＩＣＣＡがクリアになる場合、前記第１の無認可キャリアまたは前記第２の無認可キャリアのうちの前記１つまたは複数上で前記データを送信するための手段と
を備える、ワイヤレス通信のための装置。
【請求項４５】
メモリと、
前記メモリに結合された少なくとも１つのプロセッサと
を備え、前記少なくとも１つのプロセッサは、
少なくとも２つの無認可キャリアを介した送信のためのデータを受信すること、前記少なくとも２つの無認可キャリアが第１の無認可キャリアと第２の無認可キャリアとを含む、と、
前記第１の無認可キャリアに対して拡張クリアチャネルアセスメント（ＥＣＣＡ）カウントダウンを実行することと、
前記第１の無認可キャリアに対する前記ＥＣＣＡカウントダウンの１つまたは複数の潜在的最終タイムスロットから潜在的最終タイムスロットを決定することと、
前記潜在的最終タイムスロット中に前記第２の無認可キャリアに対してクリアチャネルアセスメント（ＣＣＡ）検査を実行することと
を行うように構成された、ワイヤレス通信のための装置。
【請求項４６】
前記少なくとも１つのプロセッサは、
前記第１の無認可キャリアの前記ＥＣＣＡカウントダウンが前記潜在的最終タイムスロット中にクリアであるかどうかを決定することと、
前記第２の無認可キャリアの前記ＣＣＡ検査が前記潜在的最終タイムスロット中にクリアであるかどうかを決定することと
を行うようにさらに構成された、請求項４５に記載の装置。
【請求項４７】
前記少なくとも１つのプロセッサは、
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信することを行うようにさらに構成された、
請求項４６に記載の装置。
【請求項４８】
前記少なくとも１つのプロセッサは、
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入ることと、
前記第１の無認可キャリアの前記ＥＣＣＡカウントダウンがクリアになるとき、前記第１の無認可キャリアまたは前記第２の無認可キャリアのうちの１つまたは複数上で前記データを送信することと
を行うようにさらに構成された、請求項４６に記載の装置。
【請求項４９】
前記少なくとも１つのプロセッサは、
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであることと、
前記第２の無認可キャリアの前記ＣＣＡ検査がクリアになるとき、前記第１の無認可キャリアまたは前記第２の無認可キャリアのうちの１つまたは複数上で前記データを送信することと
を行うようにさらに構成された、請求項４６に記載の装置。
【請求項５０】
前記少なくとも１つのプロセッサは、前記少なくとも２つの無認可キャリアのうちの１つまたは複数を介して前記データを送信するためのスケジュールを、基地局から受信するようにさらに構成された、
請求項４５に記載の装置。
【請求項５１】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、請求項５０に記載の装置。
【請求項５２】
前記スケジュールは、物理アップリンク制御チャネル（ＰＵＣＣＨ）を送信することに関係する情報を備える、
請求項５０に記載の装置。
【請求項５３】
メモリと、
前記メモリに結合された少なくとも１つのプロセッサと
を備え、前記少なくとも１つのプロセッサは、
少なくとも２つの無認可キャリアを介した送信のためのデータを受信すること、前記少なくとも２つの無認可キャリアが第１の無認可キャリアと第２の無認可キャリアとを含む、と、
前記少なくとも２つの無認可キャリアの各々に対して拡張クリアチャネルアセスメント（ＥＣＣＡ）カウントダウンを実行することと、
前記第２の無認可キャリアに対する前記ＥＣＣＡカウントダウンの１つまたは複数の潜在的最終タイムスロットから潜在的最終タイムスロットを決定することと、
前記潜在的最終タイムスロット中に前記第１の無認可キャリアに対してクリアチャネルアセスメント（ＣＣＡ）検査を実行することと
を行うように構成された、ワイヤレス通信のための装置。
【請求項５４】
前記少なくとも１つのプロセッサは、前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであるようにさらに構成された、
請求項５３に記載の装置。
【請求項５５】
前記少なくとも１つのプロセッサは、
前記第１の無認可キャリアに対する前記ＣＣＡ検査が前記潜在的最終タイムスロット中にクリアであるかどうかを決定することと、
前記第２の無認可キャリアに対する前記ＥＣＣＡカウントダウンが前記潜在的最終タイムスロット中にクリアであるかどうかを決定することと
を行うようにさらに構成された、請求項５４に記載の装置。
【請求項５６】
前記少なくとも１つのプロセッサは、
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信することを行うようにさらに構成された、
請求項５５に記載の装置。
【請求項５７】
前記少なくとも１つのプロセッサは、
前記ＣＣＡ検査がクリアになるまで、前記第２の無認可キャリア上でフリーズ状態に入ることと、
前記第１の無認可キャリアの前記ＣＣＡ検査が前記潜在的最終タイムスロット中にクリアでないとき、前記ＣＣＡ検査が前記第１の無認可キャリアをクリアするとき、前記第１の無認可キャリアまたは前記第２の無認可キャリアのうちの１つまたは複数上で前記データを送信することと
を行うようにさらに構成された、請求項５５に記載の装置。
【請求項５８】
前記少なくとも１つのプロセッサは、
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであることと、
前記第２の無認可キャリアに対する前記ＥＣＣＡカウントダウンがクリアになるとき、前記第１の無認可キャリアまたは前記第２の無認可キャリアのうちの１つまたは複数上で前記データを送信することと
を行うようにさらに構成された、請求項５５に記載の装置。
【請求項５９】
前記少なくとも１つのプロセッサは、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定することと、
タイムスロットの前記潜在的な数がしきい値よりも大きいとき、前記第１の無認可キャリアに対して前記ＣＣＡ検査を実行することと
によって前記ＣＣＡ検査を実行するようにさらに構成された、請求項５３に記載の装置。
【請求項６０】
前記少なくとも１つのプロセッサは、
前記第１の無認可キャリアの前記ＥＣＣＡカウントダウンを実行するための第１の潜在的カウントダウン値を決定することと、
前記第１の無認可キャリアの前記ＥＣＣＡカウントダウンの終了と前記第２の無認可キャリアの前記ＥＣＣＡカウントダウンの終了との間の第２の潜在的カウントダウン値を決定することと、
デューティサイクルがしきい値よりも大きいときに前記第１の無認可キャリアに対して前記ＣＣＡ検査を実行すること、ここにおいて、前記デューティサイクルが、前記第２の潜在的カウントダウン値を前記第１の潜在的カウントダウン値と前記第２の潜在的カウントダウン値との和で割った値に等しい、と
によって前記ＣＣＡ検査を実行するようにさらに構成された、請求項５３に記載の装置。
【請求項６１】
前記少なくとも１つのプロセッサは、前記少なくとも２つの無認可キャリアのうちの１つまたは複数を介して送信するためのスケジュールを、基地局から受信するようにさらに構成された、
請求項５３に記載の装置。
【請求項６２】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、請求項６１に記載の装置。
【請求項６３】
前記スケジュールは、物理アップリンク制御チャネル（ＰＵＣＣＨ）を送信することに関係する情報を備える、
請求項６１に記載の装置。
【請求項６４】
メモリと、
前記メモリに結合された少なくとも１つのプロセッサと
を備え、前記少なくとも１つのプロセッサは、
少なくとも２つの無認可キャリアを介した送信のためのデータを受信すること、前記少なくとも２つの無認可キャリアが第１の無認可キャリアと第２の無認可キャリアとを含む、と、
前記第１の無認可キャリアに対して拡張クリアチャネルアセスメント（ＥＣＣＡ）カウントダウンを実行することと、
前記第２の無認可キャリアのしきい値タイムスロットを過ぎて前記第１の無認可キャリアに対する前記ＥＣＣＡカウントダウンの潜在的最終タイムスロットが生じるかどうかを決定することと、
前記決定に基づいて前記第２の無認可キャリアに対してクリアチャネルアセスメント（ＣＣＡ）検査を実行すべきかどうかを決めることと
を行うように構成された、ワイヤレス通信のための装置。
【請求項６５】
前記少なくとも１つのプロセッサは、
前記潜在的最終タイムスロット中に、前記第１の無認可キャリアに対してＣＣＡ検査を実行し、前記第２の無認可キャリアに対して前記ＣＣＡ検査を実行することと、
前記第１の無認可キャリアの前記ＣＣＡ検査がクリアになる場合、前記第１の無認可キャリアまたは前記第２の無認可キャリアのうちの１つまたは複数上で前記データを送信することと
を行うようにさらに構成された、請求項６４に記載の装置。
【請求項６６】
メモリと、
前記メモリに結合された少なくとも１つのプロセッサと
を備え、前記少なくとも１つのプロセッサは、
少なくとも２つの無認可キャリアを介した送信のためのデータを受信することと、前記少なくとも２つの無認可キャリアが第１の無認可キャリアと第２の無認可キャリアとを含む、
前記第１の無認可キャリアと前記第２の無認可キャリアとに対して拡張クリアチャネルアセスメント（ＥＣＣＡ）カウントダウンを実行することと、
前記第１の無認可キャリアまたは前記第２の無認可キャリアのうちの１つまたは複数上で遅延状態に入ることと、
前記遅延状態の終了時に前記第１の無認可キャリアまたは前記第２の無認可キャリアのうちの前記１つまたは複数に対して初期クリアチャネルアセスメント（ＩＣＣＡ）を実行することと、
前記ＩＣＣＡがクリアになる場合、前記第１の無認可キャリアまたは前記第２の無認可キャリアのうちの前記１つまたは複数上で前記データを送信することと
を行うように構成された、ワイヤレス通信のための装置。
【請求項６７】
ワイヤレス通信のためのコンピュータ実行可能コードを記憶するコンピュータ可読媒体であって、
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対して拡張クリアチャネルアセスメント（ＥＣＣＡ）カウントダウンを実行することと、
前記第１の無認可キャリアに対する前記ＥＣＣＡカウントダウンの１つまたは複数の潜在的最終タイムスロットから潜在的最終タイムスロットを決定することと、
前記潜在的最終タイムスロット中に前記第２の無認可キャリアに対してクリアチャネルアセスメント（ＣＣＡ）検査を実行することと
を行うためのコードを備える、コンピュータ可読媒体。
【請求項６８】
前記第１の無認可キャリアの前記ＥＣＣＡカウントダウンが前記潜在的最終タイムスロット中にクリアであるかどうかを決定することと、
前記第２の無認可キャリアの前記ＣＣＡ検査が前記潜在的最終タイムスロット中にクリアであるかどうかを決定することと
を行うためのコードをさらに備える、請求項６７に記載のコンピュータ可読媒体。
【請求項６９】
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信すること
を行うためのコードをさらに備える、請求項６８に記載のコンピュータ可読媒体。
【請求項７０】
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入ることと、
前記第１の無認可キャリアの前記ＥＣＣＡカウントダウンがクリアになるとき、前記第１の無認可キャリアまたは前記第２の無認可キャリアのうちの１つまたは複数上で前記データを送信することと
を行うためのコードをさらに備える、請求項６８に記載のコンピュータ可読媒体。
【請求項７１】
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであることと、
前記第２の無認可キャリアの前記ＣＣＡ検査がクリアになるとき、前記第１の無認可キャリアまたは前記第２の無認可キャリアのうちの１つまたは複数上で前記データを送信することと
を行うためのコードをさらに備える、請求項６８に記載のコンピュータ可読媒体。
【請求項７２】
前記少なくとも２つの無認可キャリアのうちの１つまたは複数を介して前記データを送信するためのスケジュールを、基地局から受信するためのコードをさらに備える、
請求項６７に記載のコンピュータ可読媒体。
【請求項７３】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、請求項７２に記載のコンピュータ可読媒体。
【請求項７４】
前記スケジュールは、物理アップリンク制御チャネル（ＰＵＣＣＨ）を送信することに関係する情報を備える、
請求項７２に記載のコンピュータ可読媒体。
【請求項７５】
ワイヤレス通信のためのコンピュータ実行可能コードを記憶するコンピュータ可読媒体であって、
少なくとも２つの無認可キャリアを介した送信のためのデータを受信すること、前記少なくとも２つの無認可キャリアは、第１の無認可キャリアと第２の無認可キャリアとを含む、と、
前記少なくとも２つの無認可キャリアの各々に対して拡張クリアチャネルアセスメント（ＥＣＣＡ）カウントダウンを実行することと、
前記第２の無認可キャリアに対する前記ＥＣＣＡカウントダウンの１つまたは複数の潜在的最終タイムスロットから潜在的最終タイムスロットを決定することと、
前記潜在的最終タイムスロット中に前記第１の無認可キャリアに対してクリアチャネルアセスメント（ＣＣＡ）検査を実行することと
を行うためのコードを備える、コンピュータ可読媒体。
【請求項７６】
前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであるためのコードをさらに備える、
請求項７５に記載のコンピュータ可読媒体。
【請求項７７】
前記第１の無認可キャリアに対する前記ＣＣＡ検査が前記潜在的最終タイムスロット中にクリアであるかどうかを決定することと、
前記第２の無認可キャリアに対する前記ＥＣＣＡカウントダウンが前記潜在的最終タイムスロット中にクリアであるかどうかを決定することと
を行うためのコードをさらに備える、請求項７６に記載のコンピュータ可読媒体。
【請求項７８】
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信することを行うためのコードをさらに備える、
請求項７７に記載のコンピュータ可読媒体。
【請求項７９】
前記第１の無認可キャリアの前記ＣＣＡ検査が前記潜在的最終タイムスロット中にクリアでないとき、前記ＣＣＡ検査がクリアになるまで、前記第２の無認可キャリア上でフリーズ状態に入ることと、
前記ＣＣＡ検査が前記第１の無認可キャリアをクリアするとき、前記第１の無認可キャリアまたは前記第２の無認可キャリアのうちの１つまたは複数上で前記データを送信することと
を行うためのコードをさらに備える、請求項７７に記載のコンピュータ可読媒体。
【請求項８０】
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであることと、
前記第２の無認可キャリアに対する前記ＥＣＣＡカウントダウンがクリアになるとき、前記第１の無認可キャリアまたは前記第２の無認可キャリアのうちの１つまたは複数上で前記データを送信することと
を行うためのコードをさらに備える、請求項７７に記載のコンピュータ可読媒体。
【請求項８１】
前記ＣＣＡ検査を実行するための前記コードは、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定することと、
タイムスロットの前記潜在的な数がしきい値よりも大きいとき、前記第１の無認可キャリアに対して前記ＣＣＡ検査を実行することと
を行うためのコードをさらに備える、請求項７５に記載のコンピュータ可読媒体。
【請求項８２】
前記ＣＣＡ検査を実行するための前記コードは、
前記第１の無認可キャリアの前記ＥＣＣＡカウントダウンを実行するための第１の潜在的カウントダウン値を決定することと、
前記第１の無認可キャリアの前記ＥＣＣＡカウントダウンの終了と前記第２の無認可キャリアの前記ＥＣＣＡカウントダウンの終了との間の第２の潜在的カウントダウン値を決定することと、
デューティサイクルがしきい値よりも大きいときに前記第１の無認可キャリアに対して前記ＣＣＡ検査を実行すること、ここにおいて、前記デューティサイクルが、前記第２の潜在的カウントダウン値を前記第１の潜在的カウントダウン値と前記第２の潜在的カウントダウン値との和で割った値に等しい、と
を行うためのコードをさらに備える、請求項７５に記載のコンピュータ可読媒体。
【請求項８３】
前記少なくとも２つの無認可キャリアのうちの１つまたは複数を介して送信するためのスケジュールを、基地局から受信するためのコードをさらに備える、
請求項７５に記載のコンピュータ可読媒体。
【請求項８４】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、請求項８３に記載のコンピュータ可読媒体。
【請求項８５】
前記スケジュールは、物理アップリンク制御チャネル（ＰＵＣＣＨ）を送信することに関係する情報を備える、
請求項８３に記載のコンピュータ可読媒体。
【請求項８６】
ワイヤレス通信のためのコンピュータ実行可能コードを記憶するコンピュータ可読媒体であって、
少なくとも２つの無認可キャリアを介した送信のためのデータを受信することと、前記少なくとも２つの無認可キャリアが第１の無認可キャリアと第２の無認可キャリアとを含む、
前記第１の無認可キャリアに対して拡張クリアチャネルアセスメント（ＥＣＣＡ）カウントダウンを実行することと、
前記第２の無認可キャリアのしきい値タイムスロットを過ぎて前記第１の無認可キャリアに対する前記ＥＣＣＡカウントダウンの潜在的最終タイムスロットが生じるかどうかを決定することと、
前記決定に基づいて前記第２の無認可キャリアに対してクリアチャネルアセスメント（ＣＣＡ）検査を実行すべきかどうかを決めることと
を行うためのコードを備える、コンピュータ可読媒体。
【請求項８７】
前記潜在的最終タイムスロット中に、前記第１の無認可キャリアに対してＣＣＡ検査を実行し、前記第２の無認可キャリアに対して前記ＣＣＡ検査を実行することと、
前記第１の無認可キャリアの前記ＣＣＡ検査がクリアになる場合、前記第１の無認可キャリアまたは前記第２の無認可キャリアのうちの１つまたは複数上で前記データを送信することと
を行うためのコードをさらに備える、請求項８６に記載のコンピュータ可読媒体。
【請求項８８】
ワイヤレス通信のためのコンピュータ実行可能コードを記憶するコンピュータ可読媒体であって、
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアと前記第２の無認可キャリアとに対して拡張クリアチャネルアセスメント（ＥＣＣＡ）カウントダウンを実行することと、
前記第１の無認可キャリアまたは前記第２の無認可キャリアのうちの１つまたは複数上で遅延状態に入ることと、
前記遅延状態の終了時に前記第１の無認可キャリアまたは前記第２の無認可キャリアのうちの前記１つまたは複数に対して初期クリアチャネルアセスメント（ＩＣＣＡ）を実行することと、
前記ＩＣＣＡがクリアになる場合、前記第１の無認可キャリアまたは前記第２の無認可キャリアのうちの前記１つまたは複数上で前記データを送信することと
を行うためのコードを備える、コンピュータ可読媒体。
【発明の詳細な説明】
【関連出願の相互参照】
【０００１】
[0001]本出願は、その全体が参照により本明細書に明確に組み込まれる、２０１４年６月２０日に出願された「JOINT LBE FBE MULTI-CARRIER TRANSMISSION」と題する米国仮出願第６２／０１５，１９８号、および２０１５年６月１８日に出願された「METHOD AND APPARATUS FOR REDUCING SELF-JAMMING OF TRANSMISSIONS ON ADJACENT CARRIERS」と題する米国特許出願第１４／７４３，８２５号の利益を主張する。
【技術分野】
【０００２】
[0002]本開示の態様は、一般にワイヤレス通信システムに関し、より詳細には、隣接するチャネルを介したマルチキャリア送信に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。通常、多元接続ネットワークである、そのようなネットワークは、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、ならびに／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
[0007]本開示は、非対称干渉による自己ジャミングを低減する隣接するチャネルを介したマルチキャリア送信のための方法および装置を提供する。一態様では、ＣＣＡが帯域幅全体にわたって一緒に実行されるように、大帯域幅負荷ベース機器（ＬＢＥ：load-based equipment）キャリアが提供され得る。別の態様では、２つのキャリアを同期させるために追加のＣＣＡタイムスロットが使用され得る。さらなる態様では、拡張ＣＣＡはプライマリ無認可キャリアに対して実行され得、単純ＣＣＡ（simple CCA）はセカンダリ無認可キャリアに対して実行され得る。また別の態様では、ＬＢＥはいくつかのキャリア上で実装され得、フレームベース機器（ＦＢＥ：frame-based equipment）は他のキャリア上で実装され得る。
【０００８】
[0008]一態様では、装置は、少なくとも２つの無認可キャリアを介した送信のためのデータを受信することと、少なくとも２つの無認可キャリアが第１の無認可キャリアと第２の無認可キャリアとを含む、第１の無認可キャリアに対して拡張クリアチャネルアセスメント（ＥＣＣＡ：extended clear channel assessment）カウントダウンを実行することと、第１の無認可キャリアに対するＥＣＣＡカウントダウンの１つまたは複数の潜在的最終タイムスロット（potential last timeslot）から潜在的最終タイムスロットを決定することと、潜在的最終タイムスロット中に第２の無認可キャリアに対してクリアチャネルアセスメント（ＣＣＡ）検査を実行することとを行う。
【０００９】
[0009]別の態様では、本装置は、少なくとも２つの無認可キャリアを介した送信のためのデータを受信することと、少なくとも２つの無認可キャリアが第１の無認可キャリアと第２の無認可キャリアとを含む、少なくとも２つの無認可キャリアの各々に対して拡張クリアチャネルアセスメント（ＥＣＣＡ）カウントダウンを実行することと、第２の無認可キャリアに対するＥＣＣＡカウントダウンの１つまたは複数の潜在的最終タイムスロットから潜在的最終タイムスロットを決定することと、潜在的最終タイムスロット中に第１の無認可キャリアに対してクリアチャネルアセスメント（ＣＣＡ）検査を実行することとを行う。
【００１０】
[0010]さらに別の態様では、本装置は、少なくとも２つの無認可キャリアを介した送信のためのデータを受信することと、少なくとも２つの無認可キャリアが第１の無認可キャリアと第２の無認可キャリアとを含む、第１の無認可キャリアに対して拡張クリアチャネルアセスメント（ＥＣＣＡ）カウントダウンを実行することと、第２の無認可キャリアのしきい値タイムスロットを過ぎて第１の無認可キャリアに対するＥＣＣＡカウントダウンの潜在的最終タイムスロットが生じるかどうかを決定することと、決定に基づいて第２の無認可キャリアに対してクリアチャネルアセスメント（ＣＣＡ）検査を実行すべきかどうかを決めることとを行う。
【００１１】
[0011]さらなる態様では、本装置は、少なくとも２つの無認可キャリアを介した送信のためのデータを受信することと、少なくとも２つの無認可キャリアが第１の無認可キャリアと第２の無認可キャリアとを含む、第１の無認可キャリアと第２の無認可キャリアとに対して拡張クリアチャネルアセスメント（ＥＣＣＡ）カウントダウンを実行することと、第１の無認可キャリアまたは第２の無認可キャリアのうちの１つまたは複数上で遅延状態に入ることと、遅延状態の終了時に第１の無認可キャリアまたは第２の無認可キャリアのうちの１つまたは複数に対して初期クリアチャネルアセスメント（ＩＣＣＡ：initial clear channel assessment）を実行することと、ＩＣＣＡがクリアになる場合、第１の無認可キャリアまたは第２の無認可キャリアのうちの１つまたは複数上でデータを送信することとを行う。
【００１２】
[0012]さらに別の態様では、本装置は、少なくとも２つの無認可キャリアを介した送信のためのデータを受信することと、少なくとも２つの無認可キャリアのうちの第１の無認可キャリアに対して拡張クリアチャネルアセスメント（ＥＣＣＡ）カウントダウンを実行することと、第１の無認可キャリアのＥＣＣＡカウントダウンが終了するタイムスロットを決定することと、決定されたタイムスロット中に最小２つの無認可キャリアのうちの第１の無認可キャリアと第２の無認可キャリアの両方のクリアチャネルアセスメント（ＣＣＡ）検査を実行することと、ＣＣＡ検査がクリアであるとき、少なくとも２つの無認可キャリアのうちの第１の無認可キャリアと第２の無認可キャリアのいずれか上でデータを送信することとを行う。
【図面の簡単な説明】
【００１３】
【図１】様々な実施形態による、ワイヤレス通信システムの一例を示す図。
【図２Ａ】様々な実施形態による、無認可スペクトル中でＬＴＥ（登録商標）を使用するための展開シナリオの例を示す図。
【図２Ｂ】様々な実施形態による、無認可スペクトル中でＬＴＥを使用するための展開シナリオの別の例を示す図。
【図３】様々な実施形態による、認可および無認可スペクトル中でＬＴＥをコンカレントに使用するときのキャリアアグリゲーションの一例を示す図。
【図４】本開示の一態様に従って構成された、基地局／ｅＮＢおよびＵＥの設計を概念的に示すブロック図。
【図５Ａ】同期した、フレームベースＬＴＥ−Ｕ通信システムにおける送信ストリームを示すブロック図。
【図５Ｂ】同期した、負荷ベースＬＴＥ−Ｕ通信システムにおける無認可キャリアのための２８個（０〜２７）の送信スロットのシーケンスを示すブロック図。
【図６Ａ】干渉のない２つのチャネルに対するＥＣＣＡカウントダウンを示す図。
【図６Ｂ】対称干渉がある２つのチャネルに対するＥＣＣＡカウントダウンを示す図。
【図６Ｃ】非対称干渉がある２つのチャネルに対するＥＣＣＡカウントダウンを示す図。
【図７】すべてのチャネルがＬＢＥキャリアである隣接するチャネルを介したマルチキャリア送信を示す図。
【図８】拡張ＣＣＡがプライマリチャネルに対して使用され、単純ＣＣＡがセカンダリチャネルに対して使用される隣接するチャネルを介したマルチキャリア送信を示す図。
【図９】ＬＢＥキャリアおよびＦＢＥキャリアが一緒に使用される隣接するチャネルを介したマルチキャリア送信を示す図。
【図１０Ａ】ＥＣＣＡカウントダウンの完了の後の自己遅延状態を使用した、隣接するチャネルを介したマルチキャリア送信を示す図。
【図１０Ｂ】ＥＣＣＡカウントダウンの完了の後の自己遅延状態を使用した、隣接するチャネルを介したマルチキャリア送信を示す図。
【図１１】ワイヤレス通信の方法のフローチャート。
【図１２】ワイヤレス通信の方法のフローチャート。
【図１３】ワイヤレス通信の方法のフローチャート。
【図１４】ワイヤレス通信の方法のフローチャート。
【図１５】ワイヤレス通信の方法のフローチャート。
【図１６】例示的な装置中の異なるモジュール／手段／構成要素間のデータフローを示す概念データフロー図。
【図１７】処理システムを採用する装置１６０２’のためのハードウェア実装形態の一例を示す図。
【発明を実施するための形態】
【００１４】
[0034]添付の図面に関して以下に示す発明を実施するための形態は、様々な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は提示を明快にするためにブロック図の形式で示されることとが当業者には明らかであろう。
【００１５】
[0035]事業者は、これまで、セルラーネットワークにおける輻輳の常に増加するレベルを軽減するために無認可スペクトルを使用するための主要な機構としてＷｉＦｉ（登録商標）を見てきた。しかしながら、無認可スペクトルを含むＬＴＥ／ＬＴＥ−Ａ（ＬＴＥ−Ｕ）に基づくニューキャリアタイプ（ＮＣＴ：new carrier type）はキャリアグレードＷｉＦｉに適合し得るので、ＬＴＥ−ＵがＷｉＦｉの代替になる。ＬＴＥ−Ｕは、ＬＴＥ概念を活用し得、無認可スペクトル中での効率的な動作を可能にすることと、規制要件を満たすこととのために、ネットワークまたはネットワークデバイスの物理レイヤ（ＰＨＹ）およびメディアアクセス制御（ＭＡＣ）態様にいくつかの変更を導入し得る。無認可スペクトルは、たとえば、６００メガヘルツ（ＭＨｚ）から６ギガヘルツ（ＧＨｚ）までにわたり得る。いくつかのシナリオでは、ＬＴＥ−ＵはＷｉＦｉよりもかなり良好に機能し得る。たとえば、（単一または複数の事業者のための）全ＬＴＥ−Ｕ展開を全ＷｉＦｉ展開と比較して、または高密度スモールセル展開があるとき、ＬＴＥ−ＵはＷｉＦｉよりもかなり良好に機能し得る。ＬＴＥ−Ｕは、ＬＴＥ−Ｕが（単一または複数の事業者のために）ＷｉＦｉと混合されるときなど、他のシナリオにおいてＷｉＦｉよりも良好に機能し得る。
【００１６】
[0036]単一のサービスプロバイダ（ＳＰ）の場合、ＬＴＥ−Ｕネットワークは、認可スペクトル上のＬＴＥネットワークと同期しているように構成され得る。しかしながら、複数のＳＰによって所与のチャネル上で展開されるＬＴＥ−Ｕネットワークは、複数のＳＰにわたって同期しているように構成され得る。上記の特徴の両方を組み込むための１つの手法は、所与のＳＰのために、無認可スペクトルを用いないＬＴＥ／ＬＴＥ−Ａネットワークと、無認可スペクトルを用いるＬＴＥ−Ｕネットワークとの間で一定のタイミングオフセットを使用することを伴い得る。ＬＴＥ−Ｕネットワークは、ＳＰの必要に従って、ユニキャストサービスおよび／またはマルチキャストサービスを与え得る。その上、ＬＴＥ−Ｕネットワークは、ＬＴＥセルが、ＬＴＥ−Ｕセルのために、アンカーとして働き、関連するセル情報（たとえば、無線フレームタイミング、共通チャネル構成、システムフレーム番号またはＳＦＮなど）を与える、ブートストラップモードで動作し得る。このモードでは、無認可スペクトルを用いないＬＴＥ／ＬＴＥ−Ａと無認可スペクトルを用いるＬＴＥ−Ｕとの間に緊密な相互作用があり得る。たとえば、ブートストラップモードは、上記で説明した補足ダウンリンク（supplemental downlink）モードとキャリアアグリゲーションモードとをサポートし得る。ＬＴＥ−ＵネットワークのＰＨＹ−ＭＡＣレイヤは、ＬＴＥ−Ｕネットワークが無認可スペクトルを用いないＬＴＥネットワークとは無関係に動作する、スタンドアロンモードで動作し得る。この場合、たとえば、無認可スペクトルセルを用いる／用いないコロケートされたＬＴＥ／ＬＴＥ−ＵとのＲＬＣレベルアグリゲーション、あるいは複数のセルおよび／または基地局にわたるマルチフローに基づいて、無認可スペクトルを用いないＬＴＥとＬＴＥ−Ｕとの間に緩い相互作用があり得る。
【００１７】
[0037]本明細書で説明する技法は、ＬＴＥに限定されず、ＣＤＭＡ、ＴＤＭＡ、ＦＤＭＡ、ＯＦＤＭＡ、ＳＣ−ＦＤＭＡ、および他のシステムなど、様々なワイヤレス通信システムのためにも使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形とを含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術のために使用され得る。た
だし、以下の説明では、例としてＬＴＥシステムについて説明し、以下の説明の大部分においてＬＴＥ用語が使用されるが、本技法はＬＴＥ適用例以外に適用可能である。
【００１８】
[0038]したがって、以下の説明は、例を与えるものであり、特許請求の範囲に記載された範囲、適用可能性、または構成を限定するものではない。本開示の趣旨および範囲から逸脱することなく、説明される要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００１９】
[0039]最初に図１を参照すると、図はワイヤレス通信システムまたはネットワーク１００の一例を示している。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局制御器（図示せず）の制御下で通信デバイス１１５と通信し得る。基地局１０５は、バックホールリンク１３２を介してコアネットワーク１３０と制御情報および／またはユーザデータを通信し得る。実施形態では、基地局１０５は、ワイヤードまたはワイヤレス通信リンクであり得るバックホールリンク１３４を介して、直接的または間接的のいずれかで、互いに通信し得る。システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２０】
[0040]基地局１０５は、１つまたは複数の基地局アンテナを介してデバイス１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、またはいくつかの他の好適な用語で呼ばれることがある。基地局のためのカバレージエリア１１０は、カバレージエリアの一部分を構成するセクタ（図示せず）に分割され得る。システム１００は、異なるタイプの基地局１０５（たとえば、マクロ基地局、マイクロ基地局、および／またはピコ基地局）を含み得る。異なる技術のための重複するカバレージエリアがあり得る。
【００２１】
[0041]いくつかの実施形態では、システム１００は、１つまたは複数の無認可スペクトル動作モードまたは展開シナリオをサポートするＬＴＥ／ＬＴＥ−Ｕネットワークである。他の実施形態では、システム１００は、無認可スペクトルと、無認可スペクトルを用いるＬＴＥ／ＬＴＥ−Ｕとは異なるアクセス技術とを使用して、または認可スペクトルと、ＬＴＥ／ＬＴＥ−Ｕとは異なるアクセス技術を使用して、ワイヤレス通信をサポートし得る。発展型ノードＢ（ｅＮＢ）およびユーザ機器（ＵＥ）という用語は、概して、それぞれ基地局１０５およびデバイス１１５を表すために使用され得る。システム１００は、異なるタイプのｅＮＢがその中で様々な地理的領域にカバレージを与える、無認可スペクトルを用いるまたは用いない異種（Heterogeneous）ＬＴＥ／ＬＴＥ−Ｕネットワークであり得る。たとえば、各ｅＮＢ１０５は、マクロセル、ピコセル、フェムトセル、および／または他のタイプのセルに通信カバレージを与え得る。ピコセル、フェムトセル、および／または他のタイプのセルなどのスモールセルは低電力ノードまたはＬＰＮを含み得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００２２】
[0042]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を通して）直接または間接的に、互いと通信し得る。システム１００は、同期動作または非同期動作をサポートし得る。同期動作の場合、ｅＮＢは同様のフレームタイミングおよび／またはゲーティングタイミングを有し得、異なるｅＮＢからの送信は近似的に時間的に整合され得る。非同期動作の場合、ｅＮＢは異なるフレームタイミングおよび／またはゲーティングタイミングを有し得、異なるｅＮＢからの送信は時間的に整合されないことがある。本明細書で説明する技法は、同期動作または非同期動作のいずれかのために使用され得る。
【００２３】
[0043]ＵＥ１１５はシステム１００全体にわたって分散され、各ＵＥは固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００２４】
[0044]システム１００中に示されている通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信と呼ばれることもあり、アップリンク送信は逆方向リンク送信と呼ばれることもある。ダウンリンク送信は、認可スペクトル（たとえば、ＬＴＥ）、無認可スペクトル（たとえば、ＬＴＥ−Ｕ）、またはその両方（無認可スペクトルを用いる／用いないＬＴＥ／ＬＴＥ−Ｕ）を使用して行われ得る。同様に、アップリンク送信は、認可スペクトル（たとえば、ＬＴＥ）、無認可スペクトル（たとえば、ＬＴＥ−Ｕ）、またはその両方（無認可スペクトルを用いる／用いないＬＴＥ／ＬＴＥ−Ｕ）を使用して行われ得る。
【００２５】
[0045]システム１００のいくつかの実施形態では、認可スペクトル中のＬＴＥダウンリンク容量が無認可スペクトルにオフロードされ得る補足ダウンリンク（ＳＤＬ）モードと、ＬＴＥダウンリンク容量とＬＴＥアップリンク容量の両方が認可スペクトルから無認可スペクトルにオフロードされ得るキャリアアグリゲーションモードと、基地局（たとえば、ｅＮＢ）とＵＥとの間のＬＴＥダウンリンクおよびアップリンク通信が無認可スペクトル中で行われ得るスタンドアロンモードとを含む、ＬＴＥ−Ｕのための様々な展開シナリオがサポートされ得る。基地局１０５ならびにＵＥ１１５は、これらまたは同様の動作モードのうちの１つまたは複数をサポートし得る。無認可スペクトル中のＬＴＥダウンリンク送信のために通信リンク１２５中でＯＦＤＭＡ通信信号が使用され得、無認可スペクトル中のＬＴＥアップリンク送信のために通信リンク１２５中でＳＣ−ＦＤＭＡ通信信号が使用され得る。システム１００などのシステムにおける、ＬＴＥ−Ｕ展開シナリオまたは動作モードの実装形態に関するさらなる詳細、ならびにＬＴＥ−Ｕの動作に関係する他の特徴および機能を、図２Ａ〜図１４を参照しながら以下で与える。
【００２６】
[0046]次に図２Ａを参照すると、図２００は、ＬＴＥ−ＵをサポートするＬＴＥネットワークのための補足ダウンリンクモードおよびキャリアアグリゲーションモードの例を示している。図２００は、図１のシステム１００の部分の一例であり得る。その上、基地局１０５−ａは図１の基地局１０５の一例であり得、ＵＥ１１５−ａは図１のＵＥ１１５の例であり得る。
【００２７】
[0047]図２００における補足ダウンリンクモードの例では、基地局１０５−ａは、ダウンリンク２０５を使用してＵＥ１１５−ａにＯＦＤＭＡ通信信号を送信し得る。ダウンリンク２０５は無認可スペクトル中の周波数Ｆ１に関連付けられる。基地局１０５−ａは、双方向リンク２１０を使用して同じＵＥ１１５−ａにＯＦＤＭＡ通信信号を送信し得、双方向リンク２１０を使用してＵＥ１１５−ａからＳＣ−ＦＤＭＡ通信信号を受信し得る。双方向リンク２１０は認可スペクトル中の周波数Ｆ４に関連付けられる。無認可スペクトル中のダウンリンク２０５と認可スペクトル中の双方向リンク２１０とはコンカレントに動作し得る。ダウンリンク２０５は基地局１０５−ａにダウンリンク容量オフロードを与え得る。いくつかの実施形態では、ダウンリンク２０５は、（たとえば、１つのＵＥにアドレス指定される）ユニキャストサービスサービスのために、または（たとえば、いくつかのＵＥにアドレス指定される）マルチキャストサービスのために使用され得る。このシナリオは、認可スペクトルを使用し、トラフィックおよび／またはシグナリング輻輳の一部を軽減する必要がある、サービスプロバイダ（たとえば、旧来のモバイルネットワーク事業者またはＭＮＯ）に関して発生し得る。
【００２８】
[0048]図２００におけるキャリアアグリゲーションモードの一例では、基地局１０５−ａは、双方向リンク２１５を使用してＵＥ１１５−ａにＯＦＤＭＡ通信信号を送信し得、双方向リンク２１５を使用して同じＵＥ１１５−ａからＳＣ−ＦＤＭＡ通信信号を受信し得る。双方向リンク２１５は無認可スペクトル中の周波数Ｆ１に関連付けられる。基地局１０５−ａはまた、双方向リンク２２０を使用して同じＵＥ１１５−ａにＯＦＤＭＡ通信信号を送信し得、双方向リンク２２０を使用して同じＵＥ１１５−ａからＳＣ−ＦＤＭＡ通信信号を受信し得る。双方向リンク２２０は認可スペクトル中の周波数Ｆ２に関連付けられる。双方向リンク２１５は基地局１０５−ａにダウンリンクおよびアップリンク容量オフロードを与え得る。上記で説明した補足ダウンリンクのように、このシナリオは、認可スペクトルを使用し、トラフィックおよび／またはシグナリング輻輳の一部を軽減する必要がある、任意のサービスプロバイダ（たとえば、ＭＮＯ）に関して発生し得る。
【００２９】
[0049]図２００におけるキャリアアグリゲーションモードの別の例では、基地局１０５−ａは、双方向リンク２２５を使用してＵＥ１１５−ａにＯＦＤＭＡ通信信号を送信し得、双方向リンク２２５を使用して同じＵＥ１１５−ａからＳＣ−ＦＤＭＡ通信信号を受信し得る。双方向リンク２２５は無認可スペクトル中の周波数Ｆ３に関連付けられる。基地局１０５−ａはまた、双方向リンク２３０を使用して同じＵＥ１１５−ａにＯＦＤＭＡ通信信号を送信し得、双方向リンク２３０を使用して同じＵＥ１１５−ａからＳＣ−ＦＤＭＡ通信信号を受信し得る。双方向リンク２３０は認可スペクトル中の周波数Ｆ２に関連付けられる。双方向リンク２２５は基地局１０５−ａにダウンリンクおよびアップリンク容量オフロードを与え得る。この例および上記で与えた例は説明の目的で提示され、容量オフロードのために、無認可スペクトルを用いるまたは用いないＬＴＥ／ＬＴＥ−Ｕを組み合わせる他の同様の動作モードまたは展開シナリオがあり得る。
【００３０】
[0050]上記で説明したように、ＬＴＥ−Ｕを使用することによって提供される容量オフロードから恩恵を受け得る一般的なサービスプロバイダは、ＬＴＥスペクトルを用いる旧来のＭＮＯである。これらのサービスプロバイダの場合、動作構成は、認可スペクトル上のＬＴＥプライマリコンポーネントキャリア（ＰＣＣ）と無認可スペクトル上のＬＴＥセカンダリコンポーネントキャリア（ＳＣＣ）とを使用するブートストラップモード（たとえば、補足ダウンリンク、キャリアアグリゲーション）を含み得る。
【００３１】
[0051]補足ダウンリンクモードでは、ＬＴＥ−Ｕのための制御はＬＴＥアップリンク（たとえば、双方向リンク２１０のアップリンク部分）上でトランスポートされ得る。ダウンリンク容量オフロードを与える理由の１つは、データ需要が大部分はダウンリンク消費によって引き起こされるからである。その上、このモードでは、ＵＥが無認可スペクトル中で送信していないので、規制上の影響がないことがある。ＵＥ上でリッスンビフォアトーク（ＬＢＴ：listen-before-talk）またはキャリアセンス多重アクセス（ＣＳＭＡ：carrier sense multiple access）要件を実装する必要はない。しかしながら、ＬＢＴは、たとえば、周期（たとえば、１０ミリ秒ごとの）クリアチャネルアセスメント（ＣＣＡ）および／または無線フレーム境界に整合されたグラブアンドリリンキッシュ（grab-and-relinquish）機構を使用することによって、基地局（たとえば、ｅＮＢ）上で実装され得る。
【００３２】
[0052]キャリアアグリゲーションモードでは、ＬＴＥ（たとえば、双方向リンク２１０、２２０、および２３０）においてデータおよび制御が通信され得、（たとえば、双方向リンク２１５および２２５）を用いるＬＴＥ−Ｕにおいてデータが通信され得る。ＬＴＥ−Ｕを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたる異なる対称性を伴うＴＤＤ−ＴＤＤキャリアアグリゲーションの範疇に入り得る。
【００３３】
[0053]図２Ｂに、ＬＴＥ−Ｕのためのスタンドアロンモードの一例を示す図２００−ａを示す。図２００−ａは、図１のシステム１００の部分の一例であり得る。その上、基地局１０５−ｂは、図１の基地局１０５および図２Ａの基地局１０５−ａの一例であり得、ＵＥ１１５−ｂは、図１のＵＥ１１５および図２ＡのＵＥ１１５−ａの一例であり得る。
【００３４】
[0054]図２００−ａにおけるスタンドアロンモードの例では、基地局１０５−ｂは、双方向リンク２４０を使用してＵＥ１１５−ｂにＯＦＤＭＡ通信信号を送信し得、双方向リンク２４０を使用してＵＥ１１５−ｂからＳＣ−ＦＤＭＡ通信信号を受信し得る。双方向リンク２４０は、図２Ａに関して上記で説明した無認可スペクトル中の周波数Ｆ３に関連付けられる。スタンドアロンモードは、スタジアム内アクセス（たとえば、ユニキャスト、マルチキャスト）など、非旧来型ワイヤレスアクセスシナリオにおいて使用され得る。この動作モードのための一般的なサービスプロバイダは、スタジアム所有者、ケーブル会社、イベント主催者、ホテル、企業、および認可スペクトルを有しない大企業であり得る。これらのサービスプロバイダの場合、スタンドアロンモードのための動作構成は無認可スペクトル上のＰＣＣを使用し得る。その上、ＬＢＴは、基地局とＵＥの両方上で実装され得る。
【００３５】
[0055]次に図３を参照すると、図３００は、様々な実施形態による、認可および無認可スペクトル中でＬＴＥをコンカレントに使用するときのキャリアアグリゲーションの一例を示している。図３００中のキャリアアグリゲーション方式は、図２Ａに関して上記で説明したハイブリッドＦＤＤ−ＴＤＤキャリアアグリゲーションに対応し得る。このタイプのキャリアアグリゲーションは、図１のシステム１００の少なくとも一部において使用され得る。その上、このタイプのキャリアアグリゲーションは、それぞれ、図１および図２Ａの基地局１０５および１０５−ａにおいて、および／またはそれぞれ、図１および図２ＡのＵＥ１１５および１１５−ａにおいて使用され得る。
【００３６】
[0056]この例では、ＦＤＤ（ＦＤＤ−ＬＴＥ）がダウンリンク中でＬＴＥに関して実行され得、第１のＴＤＤ（ＴＤＤ１）が、ＬＴＥ−Ｕに関して実行され得、第２のＴＤＤ（ＴＤＤ２）が認可スペクトルを用いるＬＴＥに関して実行され得、別のＦＤＤ（ＦＤＤ−ＬＴＥ）が認可スペクトルを用いるアップリンク中でＬＴＥに関して実行され得る。ＴＤＤ１は６：４のＤＬ：ＵＬ比を生じ、ＴＤＤ２についての比は７：３である。時間スケール上で、異なる有効ＤＬ：ＵＬ比は、３：１、１：３、２：２、３：１、２：２、および３：１である。この例は説明の目的で提示され、無認可スペクトルを用いるまたは用いないＬＴＥ／ＬＴＥ−Ｕの動作を組み合わせる他のキャリアアグリゲーション方式があり得る。
【００３７】
[0057]図４に、図１中の基地局／ｅＮＢのうちの１つであり得る基地局／ｅＮＢ１０５および図１中のＵＥのうちの１つであり得るＵＥ１１５の設計のブロック図を示す。ｅＮＢ１０５はアンテナ４３４ａ〜４３４ｔを装備し得、ＵＥ１１５はアンテナ４５２ａ〜４５２ｒを装備し得る。ｅＮＢ１０５において、送信プロセッサ４２０が、データソース４１２からデータを受信し、制御器／プロセッサ４４０から制御情報を受信し得る。制御情報は、物理ブロードキャストチャネル（ＰＢＣＨ：physical broadcast channel）、物理制御フォーマットインジケータチャネル（ＰＣＦＩＣＨ：physical control format indicator channel）、物理ハイブリッド自動再送要求インジケータチャネル（ＰＨＩＣＨ：physical hybrid automatic repeat request indicator channel）、物理ダウンリンク制御チャネル（ＰＤＣＣＨ：physical downlink control channel）などのためのものであり得る。データは物理ダウンリンク共有チャネル（ＰＤＳＣＨ：physical downlink shared channel）などのためのものであり得る。送信プロセッサ４２０は、データシンボルおよび制御シンボルを取得するために、それぞれデータおよび制御情報を処理（たとえば、符号化およびシンボルマッピング）し得る。送信プロセッサ４２０はまた、たとえば、プライマリ同期信号（ＰＳＳ：primary synchronization signal）、セカンダリ同期信号（ＳＳＳ：secondary synchronization signal）、およびセル固有基準信号のための基準シンボルを生成し得る。送信（ＴＸ）多入力多出力（ＭＩＭＯ）プロセッサ４３０が、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２は、出力サンプルストリームを取得するために、（たとえば、ＯＦＤＭなどのために）それぞれの出力シンボルストリームを処理し得る。各変調器４３２はさらに、ダウンリンク信号を取得するために、出力サンプルストリームを処理（たとえば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００３８】
[0058]ＵＥ１１５において、アンテナ４５２ａ〜４５２ｒが、ｅＮＢ１０５からダウンリンク信号を受信し得、それぞれ復調器（ＤＥＭＯＤ）４５４ａ〜４５４ｒに受信信号を与え得る。各復調器４５４は、入力サンプルを取得するために、それぞれの受信信号を調整（たとえば、フィルタ処理、増幅、ダウンコンバート、およびデジタル化）し得る。各復調器４５４は、さらに、受信シンボルを取得するために、（たとえば、ＯＦＤＭなどのために）入力サンプルを処理し得る。ＭＩＭＯ検出器４５６が、すべての復調器４５４ａ〜４５４ｒから受信シンボルを取得し、適用可能な場合は受信シンボルに対してＭＩＭＯ検出を実行し、検出されたシンボルを与え得る。受信プロセッサ４５８は、検出されたシンボルを処理（たとえば、復調、デインターリーブ、および復号）し、ＵＥ１１５の復号されたデータをデータシンク４６０に与え、復号された制御情報を制御器／プロセッサ４８０に与え得る。
【００３９】
[0059]アップリンク上では、ＵＥ１１５において、送信プロセッサ４６４が、データソース４６２から（たとえば、物理アップリンク共有チャネル（ＰＵＳＣＨ：physical uplink shared channel）のための）データを受信し、処理し得、制御器／プロセッサ４８０から（たとえば、物理アップリンク制御チャネル（ＰＵＣＣＨ：physical uplink control channel）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）変調器４５４ａ〜４５４ｒによって処理され、ｅＮＢ１０５に送信され得る。ｅＮＢ１０５において、ＵＥ１１５からのアップリンク信号は、アンテナ４３４によって受信され、復調器４３２によって処理され、適用可能な場合はＭＩＭＯ検出器４３６によって検出され、ＵＥ１１５によって送られた復号されたデータと制御情報とを取得するために、受信プロセッサ４３８によってさらに処理され得る。プロセッサ４３８は、復号されたデータをデータシンク４３９に与え、復号された制御情報を制御器／プロセッサ４４０に与え得る。
【００４０】
[0060]制御器／プロセッサ４４０および４８０は、それぞれ、ｅＮＢ１０５およびＵＥ１１５における動作を指示し得る。ｅＮＢ１０５における制御器／プロセッサ４４０ならびに／あるいは他のプロセッサおよびモジュールは、本明細書で説明する技法のための様々なプロセスを実行するか、またはその実行を指示し得る。ＵＥ１１５における制御器／プロセッサ４８０ならびに／あるいは他のプロセッサおよびモジュールはまた、図１１〜図１５に示されている機能ブロック、および／または本明細書で説明する技法のための他のプロセスを実行するか、またはその実行を指示し得る。メモリ４４２および４８２は、それぞれ、ｅＮＢ１０５およびＵＥ１１５のためのデータおよびプログラムコードを記憶し得る。スケジューラ４４４は、ダウンリンク上および／またはアップリンク上でのデータ送信のためにＵＥをスケジューリングし得る。
【００４１】
[0061]無認可スペクトルを使用するＬＴＥ−Ｕネットワークの最初に企図された構成は、フレームベース構造を使用して無認可スペクトルのアクセスを与える。ＬＴＥ−Ｕのためのフレームベース設計は、認可スペクトルを使用する標準ＬＴＥシステムと共有される共通設計要素を含む、多くの利点を提供する。しかしながら、フレームベースＬＴＥ−Ｕは、負荷ベースシステムと共存するとき、いくつかの基本的問題を有し得る。フレームベースシステムは、フレーム中に固定時間においてＣＣＡ検査を実行し、ここで、固定時間は、通常、フレームのごく一部（一般に約５％）である。たとえば、フレームベースシステムでは、ＣＣＡ検査は、スペシャルサブフレームのガード期間の後の７つのシンボルのうちの１つの中のスペシャルサブフレームにおいて行われ得る。負荷ベースシステムがチャネルを占有するとき、負荷ベースシステムの送信バースト間で生じる送信ギャップは、フレームベースシステムのＣＣＡ期間に入る可能性が低い。負荷ベースシステムは、概して、バッファが消耗されるまでチャネルをキャプチャする。
【００４２】
[0062]図５Ａは、同期した、フレームベースＬＴＥ−Ｕ通信システムにおける送信ストリーム５０を示すブロック図である。送信ストリーム５０は、ＬＴＥ無線フレーム５０４などのＬＴＥ無線フレームに分割され、そのような無線フレームの各々は、アップリンク通信（Ｕ）、ダウンリンク通信（Ｄ）、またはアップリンク通信を含み得るアップリンクパイロットタイムスロット（ＵｐＰＴＳ：uplink pilot time slot）（図示せず）と、ガード期間５０２などのガード期間と、ダウンリンク通信を含み得るダウンリンクパイロットタイムスロット（ＤｗＰＴＳ：downlink pilot time slot）５０７とを含むスペシャルサブフレーム（Ｓ’）のために構成され得る１０個のサブフレーム（サブフレーム０〜９）にさらに分割される。無認可キャリア上で通信を開始するより前に、送信ストリーム５０を発信する送信機は、固定の７つの可能な送信スロット、すなわち、ＣＣＡ機会５０３−Ａ〜５０３−Ｇのうちの１つにおいて、ダウンリンクＣＣＡ（ＤＣＣＡ）５００を送信する。送信機がクリアなＣＣＡを検出した場合、無認可チャネルは、送信機からの実際のデータ送信より前にチャネル使用ビーコン信号（ＣＵＢＳ：channel usage beacon signal）５０１によって占有される。ＣＣＡが行われると、送信機は、ＬＴＥ無線フレーム５０４など、無線フレーム長に付随する１０ｍｓの固定期間の間別のＣＣＡ検査を実行するように要求されない。
【００４３】
[0063]ＬＢＴプロシージャを採用する通信システムにおけるＣＵＢＳの主要な機能は、チャネルを予約することである。ＣＵＢＳは、概して、少なくとも送信機および／または受信機識別する（たとえば、基地局のためのセル識別子（ＩＤ）またはＰＬＭＮおよびＵＥまたはモバイルデバイスのためのセル無線ネットワーク一時識別子（Ｃ−ＲＮＴＩ：cell radio network temporary identifier））を搬送する周波数再使用を用いる広帯域信号である。ＣＵＢＳのための送信電力は、ＣＣＡしきい値にもリンクされ得る。さらに、ＣＵＢＳは、受信機において自動利得制御（ＡＧＣ：automatic gain control）を設定するのを助けるために使用され得る。これらの観点から、チャネル帯域幅の８０％にわたるいかなる信号も、十分であり得る。ＣＵＢＳの第３の機能は、ＣＣＡ検査が成功したという通知を受信機に与える。この情報を用いて、受信機は、送信機からのデータ送信を予想することができる。
【００４４】
[0064]競合する展開が送信ストリーム５０を発信する送信機の近傍にあるとき、送信機はＣＣＡ機会５０３−Ａ〜５０３−Ｇのうちの１つを割り当てられ、競合する展開はＣＣＡ機会５０３−Ａ〜５０３−Ｇのうちの他のものを割り当てられ得る。ＣＣＡ機会５０３−Ａ〜５０３−Ｇのうちのより早いＣＣＡ機会においてＣＣＡのために割り当てられた展開は、競合する展開がＣＣＡを試みる前にクリアなＣＣＡを検出し、ＣＵＢＳ送信を開始し得る可能性がある。後続のＣＣＡ試みは、その場合、ＣＵＢＳ送信の検出によって失敗する。たとえば、図５Ａに示されている代替の態様では、送信機は、ＣＣＡ検査のためのＣＣＡ機会５０３−Ｃを割り当てられる。送信機は、クリアなＣＣＡを検出し、直ちにＣＵＢＳ５０６を送信し始める。ＣＣＡ機会５０３−Ｄ〜５０３−Ｇのいずれかに割り当てられた競合する展開がＣＵＢＳ５０６を検出することになり、それらのそれぞれのＣＣＡ検査は失敗することになる。
【００４５】
[0065]本開示の様々な態様は、負荷ベースシステムとして設計された無認可スペクトルを用いるＬＴＥ−Ｕネットワークを提供するであろう。負荷ベース設計は、次いで、無認可スペクトル上でのデータ送信により効率的に関与するために、別の負荷ベースシステムによって作成されたランダムギャップを利用し得る。そのような負荷ベースＬＴＥ−Ｕネットワークを実装するためにとられるアクションのうちの１つは、特定のパブリックランドモバイル番号（ＰＬＭＮ：public land mobile number）のノードの各々がランダムな時間に空のチャネルを求めて競合するとき、これらのノードを同期させることである。同じＰＬＭＮ内のノードの同期はまた、ＷｉＦｉ、８０２．１１、８０２．１５など、他の無認可スペクトル技術と競合するときの利点である。しかしながら、これらの他の無認可スペクトル技術は、ノード密度が増加するときに再使用係数を減少させる傾向がある。
【００４６】
[0066]負荷ベースＬＴＥ−Ｕネットワークを実装する際に、課題は、より細かいタイミンググラニュラリティを既存のＬＴＥヌメロロジー（numerology）に適合させることであることに留意されたい。たとえば、ＬＴＥは、７１．４μｓ  ＯＦＤＭシンボルヌメロロジーを有する。このＯＦＤＭシンボルヌメロロジーは、より圧縮されたＣＣＡウィンドウに適応される必要があるであろう。
【００４７】
[0067]図５Ｂは、同期した、負荷ベースＬＴＥ−Ｕ通信システムにおける無認可キャリア５０５のための２８個（０〜２７）の送信スロットのシーケンスを示すブロック図である。無認可キャリア５０５は、３つの送信機ＴＸ１〜３によって共有される。送信機ＴＸ１〜３は、基地局またはｅＮＢ内に位置する送信機であり得るか、あるいはモバイルデバイスまたはＵＥ内に位置し得る。負荷ベースＬＢＴ送信システムでは、送信機は、フレームベースシステムにおいて固定ＣＣＡ機会を待つ代わりに、データがバッファに記憶されるとき、チャネルをキャプチャし、バッファデータを送信することを試みる。図５Ｂに示されている動作の一例では、スロット１において、ＴＸ１は、それのバッファ中のデータを受信し、無認可キャリア５０５をキャプチャするためにＬＢＴプロシージャを実行する。成功したＬＢＴプロシージャの後に、ＴＸ１は、スロット１においてそれの送信バーストを開始し、スロット７まで送信を続ける。スロット２において、ＴＸ２は、それのバッファ中のデータを受信し、無認可キャリア５０５をキャプチャすることを試みる。しかしながら、ＴＸ１が無認可キャリア５０５上ですでに送信しているので、ＴＸ２は、チャネルが再びクリアになるまで送信を阻止される。同様に、スロット４において、ＴＸ３は、送信を開始する準備ができており、無認可キャリア５０５をキャプチャすることを試みるが、チャネルが再びクリアになるまで送信を阻止される。
【００４８】
[0068]スロット１２において、ＴＸ２とＴＸ３の両方が、バッファデータの送信のために無認可キャリア５０５をキャプチャすることを試みる。無認可キャリア５０５がスロット１２においてクリアであるので、ＴＸ２とＴＸ３の両方は、スロット１２においてスロット１３までデータ送信を開始する。
【００４９】
[0069]スロット１７において、ＴＸ２は、バッファデータを再び送信する準備ができており、無認可キャリア５０５をキャプチャすることを試みる。他のいかなる送信も検出されなければ、ＴＸ２は、スロット１７においてスロット２２までデータを送信することを開始する。スロット１８において、ＴＸ３は、バッファデータを受信し、送信する準備ができている。ＴＸ３は無認可キャリア５０５をキャプチャすることを試みるが、ＴＸ２からの送信のために、ＬＢＴは失敗し、したがって、ＴＸ３は、チャネルが再びクリアになるまで送信を阻止される。同様に、ＴＸ１は、スロット２０において送信を開始する準備ができている。しかしながら、ＴＸ１も、チャネルが再びクリアになるまで、無認可キャリア５０５上で送信することを阻止される。
【００５０】
[0070]無認可キャリア５０５がスロット２３において再びクリアになると、ＴＸ１は無認可キャリア５０５のキャプチャを再び試みる準備ができている。ＴＸ２も、スロット２４において、データを受信し、再び送信する準備ができている。ＴＸ２はまた、送信のために無認可キャリア５０５をキャプチャすることを試みる。ＴＸ１またはＴＸ２のいずれかによって検出された無認可キャリア５０５上で生じる他のいかなる送信もないので、ＴＸ１とＴＸ２の両方は、スロット２４において送信を開始し、スロット２７まで続く。図示のように、ＴＸ１〜３の各々は、それらの負荷に従って送信を試みる。
【００５１】
[0071]図６Ａは、ｎ＝５の第１の拡張ＣＣＡ（ＥＣＣＡ）カウントダウンおよびｎ＝４の第２のＥＣＣＡカウントダウンが、干渉を受けていない２つの無認可キャリア（チャネル１およびチャネル２）に対して送信機によって実行される、負荷ベースリッスンビフォアトーク（ＬＢＴ）プロシージャを示す図６００である。ＥＣＣＡカウントダウンでは、無認可キャリアは、送信より前に係数ｎ個のタイムスロットとＣＣＡ観測時間との積の間観測される。たとえば、ｎは、送信より前に観測される必要があるクリアアイドルスロットの数を定義する。一態様では、カウンタは、ＥＣＣＡカウントダウン中のタイムスロットが占有されていない（たとえば、ＣＣＡスロットの各々中に送信機によって検出されたエネルギーレベルが、チャネルがクリアであることを示すしきい値未満である）と見なされるたびに減分され得る。カウンタが０に到達するとき、送信は行われ得る。たとえば、図５Ｂを参照すると、送信機ＴＸ１〜３のうちの１つがＥＣＣＡシナリオにおける送信のために無認可キャリア５０５をキャプチャすることを試みるとき、所定の数のｎ個のタイムスロットは、送信が行われ得る前にクリアである必要があるであろう。例として、再び図５Ｂを参照すると、ｎ＝４であり、ＴＸ２のためのＥＣＣＡカウントダウンがタイムスロット８中で開始する場合、タイムスロット８〜１１は、ＴＸ２がタイムスロット１２中で無認可キャリア５０５をキャプチャし、送信を開始することができる前に、クリアである必要がある。
【００５２】
[0072]図６Ｂは、ｎ＝５の第１のＥＣＣＡカウントダウンおよびｎ＝４の第２のＥＣＣＡカウントダウンが、対称干渉を受けている２つの無認可キャリア（たとえば、チャネル１およびチャネル２）に対して送信機によって実行される、負荷ベースリッスンビフォアトーク（ＬＢＴ）プロシージャを示す図６２０である。たとえば、対称干渉は、プライマリ２０ＭＨｚチャネル上のＷｉＦｉビーコンおよび管理フレーム、制御およびデータパケットのための２０ＭＨｚと４０ＭＨｚと８０ＭＨｚとの間での帯域幅切替え、ならびに／または送信機の極近傍においてキャリアのサブセットを使用する干渉物によって引き起こされ得る。
【００５３】
[0073]図６Ｂでは、チャネル１およびチャネル２がＥＣＣＡカウントダウンの第３および第４タイムスロット中に同じ干渉を受けるので、それらのそれぞれのＥＣＣＡカウントダウンの同期は、チャネル１とチャネル２の両方がＥＣＣＡカウントダウンの持続時間全体にわたって各々と同期して動作するので、そのままにとどまる。言い換えれば、カウンタは、第７のタイムスロット中にチャネル１とチャネル２の両方について０に到達する。したがって、送信機は、同時に各チャネルのためのＥＣＣＡカウントダウンの終了に到達し、その後、各チャネル上でデータを正常に送信し得る。
【００５４】
[0074]図６Ｃは、ｎ＝５の第１のＥＣＣＡカウントダウンおよびｎ＝４の第２のＥＣＣＡカウントダウンが、非対称干渉を受けている２つの無認可キャリア（たとえば、チャネル１およびチャネル２）に対して送信機によって実行される、負荷ベースリッスンビフォアトーク（ＬＢＴ）プロシージャを示す図６４０である。たとえば、非対称干渉は、プライマリ２０ＭＨｚチャネル上のＷｉＦｉビーコンおよび管理フレーム、制御およびデータパケットのための２０ＭＨｚと４０ＭＨｚと８０ＭＨｚとの間での帯域幅切替え、ならびに／または送信機の極近傍においてキャリアのサブセットを使用する干渉物によって引き起こされ得る。
【００５５】
[0075]図６Ｃでは、チャネル１は、チャネル２が受ける干渉を受けない。したがって、５個の連続するタイムスロットが干渉を受けないので、チャネル１の第１のＥＣＣＡカウントダウンはストールしない。したがって、送信機がチャネル１のための第１のＥＣＣＡカウントダウンの終了（たとえば、第５のタイムスロット）に到達するとき、送信機はチャネル１上でデータを送信し得る。しかしながら、送信機がチャネル１のための第１のＥＣＣＡカウントダウンの終了に到達するとき、チャネル２に対する第１のＥＣＣＡカウントダウンの第３および第４のタイムスロット中に受ける干渉のために、チャネル２に対する第１のＥＣＣＡカウントダウンは、まだ終わっていない。したがって、送信機がチャネル１上でデータを送信する時間中に、送信機は、チャネル１からチャネル２へのＲＦ漏れのためにチャネル２をコンカレントに自己ジャミングする。チャネル１からチャネル２へのＲＦ漏れは、チャネル２に対する第１のＥＣＣＡカウントダウンを失敗させる。時間的に後で、チャネル１上でデータがもはや送信されないとき、送信機は、チャネル２に対する第１のＥＣＣＡカウントダウンを再開し得、前に使用されたカウントダウン番号（たとえば、「２」とラベルされる第６のタイムスロット）から続ける。チャネル２のための第１のＥＣＣＡカウントダウンが終了（たとえば、「１」とラベルされる第７のタイムスロット）に最終的に到達するとき、送信機は、チャネル２上でデータを送信し得る。しかしながら、この時点で、チャネル１のための第２のＥＣＣＡカウントダウンは、もはやチャネル２のための第２のＥＣＣＡカウントダウンと同期していない。したがって、送信機がチャネル２上でデータを送信する時間中に、送信機は、チャネル２からチャネル１へのＲＦ漏れのためにチャネル１をコンカレントに自己ジャミングする。チャネル２からチャネル１へのＲＦ漏れは、その場合、チャネル１に対する第２のＥＣＣＡカウントダウンをストールさせる。プロセスは、チャネル１とチャネル２とに対するＥＣＣＡカウントダウンが同期されていない限り、チャネル１とチャネル２との間で反復し続け得る。
【００５６】
[0076]一態様では、２つのキャリア間の再同期は、アクティブなキャリアのうちの１つ上でのデータ送信が完了しており、バッファが空であり、キャリアのＥＣＣＡカウントダウン（ｎ値）が、すべてのキャリアに対するＣＣＡが同時に終了するようなものであるとき、実現可能であり得る。しかしながら、これが発生する確率は、特に３つ以上の隣接するキャリアが関係するときに低いことがある。一態様では、Ｎ個のアクティブな隣接するキャリアについて、自己ジャミングの影響は、（１−１／Ｎ）＊１００％によって上限が定められ、（１／Ｎ）＊１００％によって下限が定められるスループット損失によって定義され得る。したがって、２つの隣接するキャリアが使用されるとき、影響は約５０％のスループット損失であり得る。
【００５７】
[0077]本開示は、非対称干渉による自己ジャミングを低減する隣接するチャネルを介したマルチキャリア送信のための方法および装置を提供する。一態様では、ＣＣＡが帯域幅全体にわたって一緒に実行されるように、大帯域幅ＬＢＥキャリアが提供され得る。別の態様では、２つのキャリアを同期させるために追加のＣＣＡタイムスロットが使用され得る。さらなる態様では、拡張ＣＣＡはプライマリ無認可キャリアに対して実行され得、単純ＣＣＡはセカンダリ無認可キャリアに対して実行され得る。また別の態様では、ＬＢＥはいくつかのキャリア上で実装され得、ＦＢＥは他のキャリア上で実装され得る。
【００５８】
[0078]図７は、ｎ＝５のＥＣＣＡカウントダウンおよびｎ＝４の第２のＥＣＣＡカウントダウンが、非対称干渉を受けている２つの無認可キャリア（たとえば、チャネル１およびチャネル２）に対して送信機によって実行される、負荷ベースリッスンビフォアトーク（ＬＢＴ）プロシージャを示す図７００である。図７では、いくつかのキャリア（たとえば、チャネル１）は、他のキャリア（たとえば、チャネル２）が干渉を受けるとき、他のキャリア（たとえば、チャネル２）に「キャッチアップ」させるために、数個の余剰タイムスロットの間アイドルであり得る。これは、アイドル時間制御と等価であり得る。たとえば、チャネル上でデータを送信した後に、送信機は、トラフィックを適用する前にチャネルがアイドルであることを保証するために、次のＥＣＣＡカウントダウンを実行するより前に、チャネルを解放し、アイドル時間制御に入ることができる。一態様では、アイドル時間制御は、所定の持続時間、たとえば、送信機が送信中にチャネルをその間に占有するキャリア占有の少なくとも５％を有することができる。図７中のアイドル余剰タイムスロットは、アイドル時間制御と同様であり得る。遅れているキャリア（たとえば、チャネル２）のためにＥＣＣＡカウントダウン中の最終タイムスロットが到達されるとき、送信機は、アイドルキャリア（チャネル１）に対してＣＣＡを実行し、チャネル１とチャネル２の両方に対するＣＣＡがクリアになる場合、両方のチャネル上で送信することを開始し得る。チャネル１に対して実行されたＣＣＡがクリアにならず、チャネル２のＣＣＡがクリアになる場合、送信機は、チャネル２上で送信すること、またはチャネル１が「キャッチアップ」するのを待つために数個のタイムスロットの間アイドルのままであることを選定し、次いで、チャネル２に対する次のＣＣＡがクリアになると仮定すると、両方のチャネル上で送信することができる。同様に、チャネル１のＣＣＡがクリアになるが、チャネル２のＣＣＡがクリアにならない場合、送信機は、チャネル１上で送信すること、またはチャネル２がキャッチアップするのを待つためにチャネル１上の数個の追加のタイムスロットの間アイドルのままであることを選定することができる。たとえば、ＣＣＡは、ＥＣＣＡ中のタイムスロットの各々中に検出されたエネルギーレベルが、チャネルがクリアであることを示すしきい値未満であるとき、クリアになる。
【００５９】
[0079]一態様では、送信機は、アイドルのままであるべきタイムスロットの最大数に対してしきい値を設定し得る。しきい値は、ｅＮＢの学習と履歴とに基づいて変動することができる。送信機は、アイドルタイムスロットの数がしきい値に到達する場合、送信し得る。
【００６０】
[0080]別の態様では、送信機は、ＥＣＣＡのためのデューティサイクルを追跡し得、ここにおいて、デューティサイクル＝（他のキャリアのＥＣＣＡを待つアイドル時間）／（ＥＣＣＡに費やされた合計時間＋他のキャリアのＥＣＣＡを待つアイドル時間）である。デューティサイクルが、選択されたしきい値を超える場合、送信機は、他のキャリアを無視し、アイドルキャリア上で送信することを開始し得る。再同期は、次の無線フレーム境界において、またはあらかじめ定義された非同期持続時間の後に行われ得る。
【００６１】
[0081]一態様では、ｅＮＢは、いくつかのメトリックに基づいて、アイドルタイムスロットの数、デューティサイクルしきい値、および／または非同期持続時間を学習し、最適化することができる。たとえば、アイドルタイムスロットの数は、アイドルキャリア（たとえば、チャネル１）がアイドルである、ＥＣＣＡタイムスロットの終了を過ぎたタイムスロットの数を含むことができる。デューティサイクルしきい値は、遅れているキャリアにかかわらずデータがアイドルキャリア上で送信され得るかどうかを決定するために、送信機によって使用され得る。非同期持続時間は、２つのキャリアがそれらのキャリアうちの１つ上の干渉により同期されない持続時間またはタイムスロットの数であり得る。たとえば、メトリックは、キャリア（たとえば、チャネル１およびチャネル２）間の現在のタイムスロット差と、スループットおよび遅延の必要と、ＣＣＡクリアランス範囲内の干渉物のアクティビティと、干渉監視（たとえば、すべてのチャネル上の対称または非対称干渉）の帯域幅と、追加の待ち時間によりチャネルを失う確率とを含み得る。
【００６２】
[0082]図８は、第１のＥＣＣＡカウントダウンと第２のＥＣＣＡカウントダウンの両方がｎ＝４のものであり、プライマリチャネルにおいて送信機によって実行され、単純ＣＣＡがセカンダリチャネルに対して実行されるマルチキャリア送信プロシージャを示す図８００である。
【００６３】
[0083]図８を参照すると、すべてのキャリアは２つのグループに分類され得る。たとえば、グループ１はＥＣＣＡチャネル（たとえば、チャネル１）を含み得、グループ２は単純ＣＣＡチャネル（たとえば、チャネル２）を含み得る。送信機は、送信機がグループ１中のチャネル上で送信を開始する直前のタイムスロットにおいて、グループ２中のチャネルに対してＣＣＡを実行し得る。これは、自己ジャミングがないことを保証する。グループ１が複数のチャネルを有する場合、図７に関して上記で説明した動作は、そのグループ内のチャネルを同期させるために使用され得る。
【００６４】
[0084]チャネル１において「１」とラベルされるタイムスロット中で実行されたＣＣＡが失敗した場合、送信は、チャネル１またはチャネル２のいずれの上でも行われない。代わりに、送信機は、データを送信する前にＣＣＡがチャネル１とチャネル２の両方においてクリアになる次のインスタンスまで待つ。
【００６５】
[0085]代替的に、遅れているキャリア（チャネル１）のために最終ＥＣＣＡタイムスロットが到達されるとき、送信機は、遅れているキャリア（チャネル１）および他のキャリア（たとえば、チャネル２）に対してＣＣＡを実行し、それぞれのＣＣＡがクリアになる場合、それらのキャリアのいずれかまたは両方上で送信することを開始し得る。
【００６６】
[0086]図９は、ＬＢＥキャリアおよびＦＢＥキャリアが一緒に使用される隣接するチャネルを介したマルチキャリア送信を示す図９００である。図９を参照すると、すべてのキャリアは２つのグループに分類され得る。たとえば、グループ１はＬＢＥチャネル（たとえば、チャネル１）を含み得、グループ２はＦＢＥチャネル（たとえば、チャネル２）を含み得る。
【００６７】
[0087]一態様では、送信機は、ＬＢＥチャネルの最終ＥＣＣＡタイムスロットにおいてＦＢＥチャネルのためのＣＣＡを実行する。しかしながら、ＦＢＥチャネルのためのＣＣＡのロケーションは、ＦＢＥフレーム構造上の制限により（たとえば、Ｓ’サブフレームに）制約され得る。したがって、送信機は、ＬＢＥチャネルの最終ＥＣＣＡタイムスロットより前のタイムスロットにおいてＦＢＥチャネルのためのＣＣＡを実行し得る。たとえば、ＦＢＥチャネルのためのＣＣＡはしきい値タイムスロットにおいて実行され得、ここにおいて、しきい値タイムスロットは、ワーストケースＣＣＡがＦＢＥチャネルを待った後であるが、ＬＢＥチャネルの最終ＥＣＣＡタイムスロットの前に生じるタイムスロットである。送信機は、次いで、ＣＣＡがクリアである場合、ＦＢＥチャネル上でデータを送信し得る。代替的に、送信機は、ＬＢＥチャネルの最終ＥＣＣＡタイムスロットがＦＢＥチャネルのしきい値タイムスロットを過ぎて生じるとき、ＦＢＥチャネル上でアイドルのままであることを選定し得る。
【００６８】
[0088]ＬＢＥチャネルは、枯渇がないことを保証することができる。ＦＢＥチャネルのＣＣＡロケーションに関する制約により、ＦＢＥチャネルがデータを送信することを開始すると、送信機は、ＦＢＥチャネルからのＲＦ漏れによりＬＢＥチャネルをジャミングすることがあり、これは、ＬＢＥチャネルに対するＥＣＣＡカウントダウンを失敗させる。
【００６９】
[0089]一態様では、送信機は、隣接するチャネルを使用してマルチキャリアアップリンク送信を実行するＵＥであり得る。ＵＥのためのＣＣＡプロシージャは、隣接するチャネルを使用してマルチキャリアダウンリンク送信を実行するｅＮＢのためのＣＣＡプロシージャと同じであり得る。さらなる態様では、ＵＥのマルチキャリアアップリンク送信は、ｅＮＢによってスケジュールされ得る。ｅＮＢは、キャリア（または許可）のいずれかが、ＵＥにおけるＣＣＡプロシージャをバイアスする優先度を有するかどうかを示し得る。ｅＮＢはまた、両方のキャリア上で物理アップリンク制御チャネルリソースを予約し、ＵＥに、利用可能性に応じてキャリアのうちの１つを使用するように命令し得る。
【００７０】
[0090]図１０Ａは、ｎ＝５のＥＣＣＡカウントダウンが４つの無認可キャリア（たとえば、チャネル１、チャネル２、チャネル３、およびチャネル４）に対して送信機によって実行され、４つの無認可キャリアのうちの２つ（たとえば、チャネル３およびチャネル４）がＥＣＣＡカウントダウン中に干渉を受けるリッスンビフォアトーク（ＬＢＴ）プロシージャを示す図１０００である。たとえば、干渉は、プライマリ２０ＭＨｚチャネル上のＷｉＦｉビーコンおよび管理フレーム、制御およびデータパケットのための２０ＭＨｚと４０ＭＨｚと８０ＭＨｚとの間での帯域幅切替え、ならびに／または送信機の極近傍においてキャリアのサブセットを使用する干渉物によって引き起こされ得る。
【００７１】
[0091]図１０Ａを参照すると、送信機がチャネルに対するＥＣＣＡカウントダウンを完了すると、送信機はそのチャネル上で自己遅延状態に入り得る。たとえば、自己遅延状態は、送信機がその間にＬＢＴ同期境界（ＬＳＢ：LBT synchronization boundary）を待つアイドル期間であり得る。これは、各４つの無認可キャリアのＥＣＣＡカウントダウンのための時間が、各チャネルのための初期ＣＣＡ（ＩＣＣＡ）を決定するより前に完了されることを可能にし得る。たとえば、図１０Ａを参照すると、チャネル３およびチャネル４は両方とも、ＥＣＣＡカウントダウン中にタイムスロット３および４中で干渉を受け、したがって、チャネル３およびチャネル４のＥＣＣＡは、チャネル１およびチャネル２のＥＣＣＡより後のタイムスロット中で終了する。チャネル３およびチャネル４の自己遅延期間は、チャネル３およびチャネル４に対するＥＣＣＡを完了するために必要とされる余剰タイムスロットにより、チャネル１およびチャネル２の自己遅延期間よりも短い。
【００７２】
[0092]ＬＳＢが４つのチャネルの各々の自己遅延期間の終了時に到達されるとき、送信機は、４つのチャネルの各々に対して初期ＣＣＡ（ＩＣＣＡ）を実行することができる。チャネルのためのＣＣＡがクリアになる場合、送信機は、同期送信境界（ＳＴＢ：synchronous transmission boundary）の開始時にそのチャネル上でデータを自由に送信することができる。代替的に、送信機は、チャネルのすべてのためのＩＣＣＡがクリアであるとき、チャネルの各々上でデータを送信し得る。
【００７３】
[0093]図１０Ｂは、ｎ＝５のＥＣＣＡカウントダウンが４つの無認可キャリア（たとえば、チャネル１、チャネル２、チャネル３、およびチャネル４）に対して送信機によって実行されるリッスンビフォアトーク（ＬＢＴ）プロシージャを示す図１０２０である。図１０Ｂに示されるように、ＥＣＣＡカウントダウンを完了した後、チャネル３は自己遅延状態中およびＩＣＣＡ中に干渉を受ける。チャネル４は、チャネル４に対するＥＣＣＡカウントダウンが、ＬＢＳに到達する前に完了されることを可能にしない干渉を、ＥＣＣＡカウントダウン中に受ける。たとえば、干渉は、プライマリ２０ＭＨｚチャネル上のＷｉＦｉビーコンおよび管理フレーム、制御およびデータパケットのための２０ＭＨｚと４０ＭＨｚと８０ＭＨｚとの間での帯域幅切替え、ならびに／または送信機の極近傍においてキャリアのサブセットを使用する干渉物によって引き起こされ得る。
【００７４】
[0094]図１０Ｂを参照すると、チャネル１およびチャネル２は干渉を受けず、両方のチャネルはＥＣＣＡカウントダウンの完了の後に自己遅延状態に入る。たとえば、自己遅延状態は、送信機がその間にＬＢＴ同期境界（ＬＳＢ）を待つアイドル期間であり得る。ＬＳＢ境界が到達されると、送信機は、チャネル１およびチャネル２に対してＩＣＣＡを実行し、チャネル１および／またはチャネル２のためのＩＣＣＡがクリアになる場合、ＳＴＢの開始時にそのチャネル上でデータを送信する。チャネル３はまた、ＥＣＣＡカウントダウンを完了するが、次いで、送信機がチャネル３のＩＣＣＡを実行することを阻止する干渉を、自己遅延状態中におよびＬＳＢを過ぎて受ける。したがって、送信機は、ＩＣＣＡが阻止されることにより、チャネル３上でデータを送信することができない。
【００７５】
[0095]さらに図１０Ｂを参照すると、チャネル４は、送信機が、ＬＳＢの前にチャネル４のＥＣＣＡカウントダウンを完了することを可能にしない干渉を、ＥＣＣＡカウントダウン中に受ける。したがって、送信機はチャネル４のＩＣＣＡを実行することができず、データは、ＥＣＣＡカウントダウンが完了されなかったので、チャネル４上で送信されない。
【００７６】
[0096]図１１は、ワイヤレス通信の方法のフローチャート１１００である。本方法は、デバイス（たとえば、ＵＥ１１５、１１５−ａ、１１５−ｂまたは基地局１０５、１０５−ａ、１０５−ｂ）によって実行され得る。破線で示される動作が、本開示の様々な態様のための随意の動作を表すことを理解されたい。
【００７７】
[0097]一態様では、デバイスがＵＥ（たとえば、ＵＥ１１５）として実施される場合、ステップ１１０２において、デバイスは、少なくとも２つの無認可キャリアのうちの１つまたは複数を介して送信するためのスケジュールから受信し得る。スケジュールは、認可キャリアまたは無認可キャリア上で受信され得る。さらに、スケジュールは、基地局または別のネットワークエンティティから受信され得る。たとえば、図２Ｂを参照すると、基地局１０５−ｂは、双方向リンク２４０を使用して、ＯＦＤＭＡ通信信号をＵＥ１１５−ｂに送信し得る。双方向リンク２４０は、少なくとも２つの無認可キャリアを含み、図２Ａに関して上記で説明した無認可スペクトルにおける周波数Ｆ３に関連付けられ得る。基地局１０５−ｂからＵＥ１１５−ｂに送信されたＯＦＤＭＡ通信信号は、ＵＥ１１５−ｂが少なくとも２つの無認可キャリアのうちの１つまたは複数を介して送信するために使用することができるスケジュールを含み得る。スケジュールは、第１の無認可キャリア上でアイドルのままであるためのタイムスロットの最大数、第１の無認可キャリアまたは第２の無認可キャリアのうちの少なくとも１つ上のリソース許可の有効性、および／あるいは基地局への送信のための無認可キャリアの間の優先度を示し得る。スケジュールはまた、物理アップリンク制御チャネル（ＰＵＣＣＨ）を送信することに関係する情報を含み得る。一態様では、スケジュールは、無認可スペクトルのどのキャリアがプライマリキャリアであるかと、無認可スペクトルのどのキャリアがセカンダリキャリアであるかとを、ＵＥ１１５−ｂに示すことができる。たとえば、スケジュールは、ＣＣＡプロシージャのためにＵＥ１１５−ｂが使用することができるパラメータを示すことができる。スケジュールはまた、ＥＣＣＡカウントダウンを受信するキャリア（たとえば、プライマリキャリアおよび／またはセカンダリキャリア）と、どのキャリア（たとえば、プライマリキャリアおよび／または第２のキャリア）がＣＣＡ検査を受信するかとを示し得る。一態様では、スケジュールは、ＰＵＣＣＨを送信するためのプライマリキャリアおよび／または第２のキャリア上のリソースをＵＥ１１５−ｂに示すことができる。たとえば、スケジュールが、ＰＵＣＣＨを送信するためのプライマリキャリアとセカンダリキャリアの両方上で予約されるリソースを指定する場合、ＵＥ１１５−ｂは、ＣＣＡ検査に合格するために、第１のキャリアの予約されたリソースを使用してＰＵＣＣＨを送信することができる。一態様では、スケジュールは、プライマリキャリアおよび／またはセカンダリキャリアのうちどちらがデータを送信することに関して優先度を割り当てられるかを含むことができる。たとえば、優先度は、そのキャリアのＣＣＡチェックアウト、信号対雑音比、および／または周波数に基づいて割り当てられ得る。
【００７８】
[0098]ステップ１１０４において、デバイスは、少なくとも２つの無認可キャリアを介した送信のためのデータを受信し、少なくとも２つの無認可キャリアは第１の無認可キャリアと第２の無認可キャリアとを含む。たとえば、図４を参照すると、デバイスが基地局１０５である場合、送信プロセッサ４２０において、送信のためのデータがデータソース４１２から受信され得、制御情報が制御器／プロセッサ４４０から受信され得る。制御情報は、物理ブロードキャストチャネル（ＰＢＣＨ）、物理制御フォーマットインジケータチャネル（ＰＣＦＩＣＨ）、物理ハイブリッド自動再送要求インジケータチャネル（ＰＨＩＣＨ）、物理ダウンリンク制御チャネル（ＰＤＣＣＨ）、ＥＰＤＣＣＨなどのためのものであり得る。データは物理ダウンリンク共有チャネル（ＰＤＳＣＨ）などのためのものであり得る。送信プロセッサ４２０は、データシンボルおよび制御シンボルを取得するために、それぞれデータおよび制御情報を処理（たとえば、符号化およびシンボルマッピング）し得る。送信プロセッサ４２０はまた、たとえば、プライマリ同期信号（ＰＳＳ）、セカンダリ同期信号（ＳＳＳ）、およびセル固有基準信号のための基準シンボルを生成し得る。しかしながら、再び図４を参照すると、デバイスがＵＥ１１５である場合、アップリンク上で送信プロセッサ４６４は、データソース４６２から（たとえば、物理アップリンク共有チャネル（ＰＵＳＣＨ）のための）データを受信し、処理し得、制御器／プロセッサ４８０から（たとえば、物理アップリンク制御チャネル（ＰＵＣＣＨ）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）変調器４５４ａ〜４５４ｒによって処理され得る。
【００７９】
[0099]ステップ１１０６において、デバイスは、少なくとも２つの無認可キャリアの各々に対して拡張クリアチャネルアセスメント（ＥＣＣＡ）カウントダウンを実行する。たとえば、図７を参照すると、ＥＣＣＡカウントダウンは、両方とも無認可キャリアであり得るチャネル１およびチャネル２に対して実行され得る。
【００８０】
[00100]ステップ１１０８において、デバイスは、第２の無認可キャリアに対するＥＣＣＡカウントダウンの１つまたは複数の潜在的最終タイムスロットから潜在的最終タイムスロットを決定する。たとえば、図７を参照すると、チャネル２は、チャネル２のＥＣＣＡカウントダウンが、干渉を受けないチャネル１のＥＣＣＡよりも後に終了することを引き起こす干渉を受け得る。
【００８１】
[00101]したがって、ステップ１１１０において、デバイスは、第２の無認可キャリアに対するＥＣＣＡカウントダウンの潜在的最終タイムスロットが到達されるまで、第１の無認可キャリアに対するＥＣＣＡカウントダウンの潜在的最終タイムスロットを過ぎて少なくとも１つのタイムスロット中に、第１の無認可キャリア上でアイドルのままである。たとえば、図７を参照すると、チャネル１は、チャネル２が受ける干渉によりチャネル２に「キャッチアップ」させるために、余剰ＣＣＡタイムスロットの間アイドルであり得る。これは、アイドル時間制御と等価であり得る。
【００８２】
[00102]ステップ１１１２において、デバイスは、潜在的最終タイムスロット中に第１の無認可キャリアに対してＣＣＡ検査を実行する。たとえば、図７を参照すると、ＣＣＡは、第１の無認可キャリアに対するＥＣＣＡカウントダウンの終了を過ぎて第３のタイムスロット中で実行され、第３のタイムスロットは、第２の無認可キャリアのＥＣＣＡカウントダウンの潜在的最終タイムスロットに対応する。
【００８３】
[00103]一態様では、デバイスは、第１の無認可キャリアのＥＣＣＡカウントダウンの終了と第２の無認可キャリアのＥＣＣＡカウントダウンが終了する潜在的最終タイムスロットとの間のタイムスロットの潜在的な数を決定することによって、ＣＣＡ検査を実行し得る。その後、デバイスは、タイムスロットの数がしきい値よりも大きいとき、第１の無認可キャリアに対してＣＣＡ検査を実行する。たとえば、再び図７を参照すると、３つのタイムスロットはしきい値よりも大きく、ＣＣＡ検査がチャネル１に対して実行される。
【００８４】
[00104]さらなる態様では、デバイスは、第１の無認可キャリアのＥＣＣＡカウントダウンを実行するための第１の潜在的カウントダウン値を決定することと、第１の無認可キャリアのＥＣＣＡカウントダウンの終了と第２の無認可キャリアのＥＣＣＡカウントダウンの終了との間の第２の潜在的カウントダウン値を決定することと、デューティサイクルがしきい値よりも大きいときに第１の無認可キャリアに対してＣＣＡ検査を実行することと、ここにおいて、デューティサイクルが、第２の潜在的カウントダウン値を第１の潜在的カウントダウン値と第２の潜在的カウントダウン値との和で割った値に等しい、によってＣＣＡ検査を実行し得る。たとえば、図７を参照すると、チャネル１のＥＣＣＡカウントダウンを実行するための５つのタイムスロットがあり、チャネル１のＥＣＣＡカウントダウンの終了とチャネル２のＥＣＣＡカウントダウンが終了するタイムスロットとの間に３つのタイムスロットがある。その後、デバイスは、デューティサイクルがしきい値よりも大きいとき、第１の無認可キャリアに対してＣＣＡ検査を実行する。一態様では、デューティサイクルは、タイムスロットの第２の数をタイムスロットの第１の数とタイムスロットの第２の数との和で割った値に等しくなり得る。たとえば、再び図７を参照すると、デューティサイクル（たとえば、３／（５＋３））はしきい値よりも大きく、ＣＣＡがチャネル１に対して実行される。
【００８５】
[00105]ステップ１１１４において、デバイスは、第１の無認可キャリアのＣＣＡ検査がクリアであるかどうかを決定する。たとえば、図７を参照すると、送信機は、ＣＣＡ中に送信機によって検出されたエネルギーレベルが、チャネルがクリアであることを示すしきい値よりも小さいかどうかによって、ＣＣＡ検査がクリアであるかどうかを決定することができる。
【００８６】
[00106]ステップ１１１６において、デバイスは、ＣＣＡ検査がクリアになるまで、第２の無認可キャリア上でフリーズ状態に入る。たとえば、図７を参照すると、第１の無認可キャリアに対するＣＣＡが潜在的最終タイムスロット中にクリアにならない場合、第２の無認可キャリアは、第１の無認可キャリアがＣＣＡ検査をクリアするまで、ＥＣＣＡカウントダウンの終了を過ぎて追加のタイムスロットの間フリーズ状態に入ることができる。
【００８７】
[00107]ステップ１１１８において、デバイスは、第２の無認可キャリアのＥＣＣＡ検査がクリアであるかどうかを決定する。たとえば、図７を参照すると、送信機は、ＥＣＣＡ中のタイムスロットの各々中に送信機によって検出されたエネルギーレベルが、チャネルがクリアであることを示すしきい値よりも小さいかどうかによって、ＥＣＣＡ検査がクリアであるかどうかを決定することができる。
【００８８】
[00108]ステップ１１２０において、デバイスは、ＥＣＣＡカウントダウンがクリアになるまで、第１の無認可キャリア上でアイドルのままである。たとえば、図７を参照すると、第１の無認可キャリアは、第２の無認可キャリアに対するＥＣＣＡカウントダウンがクリアになるまで、潜在的最終タイムスロットを過ぎて少なくとも１つの追加のタイムスロット中にアイドルのままであることができる。
【００８９】
[00109]ステップ１１２２において、デバイスは、ＣＣＡ検査がクリアである場合、第１の無認可キャリア上でデータを送信する。デバイスはまた、第２の無認可キャリアのＥＣＣＡカウントダウンが終了するとき、第２の無認可キャリア上でデータを送信し得る。たとえば、図７を参照すると、データは、ＣＣＡ検査がクリアである場合、チャネル１の第８のタイムスロット（たとえば、タイムスロット１）の後に送信され得る。再び図７を参照すると、データはまた、チャネル２のＥＣＣＡカウントダウンが終了するとき、第８のタイムスロット（たとえば、タイムスロット１）の後に送信され得る。デバイスが基地局１０５である場合、図４を参照すると、変調器４３２ａ〜４３２ｔからのダウンリンクデータ信号は、それぞれ、アンテナ４３４ａ〜４３４ｔを介して送信され得る。しかしながら、再び図４を参照すると、デバイスがＵＥ１１５である場合、アップリンクデータシンボルは、アンテナ４５２ａ〜４５４ｒを介して送信され得る。
【００９０】
[00110]図１２は、ワイヤレス通信の方法のフローチャート１２００である。本方法は、デバイス（たとえば、ＵＥ１１５または基地局１０５）によって実行され得る。破線で示される動作が、本開示の様々な態様のための随意の動作を表すことを理解されたい。
【００９１】
[00111]一態様では、デバイスがＵＥ（たとえば、ＵＥ１１５）として実施される場合、ステップ１２０２において、デバイスは、少なくとも２つの無認可キャリアのうちの１つまたは複数を介して送信するためのスケジュールを基地局から受信する。スケジュールは、認可キャリアまたは無認可キャリア上で受信され得る。さらに、スケジュールは、基地局または別のネットワークエンティティから受信され得る。たとえば、図２Ｂを参照すると、基地局１０５−ｂは、双方向リンク２４０を使用して、ＯＦＤＭＡ通信信号をＵＥ１１５−ｂに送信し得る。双方向リンク２４０は、少なくとも２つの無認可キャリアを含み、図２Ａに関して上記で説明した無認可スペクトルにおける周波数Ｆ３に関連付けられ得る。基地局１０５−ｂからＵＥ１１５−ｂに送信されたＯＦＤＭＡ通信信号は、ＵＥ１１５−ｂが少なくとも２つの無認可キャリアのうちの１つまたは複数を介して送信するために使用することができるスケジュールを含み得る。スケジュールは、第１の無認可キャリア上でアイドルのままであるためのタイムスロットの最大数、第１の無認可キャリアまたは第２の無認可キャリアのうちの少なくとも１つ上のリソース許可の有効性、および／あるいは基地局への送信のための無認可キャリアの間の優先度を示し得る。スケジュールはまた、物理アップリンク制御チャネル（ＰＵＣＣＨ）を送信することに関係する情報を含み得る。一態様では、スケジュールは、無認可スペクトルのどのキャリアがプライマリキャリアであるかと、無認可スペクトルのどのキャリアがセカンダリキャリアであるかとを、ＵＥ１１５−ｂに示すことができる。たとえば、スケジュールは、ＣＣＡプロシージャのためにＵＥ１１５−ｂが使用することができるパラメータを示すことができる。スケジュールはまた、ＥＣＣＡカウントダウンをそれに対して実行すべきキャリア（たとえば、プライマリキャリアおよび／またはセカンダリキャリア）と、どのキャリア（たとえば、プライマリキャリアおよび／または第２のキャリア）に対してＣＣＡ検査を実行すべきかとを示し得る。一態様では、スケジュールは、ＰＵＣＣＨを送信するためのプライマリキャリアおよび／または第２のキャリア上のリソースをＵＥ１１５−ｂに示すことができる。たとえば、スケジュールが、ＰＵＣＣＨを送信するためのプライマリキャリアとセカンダリキャリアの両方上で予約されるリソースを指定する場合、ＵＥ１１５−ｂは、ＣＣＡ検査に合格するために、第１のキャリアの予約されたリソースを使用してＰＵＣＣＨを送信することができる。一態様では、スケジュールは、プライマリキャリアおよび／またはセカンダリキャリアのうちどちらがデータを送信することに関して優先度を割り当てられるかを含むことができる。たとえば、優先度は、そのキャリアのＣＣＡチェックアウト、信号対雑音比、および／または周波数に基づいて割り当てられ得る。第１の無認可キャリアまたは第２の無認可キャリアのうちの少なくとも１つ上のリソース許可の有効性に関して、ＵＥ１１５−ｂは、無認可キャリアのためのクロスキャリア許可を受信し得る。部分サブフレームを使用するとき、または処理制限に起因してなど、いくつかのシナリオでは、許可は、無��可送信が開始することができる前に送信されなければならない。したがって、何らかの追加のシグナリングが、リソース許可の有効性を決定するために使用され得る。
【００９２】
[00112]ステップ１２０４において、デバイスは、少なくとも２つの無認可キャリアを介した送信のためのデータを受信する。たとえば、図４を参照すると、デバイスが基地局１０５である場合、送信プロセッサ４２０において、送信のためのデータがデータソース４１２から受信され得、制御情報が制御器／プロセッサ４４０から受信され得る。制御情報は、物理ブロードキャストチャネル（ＰＢＣＨ）、物理制御フォーマットインジケータチャネル（ＰＣＦＩＣＨ）、物理ハイブリッド自動再送要求インジケータチャネル（ＰＨＩＣＨ）、物理ダウンリンク制御チャネル（ＰＤＣＣＨ）などのためのものであり得る。データは物理ダウンリンク共有チャネル（ＰＤＳＣＨ）などのためのものであり得る。送信プロセッサ４２０は、データシンボルおよび制御シンボルを取得するために、それぞれデータおよび制御情報を処理（たとえば、符号化およびシンボルマッピング）し得る。送信プロセッサ４２０はまた、たとえば、プライマリ同期信号（ＰＳＳ）、セカンダリ同期信号（ＳＳＳ）、およびセル固有基準信号のための基準シンボルを生成し得る。しかしながら、再び図４を参照すると、デバイスがＵＥ１１５である場合、アップリンク上で送信プロセッサ４６４は、データソース４６２から（たとえば、物理アップリンク共有チャネル（ＰＵＳＣＨ）のための）データを受信し、処理し得、制御器／プロセッサ４８０から（たとえば、物理アップリンク制御チャネル（ＰＵＣＣＨ）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）変調器４５４ａ〜４５４ｒによって処理され得る。
【００９３】
[00113]ステップ１２０６において、デバイスは、第１の無認可キャリアに対して拡張クリアチャネルアセスメント（ＥＣＣＡ）カウントダウンを実行する。たとえば、図８を参照すると、ＥＣＣＡカウントダウンは、無認可キャリアであり得るチャネル１に対して実行され得る。
【００９４】
[00114]ステップ１２０８において、デバイスは、第１の無認可キャリアのＥＣＣＡカウントダウンのための１つまたは複数の潜在的最終タイムスロットから潜在的最終時間タイムスロットを決定する。たとえば、図８を参照すると、第３、第４、および第５のタイムスロット中の干渉により、チャネル１のＥＣＣＡカウントダウンは、第７のタイムスロット（たとえば、タイムスロット１）中で終了する。
【００９５】
[00115]ステップ１２１０において、デバイスは、第２の無認可キャリアに対してクリアチャネルアセスメント（ＣＣＡ）検査を実行する。たとえば、図８を参照すると、ＣＣＡは、チャネル２における第７のタイムスロット中で実行され、第７のタイムスロットは、チャネル１のＥＣＣＡカウントダウンが終了するタイムスロットに対応する。
【００９６】
[00116]ステップ１２１２において、デバイスは、第１の無認可キャリアのＥＣＣＡ検査がクリアであるかどうかを決定する。たとえば、図８を参照すると、送信機は、ＥＣＣＡ中のタイムスロットの各々中に送信機によって検出されたエネルギーレベルが、チャネルがクリアであることを示すしきい値よりも小さいかどうかによって、ＥＣＣＡ検査がクリアであるかどうかを決定することができる。
【００９７】
[00117]ステップ１２１４において、デバイスは、ＥＣＣＡ検査がクリアになるまで、第２の無認可キャリア上でフリーズ状態に入る。たとえば、図８を参照すると、第１の無認可キャリアに対するＥＣＣＡが潜在的最終タイムスロット中にクリアにならない場合、第２の無認可キャリアは、ＣＣＡ検査を過ぎて追加のタイムスロットの間フリーズ状態に入ることができる。
【００９８】
[00118]ステップ１２１６において、デバイスは、第２の無認可キャリアのＣＣＡ検査がクリアであるかどうかを決定する。たとえば、図８を参照すると、送信機は、ＣＣＡ中に送信機によって検出されたエネルギーレベルが、チャネルがクリアであることを示すしきい値よりも小さいかどうかによって、ＣＣＡ検査がクリアであるかどうかを決定することができる。
【００９９】
[00119]ステップ１２１８において、デバイスは、ＣＣＡ検査がクリアになるまで、第１の無認可キャリア上でアイドルのままである。たとえば、図８を参照すると、第１の無認可キャリアは、第２の無認可キャリアに対するＣＣＡクリアがクリアになるまで、潜在的最終タイムスロットを過ぎて少なくとも１つの追加のタイムスロット中にアイドルのままであることができる。
【０１００】
[00120]ステップ１２２０において、デバイスは、ＣＣＡ検査がクリアである場合、第２の無認可キャリア上でデータを送信する。デバイスはまた、第１の無認可キャリアのＥＣＣＡカウントダウンが終了するとき、第１の無認可キャリア上でデータを送信し得る。たとえば、図８を参照すると、データは、第７のタイムスロット中で実行されたＣＣＡがクリアになる場合、チャネル２における第７のタイムスロットの後に送信され得る。再び図８を参照すると、データはまた、ＥＣＣＡカウントダウンが終了するとき、チャネル１における第７のタイムスロット（たとえば、タイムスロット１）の後に送信され得る。デバイスが基地局１０５である場合、図４を参照すると、変調器４３２ａ〜４３２ｔからのダウンリンクデータ信号は、それぞれ、アンテナ４３４ａ〜４３４ｔを介して送信され得る。しかしながら、再び図４を参照すると、デバイスがＵＥ１１５である場合、アップリンクデータシンボルは、アンテナ４５２ａ〜４５４ｒを介して送信され得る。
【０１０１】
[00121]図１３は、ワイヤレス通信の方法のフローチャート１３００である。本方法は、デバイス（たとえば、ＵＥ１１５または基地局１０５）によって実行され得る。破線で示される動作が、本開示の様々な態様のための動作を表すことを理解されたい。
【０１０２】
[00122]一態様では、デバイスがＵＥ（たとえば、ＵＥ１１５）として実施される場合、ステップ１３０２において、デバイスは、少なくとも２つの無認可キャリアのうちの１つまたは複数を介して送信するためのスケジュールを基地局から受信する。スケジュールは、認可キャリアまたは無認可キャリア上で受信され得る。さらに、スケジュールは、基地局または別のネットワークエンティティから受信され得る。たとえば、図２Ｂを参照すると、基地局１０５−ｂは、双方向リンク２４０を使用して、ＯＦＤＭＡ通信信号をＵＥ１１５−ｂに送信し得る。双方向リンク２４０は、少なくとも２つの無認可キャリアを含み、図２Ａに関して上記で説明した無認可スペクトルにおける周波数Ｆ３に関連付けられ得る。基地局１０５−ｂからＵＥ１１５−ｂに送信されたＯＦＤＭＡ通信信号は、ＵＥ１１５−ｂが少なくとも２つの無認可キャリアのうちの１つまたは複数を介して送信するために使用することができるスケジュールを含み得る。スケジュールは、第１の無認可キャリア上でアイドルのままであるためのタイムスロットの最大数、第１の無認可キャリアまたは第２の無認可キャリアのうちの少なくとも１つ上のリソース許可の有効性、および／あるいは基地局への送信のための無認可キャリアの間の優先度を示し得る。スケジュールはまた、物理アップリンク制御チャネル（ＰＵＣＣＨ）を送信することに関係する情報を含み得る。一態様では、スケジュールは、無認可スペクトルのどのキャリアがプライマリキャリアであるかと、無認可スペクトルのどのキャリアがセカンダリキャリアであるかとを、ＵＥ１１５−ｂに示すことができる。たとえば、スケジュールは、ＣＣＡプロシージャのためにＵＥ１１５−ｂが使用することができるパラメータを示すことができる。スケジュールはまた、ＥＣＣＡカウントダウンを受信するキャリア（たとえば、プライマリキャリアおよび／またはセカンダリキャリア）と、どのキャリア（たとえば、プライマリキャリアおよび／または第２のキャリア）がＣＣＡ検査を受信するかとを示し得る。一態様では、スケジュールは、ＰＵＣＣＨを送信するためのプライマリキャリアおよび／または第２のキャリア上のリソースをＵＥ１１５−ｂに示すことができる。たとえば、スケジュールが、ＰＵＣＣＨを送信するためのプライマリキャリアとセカンダリキャリアの両方上で予約されるリソースを指定する場合、ＵＥ１１５−ｂは、ＣＣＡ検査に合格するために、第１のキャリアの予約されたリソースを使用してＰＵＣＣＨを送信することができる。一態様では、スケジュールは、プライマリキャリアおよび／またはセカンダリキャリアのうちどちらがデータを送信することに関して優先度を割り当てられるかを含むことができる。たとえば、優先度は、そのキャリアのＣＣＡチェックアウト、信号対雑音比、および／または周波数に基づいて割り当てられ得る。
【０１０３】
[00123]ステップ１３０４において、デバイスは、少なくとも２つの無認可キャリアを介した送信のためのデータを受信する。たとえば、図４を参照すると、デバイスが基地局１０５である場合、送信プロセッサ４２０において、送信のためのデータがデータソース４１２から受信され得、制御情報が制御器／プロセッサ４４０から受信され得る。制御情報は、物理ブロードキャストチャネル（ＰＢＣＨ）、物理制御フォーマットインジケータチャネル（ＰＣＦＩＣＨ）、物理ハイブリッド自動再送要求インジケータチャネル（ＰＨＩＣＨ）、物理ダウンリンク制御チャネル（ＰＤＣＣＨ）などのためのものであり得る。データは物理ダウンリンク共有チャネル（ＰＤＳＣＨ）などのためのものであり得る。送信プロセッサ４２０は、データシンボルおよび制御シンボルを取得するために、それぞれデータおよび制御情報を処理（たとえば、符号化およびシンボルマッピング）し得る。送信プロセッサ４２０はまた、たとえば、プライマリ同期信号（ＰＳＳ）、セカンダリ同期信号（ＳＳＳ）、およびセル固有基準信号のための基準シンボルを生成し得る。しかしながら、再び図４を参照すると、デバイスがＵＥ１１５である場合、アップリンク上で送信プロセッサ４６４は、データソース４６２から（たとえば、物理アップリンク共有チャネル（ＰＵＳＣＨ）のための）データを受信し、処理し得、制御器／プロセッサ４８０から（たとえば、物理アップリンク制御チャネル（ＰＵＣＣＨ）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）変調器４５４ａ〜４５４ｒによって処理され得る。
【０１０４】
[00124]ステップ１３０６において、デバイスは、少なくとも２つの無認可キャリアのうちの第１の無認可キャリアに対して拡張クリアチャネルアセスメント（ＥＣＣＡ）カウントダウンを実行する。一態様では、図９を参照すると、少なくとも２つの無認可キャリアは２つのグループに分類され得る。たとえば、グループ１はＬＢＥチャネル（たとえば、チャネル１）を含み得、グループ２はＦＢＥチャネル（たとえば、チャネル２）を含み得る。たとえば、図９を参照すると、ＥＣＣＡは、干渉を受けているＬＢＥチャネル（たとえば、チャネル１）に対して実行され得る。一態様では、送信機は、ＬＢＥチャネルの最終ＥＣＣＡタイムスロットにおいてＦＢＥチャネルのためのＣＣＡを実行する。しかしながら、ＦＢＥチャネル（たとえば、チャネル２）のためのＣＣＡのロケーションは、ＦＢＥフレーム構造上の制限により（たとえば、Ｓ’サブフレームに）制約され得る。したがって、送信機は、ＬＢＥチャネル（たとえば、チャネル１）の最終ＥＣＣＡタイムスロットより前のタイムスロットにおいてＦＢＥチャネル（たとえば、チャネル２）のためのＣＣＡを実行し得る。
【０１０５】
[00125]ステップ１３０８において、デバイスは、第１の無認可キャリアのＥＣＣＡカウントダウンが終了するタイムスロットが、少なくとも２つの無認可キャリアのうちの第２の無認可キャリアのしきい値タイムスロットを過ぎて生じるかどうかを決定する。たとえば、図９に関して、デバイスは、ＬＢＥチャネル（たとえば、チャネル１）のＥＣＣＡカウントダウンが、ＦＢＥチャネル（たとえば、チャネル２）のしきい値タイムスロット（たとえば、Ｓ’サブフレーム）を超えているかどうかを決定することができる。
【０１０６】
[00126]ステップ１３０８における決定に基づいて、デバイスは、第１の無認可キャリアに対するＥＣＣＡカウントダウンが潜在的最終タイムスロットに到達しているどうかを決定する。たとえば、図９を参照すると、送信機は、ＥＣＣＡカウントダウンが「１」とラベルされるタイムスロットに到達しているかどうかを決定する。
【０１０７】
[00127]ステップ１３１０において、ステップ１３０８における肯定的結果（すなわち、ＥＣＣＡカウントダウンが潜在的最終タイムスロットに到達している）に基づいて、デバイスは、ＣＣＡがクリアになるまで、第２の無認可キャリアに対してＣＣＡ検査を実行する。たとえば、図９に関して、しきい値タイムスロットは、第４のタイムスロット（たとえば、Ｓ’サブフレーム）であり得る。したがって、ＬＢＥチャネル（たとえば、チャネル１）の第１のＥＣＣＡカウントダウンはタイムスロット４〜１中で生じ、ＬＢＥチャネルの第１のＥＣＣＡは第４のタイムスロット（たとえば、Ｓ’サブフレーム）を過ぎて終了しないので、ＦＢＥチャネル（たとえば、チャネル２）のＣＣＡ検査はタイムスロット１中で実行され得る。
【０１０８】
[00128]デバイスは、次いで、ステップ１３１２に進み、ここで、デバイスは、ＣＣＡ検査がクリアである場合、第２の無認可キャリア上でデータを送信する。たとえば、図９を参照すると、データは、第４のタイムスロット中で実行されたＣＣＡがクリアになる場合、ＦＢＥチャネル（たとえば、チャネル２）における第４のタイムスロットの後に送信され得る。一態様では、デバイスが基地局１０５である場合、図４を参照すると、変調器４３２ａ〜４３２ｔからのダウンリンクデータ信号は、それぞれ、アンテナ４３４ａ〜４３４ｔを介して送信され得る。しかしながら、再び図４を参照すると、デバイスがＵＥ１１５である場合、アップリンクデータシンボルは、アンテナ４５２ａ〜４５４ｒを介して送信され得る。
【０１０９】
[00129]ステップ１３１４において、ステップ１３０８における否定的結果（すなわち、ＥＣＣＡカウントダウンが潜在的最終タイムスロットに到達していない）に基づいて、デバイスは、第２の無認可キャリアがアイドルしきい値タイムスロットを過ぎているかどうかを決定する。たとえば、図９に関して、第２の無認可キャリアのアイドルしきい値タイムスロットは、第４のタイムスロット中で生じることがあり、送信機は、ＥＣＣＡカウントダウンが第４のタイムスロットを過ぎて生じるかどうかを決定することができる。
【０１１０】
[00130]ステップ１３１４における否定的結果に基づいて、ステップ１３１６において、デバイスは、次のタイムスロットまで第２の無認可キャリア上でアイドルのままである。たとえば、図９を参照すると、第２の無認可キャリアは、アイドルしきい値タイムスロットが第４のタイムスロットまで到達されていないので、第１、第２、および第３のタイムスロット上でアイドルのままであることができる。デバイスは、次いで、ステップ１３０８に戻って開始する。
【０１１１】
[00131]ステップ１３１４における肯定的結果に基づいて、ステップ１３１０において、デバイスは、ＣＣＡがクリアになるまで第２の無認可キャリアに対してＣＣＡ検査を実行する。たとえば、図９に関して、しきい値タイムスロットは、第４のタイムスロット（たとえば、Ｓ’サブフレーム）であり得る。したがって、ＦＢＥチャネル（たとえば、チャネル２）のＣＣＡ検査は、タイムスロット１中で実行され得、ＣＣＡが第２の無認可キャリア上のタイムスロットをクリアするまで実行され続けることができる。
【０１１２】
[00132]デバイスは、次いで、ステップ１３１２に進み、ここで、デバイスは、ＣＣＡ検査がクリアである場合、第２の無認可キャリア上でデータを送信する。たとえば、図９を参照すると、データは、第４のタイムスロット中で実行されたＣＣＡがクリアになる場合、ＦＢＥチャネル（たとえば、チャネル２）における第４のタイムスロットの後に送信され得る。一態様では、デバイスが基地局１０５である場合、図４を参照すると、変調器４３２ａ〜４３２ｔからのダウンリンクデータ信号は、それぞれ、アンテナ４３４ａ〜４３４ｔを介して送信され得る。しかしながら、再び図４を参照すると、デバイスがＵＥ１１５である場合、アップリンクデータシンボルは、アンテナ４５２ａ〜４５４ｒを介して送信され得る。
【０１１３】
[00133]図１４は、ワイヤレス通信の方法のフローチャート１４００である。本方法は、デバイス（たとえば、ＵＥ１１５または基地局１０５）によって実行され得る。破線で示される動作が、本開示の様々な態様のための動作を表すことを理解されたい。
【０１１４】
[00134]一態様では、デバイスがＵＥ（たとえば、ＵＥ１１５）として実施される場合、ステップ１４０２において、デバイスは、少なくとも２つの無認可キャリアのうちの１つまたは複数を介して送信するためのスケジュールを基地局から受信する。スケジュールは、認可キャリアまたは無認可キャリア上で受信され得る。さらに、スケジュールは、基地局または別のネットワークエンティティから受信され得る。たとえば、図２Ｂを参照すると、基地局１０５−ｂは、双方向リンク２４０を使用して、ＯＦＤＭＡ通信信号をＵＥ１１５−ｂに送信し得る。双方向リンク２４０は、少なくとも２つの無認可キャリアを含み、図２Ａに関して上記で説明した無認可スペクトルにおける周波数Ｆ３に関連付けられ得る。基地局１０５−ｂからＵＥ１１５−ｂに送信されたＯＦＤＭＡ通信信号は、ＵＥ１１５−ｂが少なくとも２つの無認可キャリアのうちの１つまたは複数を介して送信するために使用することができるスケジュールを含み得る。スケジュールは、第１の無認可キャリア上でアイドルのままであるためのタイムスロットの最大数、第１の無認可キャリアまたは第２の無認可キャリアのうちの少なくとも１つ上のリソース許可の有効性、および／あるいは基地局への送信のための無認可キャリアの間の優先度を示し得る。スケジュールはまた、物理アップリンク制御チャネル（ＰＵＣＣＨ）を送信することに関係する情報を含み得る。一態様では、スケジュールは、無認可スペクトルのどのキャリアがプライマリキャリアであるかと、無認可スペクトルのどのキャリアがセカンダリキャリアであるかとを、ＵＥ１１５−ｂに示すことができる。たとえば、スケジュールは、ＣＣＡプロシージャのためにＵＥ１１５−ｂが使用することができるパラメータを示すことができる。スケジュールはまた、ＥＣＣＡカウントダウンを受信するキャリア（たとえば、プライマリキャリアおよび／またはセカンダリキャリア）と、どのキャリア（たとえば、プライマリキャリアおよび／または第２のキャリア）がＣＣＡ検査を受信するかとを示し得る。一態様では、スケジュールは、ＰＵＣＣＨを送信するためのプライマリキャリアおよび／または第２のキャリア上のリソースをＵＥ１１５−ｂに示すことができる。たとえば、スケジュールが、ＰＵＣＣＨを送信するためのプライマリキャリアとセカンダリキャリアの両方上で予約されるリソースを指定する場合、ＵＥ１１５−ｂは、ＣＣＡ検査に合格するために、第１のキャリアの予約されたリソースを使用してＰＵＣＣＨを送信することができる。一態様では、スケジュールは、プライマリキャリアおよび／またはセカンダリキャリアのうちどちらがデータを送信することに関して優先度を割り当てられるかを含むことができる。たとえば、優先度は、そのキャリアのＣＣＡチェックアウト、信号対雑音比、および／または周波数に基づいて割り当てられ得る。
【０１１５】
[00135]ステップ１４０４において、デバイスは、少なくとも２つの無認可キャリアを介した送信のためのデータを受信する。たとえば、図４を参照すると、デバイスが基地局１０５である場合、送信プロセッサ４２０において、送信のためのデータがデータソース４１２から受信され得、制御情報が制御器／プロセッサ４４０から受信され得る。制御情報は、物理ブロードキャストチャネル（ＰＢＣＨ）、物理制御フォーマットインジケータチャネル（ＰＣＦＩＣＨ）、物理ハイブリッド自動再送要求インジケータチャネル（ＰＨＩＣＨ）、物理ダウンリンク制御チャネル（ＰＤＣＣＨ）などのためのものであり得る。データは物理ダウンリンク共有チャネル（ＰＤＳＣＨ）などのためのものであり得る。送信プロセッサ４２０は、データシンボルおよび制御シンボルを取得するために、それぞれデータおよび制御情報を処理（たとえば、符号化およびシンボルマッピング）し得る。送信プロセッサ４２０はまた、たとえば、プライマリ同期信号（ＰＳＳ）、セカンダリ同期信号（ＳＳＳ）、およびセル固有基準信号のための基準シンボルを生成し得る。しかしながら、再び図４を参照すると、デバイスがＵＥ１１５である場合、アップリンク上で送信プロセッサ４６４は、データソース４６２から（たとえば、物理アップリンク共有チャネル（ＰＵＳＣＨ）のための）データを受信し、処理し得、制御器／プロセッサ４８０から（たとえば、物理アップリンク制御チャネル（ＰＵＣＣＨ）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）変調器４５４ａ〜４５４ｒによって処理され得る。
【０１１６】
[00136]ステップ１４０６において、デバイスは、少なくとも２つの無認可キャリアのうちの第１の無認可キャリアに対して拡張クリアチャネルアセスメント（ＥＣＣＡ）カウントダウンを実行する。たとえば、図１０を参照すると、ＥＣＣＡカウントダウンは、無認可キャリアであり得るチャネル１に対して実行され得る。
【０１１７】
[00137]ステップ１４０８において、デバイスは、第１の無認可キャリアのＥＣＣＡカウントダウンが終了するタイムスロットを決定する。たとえば、図８を参照すると、第３、第４、および第５のタイムスロット中の干渉により、チャネル１のＥＣＣＡカウントダウンは、第８のタイムスロット（たとえば、タイムスロット１）中で終了する。
【０１１８】
[00138]ステップ１４１０において、デバイスは、決定されたタイムスロット中に最小２つの無認可キャリアのうちの第１の無認可キャリアと第２の無認可キャリアの両方のクリアチャネルアセスメント（ＣＣＡ）検査を実行する。たとえば、図８を参照すると、ＣＣＡは、チャネル１とチャネル２の両方における第８のタイムスロット中で実行され得、第８のタイムスロットは、チャネル１のＥＣＣＡカウントダウンの潜在的最終タイムスロットに対応する。
【０１１９】
[00139]ステップ１４１２において、デバイスは、ＣＣＡ検査がクリアであるとき、少なくとも２つの無認可キャリアのうちの第１の無認可キャリアと第２の無認可キャリアのいずれか上でデータを送信する。デバイスはまた、第１の無認可キャリアのＥＣＣＡカウントダウンが終了するとき、第１の無認可キャリア上でデータを送信し得る。たとえば、図８を参照すると、データは、それぞれの第８のタイムスロット中で実行されたＣＣＡがクリアになる場合、チャネル１および／またはチャネル２のいずれかまたは両方における第８のタイムスロットの後に送信され得る。再び図８を参照すると、データはまた、ＥＣＣＡカウントダウンが終了するとき、チャネル１における第８のタイムスロット（たとえば、タイムスロット１）の後に送信され得る。デバイスが基地局１０５である場合、図４を参照すると、変調器４３２ａ〜４３２ｔからのダウンリンクデータ信号は、それぞれ、アンテナ４３４ａ〜４３４ｔを介して送信され得る。しかしながら、再び図４を参照すると、デバイスがＵＥ１１５である場合、アップリンクデータシンボルは、アンテナ４５２ａ〜４５４ｒを介して送信され得る。
【０１２０】
[00140]図１５は、ワイヤレス通信の方法のフローチャート１５００である。本方法は、デバイス（たとえば、ＵＥ１１５または基地局１０５）によって実行され得る。破線で示される動作が、本開示の様々な態様のための動作を表すことを理解されたい。
【０１２１】
[00141]一態様では、デバイスがＵＥ（たとえば、ＵＥ１１５）として実施される場合、ステップ１５０２において、デバイスは、少なくとも２つの無認可キャリアのうちの１つまたは複数を介して送信するためのスケジュールを基地局から受信する。スケジュールは、認可キャリアまたは無認可キャリア上で受信され得る。さらに、スケジュールは、基地局または別のネットワークエンティティから受信され得る。たとえば、図２Ｂを参照すると、基地局１０５−ｂは、双方向リンク２４０を使用して、ＯＦＤＭＡ通信信号をＵＥ１１５−ｂに送信し得る。双方向リンク２４０は、少なくとも２つの無認可キャリアを含み、図２Ａに関して上記で説明した無認可スペクトルにおける周波数Ｆ３に関連付けられ得る。基地局１０５−ｂからＵＥ１１５−ｂに送信されたＯＦＤＭＡ通信信号は、ＵＥ１１５−ｂが少なくとも２つの無認可キャリアのうちの１つまたは複数を介して送信するために使用することができるスケジュールを含み得る。スケジュールは、第１の無認可キャリア上でアイドルのままであるためのタイムスロットの最大数、第１の無認可キャリアまたは第２の無認可キャリアのうちの少なくとも１つ上のリソース許可の有効性、および／あるいは基地局への送信のための無認可キャリアの間の優先度を示し得る。スケジュールはまた、物理アップリンク制御チャネル（ＰＵＣＣＨ）を送信することに関係する情報を含み得る。一態様では、スケジュールは、無認可スペクトルのどのキャリアがプライマリキャリアであるかと、無認可スペクトルのどのキャリアがセカンダリキャリアであるかとを、ＵＥ１１５−ｂに示すことができる。たとえば、スケジュールは、ＣＣＡプロシージャのためにＵＥ１１５−ｂが使用することができるパラメータを示すことができる。スケジュールはまた、ＥＣＣＡカウントダウンを受信するキャリア（たとえば、プライマリキャリアおよび／またはセカンダリキャリア）と、どのキャリア（たとえば、プライマリキャリアおよび／または第２のキャリア）がＣＣＡ検査を受信するかとを示し得る。一態様では、スケジュールは、ＰＵＣＣＨを送信するためのプライマリキャリアおよび／または第２のキャリア上のリソースをＵＥ１１５−ｂに示すことができる。たとえば、スケジュールが、ＰＵＣＣＨを送信するためのプライマリキャリアとセカンダリキャリアの両方上で予約されるリソースを指定する場合、ＵＥ１１５−ｂは、ＣＣＡ検査に合格するために、第１のキャリアの予約されたリソースを使用してＰＵＣＣＨを送信することができる。一態様では、スケジュールは、プライマリキャリアおよび／またはセカンダリキャリアのうちどちらがデータを送信することに関して優先度を割り当てられるかを含むことができる。たとえば、優先度は、そのキャリアのＣＣＡチェックアウト、信号対雑音比、および／または周波数に基づいて割り当てられ得る。
【０１２２】
[00142]ステップ１５０４において、デバイスは、少なくとも２つの無認可キャリアを介した送信のためのデータを受信する。たとえば、図４を参照すると、デバイスが基地局１０５である場合、送信プロセッサ４２０において、送信のためのデータがデータソース４１２から受信され得、制御情報が制御器／プロセッサ４４０から受信され得る。制御情報は、物理ブロードキャストチャネル（ＰＢＣＨ）、物理制御フォーマットインジケータチャネル（ＰＣＦＩＣＨ）、物理ハイブリッド自動再送要求インジケータチャネル（ＰＨＩＣＨ）、物理ダウンリンク制御チャネル（ＰＤＣＣＨ）などのためのものであり得る。データは物理ダウンリンク共有チャネル（ＰＤＳＣＨ）などのためのものであり得る。送信プロセッサ４２０は、データシンボルおよび制御シンボルを取得するために、それぞれデータおよび制御情報を処理（たとえば、符号化およびシンボルマッピング）し得る。送信プロセッサ４２０はまた、たとえば、プライマリ同期信号（ＰＳＳ）、セカンダリ同期信号（ＳＳＳ）、およびセル固有基準信号のための基準シンボルを生成し得る。しかしながら、再び図４を参照すると、デバイスがＵＥ１１５である場合、アップリンク上で送信プロセッサ４６４は、データソース４６２から（たとえば、物理アップリンク共有チャネル（ＰＵＳＣＨ）のための）データを受信し、処理し得、制御器／プロセッサ４８０から（たとえば、物理アップリンク制御チャネル（ＰＵＣＣＨ）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）変調器４５４ａ〜４５４ｒによって処理され得る。
【０１２３】
[00143]ステップ１５０６において、デバイスは、少なくとも２つの無認可キャリアに対して拡張クリアチャネルアセスメント（ＥＣＣＡ）カウントダウンを実行する。たとえば、図１０を参照すると、ＥＣＣＡカウントダウンは、無認可キャリアであり得る各無認可キャリア（たとえば、チャネル１〜４の各々）に対して実行され得る。
【０１２４】
[00144]ステップ１５０８において、デバイスは、少なくとも２つの無認可キャリアのうちの１つまたは複数上で遅延状態に入る。たとえば、図１０Ａを参照すると、４つの無認可キャリアの各々でＥＣＣＡカウントダウンの終了時に、送信機は自己遅延状態に入り、ＬＳＢを待つ。自己遅延状態はアイドル状態であり得る。図１０Ｂを参照すると、第１の無認可キャリア、第２の無認可キャリア、および第３の無認可キャリアは、ＥＣＣＡカウントダウンの終了時に自己遅延状態に入るが、第４の無認可キャリアは、第４の無認可キャリアに対するＥＣＣＡカウントダウンが完了されないので、自己遅延状態に入らない。
【０１２５】
[00145]ステップ１５１０において、デバイスは、自己遅延状態の終了時に無認可キャリアのうちの１つまたは複数の初期ＣＣＡ（ＩＣＣＡ）検査を実行する。たとえば、図１０Ａを参照すると、ＬＳＢが自己遅延状態の終了時に到達されると、送信機は、４つの無認可キャリアの各々に対してＩＣＣＡを実行する。図１０Ｂを参照すると、第１の無認可キャリアおよび第２の無認可キャリアは、ＬＳＢが自己遅延状態の終了時に到達されるとき、ＩＣＣＡを実行する。しかしながら、自己遅延状態中のおよびＬＳＢを過ぎた干渉により、第３の無認可キャリアは、ＩＣＣＡを実行することを阻止される。送信機は、図１０Ｂでは、ＬＳＢより前に第４の無認可キャリアに対するＥＣＣＡカウントダウンを完了しておらず、したがって、ＩＣＣＡを実行することができない。
【０１２６】
[00146]ステップ、１５１２において、デバイスは、ＩＣＣＡ検査がクリアであるとき、少なくとも２つの無認可キャリアのいずれか上でデータを送信する。デバイスはまた、第１の無認可キャリアのＥＣＣＡカウントダウンが終了するとき、第１の無認可キャリア上でデータを送信し得る。たとえば、図１０Ａ〜図１０Ｂを参照すると、データは、無認可キャリアのいずれかに対して実行されたＩＣＣＡがクリアになる場合、送信され得る。たとえば、図１０Ａでは、データは、４つの無認可キャリアの各々においてＳＴＢの後に送信され得る。しかしながら、図１０Ｂを参照すると、データは、ＩＣＣＡが第１の無認可キャリアと第２の無認可キャリアとに対して実行されるので、これらの２つの無認可キャリアにおいて送信され得る。デバイスが基地局１０５である場合、図４を参照すると、変調器４３２ａ〜４３２ｔからのダウンリンクデータ信号は、それぞれ、アンテナ４３４ａ〜４３４ｔを介して送信され得る。しかしながら、再び図４を参照すると、デバイスがＵＥ１１５である場合、アップリンクデータシンボルは、アンテナ４５２ａ〜４５４ｒを介して送信され得る。
【０１２７】
[00147]図１６は、例示的な装置１６０２中の異なるモジュール／手段／構成要素間のデータフローを示す概念データフロー図１６００である。装置は、たとえば、ＵＥ１１５または基地局１０５であり得る。装置は、受信モジュール１６０４と、データ処理モジュール１６０６と、ＥＣＣＡモジュール１６０８と、ＣＣＡモジュール１６１０と、送信モジュール１６１２と、スケジューリングモジュール１６１４とを含む。
【０１２８】
[00148]データ処理モジュール１６０６は、少なくとも２つの無認可キャリアを介した送信のためのデータを受信する。受信されたデータに基づいて、ＥＣＣＡモジュール１６０８は、少なくとも２つの無認可キャリアのうちの１つまたは複数に対して拡張クリアチャネルアセスメント（ＥＣＣＡ）カウントダウンを実行する。
【０１２９】
[00149]ＥＣＣＡモジュール１６０８は、第２の無認可キャリアに対するＥＣＣＡカウントダウンの潜在的最終タイムスロットを決定する。ＣＣＡモジュール１６１０は、第２の無認可キャリアに対するＥＣＣＡカウントダウンの潜在的最終タイムスロットが到達されるまで、第１の無認可キャリアのＥＣＣＡカウントダウンの後の少なくとも１つのタイムスロット中に、第１の無認可キャリア上でアイドルのままである。さらに、ＣＣＡモジュール１６１０は、潜在的最終タイムスロット中に第１の無認可キャリアに対してクリアチャネルアセスメント（ＣＣＡ）検査を実行する。
【０１３０】
[00150]別の態様では、ＥＣＣＡモジュール１６０８は、第１の無認可キャリアのＥＣＣＡカウントダウンの終了と第２の無認可キャリアに対するＥＣＣＡカウントダウンの終了との間のタイムスロットの潜在的な数を決定し得る。その後、ＣＣＡモジュール１６１０は、タイムスロットの潜在的な数がしきい値よりも大きいとき、第１の無認可キャリアに対してＣＣＡ検査を実行する。
【０１３１】
[00151]さらなる態様では、ＥＣＣＡモジュール１６０８は、第１の無認可キャリアのＥＣＣＡカウントダウンを実行し、第１の無認可キャリアのＥＣＣＡカウントダウンの終了と第２の無認可キャリアのＥＣＣＡカウントダウンの終了との間の第２の潜在的カウントダウン値を決定するための第１の潜在的カウントダウン値を決定し得る。その後、ＣＣＡモジュール１６１０は、デューティサイクルがしきい値よりも大きいときに第１の無認可キャリアに対してＣＣＡ検査を実行する、ここにおいて、デューティサイクルが、第２の潜在的カウントダウン値を第１の潜在的カウントダウン値と第２の潜在的カウントダウン値との和で割った値に等しい。
【０１３２】
[00152]ＣＣＡモジュール１６１０が、第１の無認可キャリアに対するＣＣＡ検査がクリアであるかどうかを決定することができ、ＥＣＣＡモジュール１６０８が、第２の無認可キャリアのＥＣＣＡ検査がクリアであるかどうかを決定することができる。
【０１３３】
[00153]ＥＣＣＡモジュール１６０８は、第１の無認可キャリアに対するＣＣＡ検査がクリアでない場合、第２の無認可キャリア上でフリーズ状態に入ることができる。さらに、ＣＣＡモジュール１６１０は、第２の無認可キャリアのＥＣＣＡカウントダウンがクリアになるまで、第１の無認可キャリア上でアイドルのままであることができる。
【０１３４】
[00154]データ処理モジュール１６０６は、ＣＣＡ検査がクリアである場合、（送信モジュール１６１２を介して）第１の無認可キャリア上でデータを送信する。データ処理モジュール１６０６はまた、第２の無認可キャリアのＥＣＣＡカウントダウンが終了するとき、（送信モジュール１６１２を介して）第２の無認可キャリア上でデータを送信し得る。
【０１３５】
[00155]一態様では、ＥＣＣＡモジュール１６０８は、第１の無認可キャリアに対してＥＣＣＡカウントダウンを実行し、ＥＣＣＡカウントダウンの潜在的最終タイムスロットを決定する。ＣＣＡモジュール１６１０は、潜在的最終タイムスロット中に少なくとも２つの無認可キャリアのうちの第２の無認可キャリアに対してＣＣＡ検査を実行する。
【０１３６】
[00156]ＥＣＣＡモジュール１６０８が、第２の無認可キャリアに対するＥＣＣＡカウントダウンがクリアであるかどうかを決定し、ＣＣＡモジュール１６１０が、第１の無認可キャリアに対するＣＣＡ検査がクリアであるかどうかを決定する。さらに、ＥＣＣＡモジュール１６０８は、ＣＣＡ検査がクリアになる場合まで、第２の無認可キャリア上でフリーズ状態に入ることができ、ＣＣＡモジュール１６１０は、ＥＣＣＡカウントダウンがクリアになるまで、第１の無認可キャリア上でアイドルのままであることができる。
【０１３７】
[00157]送信モジュール１６１２は、ＣＣＡ検査がクリアである場合、第２の無認可キャリア上でデータを送信する。送信モジュール１６１２はまた、第１の無認可キャリアのＥＣＣＡカウントダウンが終了するとき、第１の無認可キャリア上でデータを送信し得る。
【０１３８】
[00158]さらなる態様では、ＥＣＣＡモジュール１６０８は、第１の無認可キャリアのＥＣＣＡカウントダウンが終了する潜在的最終タイムスロットが、第２の無認可キャリアのしきい値タイムスロットを過ぎて生じるかどうかを決定する。決定に基づいて、ＣＣＡモジュール１６１０は、第２の無認可キャリアに対してＣＣＡ検査を実行すべきかどうかを決める。
【０１３９】
[00159]否定的結果（すなわち、第１の無認可キャリアのＥＣＣＡカウントダウンが終了する潜在的最終タイムスロットがしきい値タイムスロットを過ぎて生じない）に基づいて、ＣＣＡモジュール１６１０は、第１の無認可キャリアのＥＣＣＡカウントダウンが終了するタイムスロット中に第２の無認可キャリアに対してＣＣＡ検査を実行することを決める。データ処理モジュール１６０６は、次いで、ＣＣＡ検査がクリアである場合、（送信モジュール１６１２を介して）第２の無認可キャリア上でデータを送信する。
【０１４０】
[00160]肯定的結果（すなわち、第１の無認可キャリアのＥＣＣＡカウントダウンが終了する潜在的最終タイムスロットがしきい値タイムスロットを過ぎて生じる）に基づいて、ＣＣＡモジュール１６１０は、第２の無認可キャリア上でアイドルのままであり得る。代替的に、ＣＣＡモジュール１６１０は、しきい値タイムスロット中に第２の無認可キャリアに対してＣＣＡ検査を実行することを決め得る。ＣＣＡ検査が第２の無認可キャリアに対して実行される場合、データ処理モジュール１６０６は、その後、ＣＣＡ検査がクリアである場合、（送信モジュール１６１２を介して）第２の無認可キャリア上でデータを送信し得る。
【０１４１】
[00161]またさらなる態様では、ＥＣＣＡモジュール１６０８は、第１の無認可キャリアに対してＥＣＣＡカウントダウンを実行し、第１の無認可キャリアのＥＣＣＡカウントダウンが終了する潜在的最終タイムスロットを決定する。その後、ＣＣＡモジュール１６１０は、決定されたタイムスロット中に最小２つの無認可キャリアのうちの第１の無認可キャリアと第２の無認可キャリアの両方のＣＣＡ検査を実行する。データ処理モジュール１６０６は、ＣＣＡ検査がクリアであるとき、（送信モジュール１６１２を介して）少なくとも２つの無認可キャリアのうちの第１の無認可キャリアと第２の無認可キャリアのいずれか上でデータを送信する。
【０１４２】
[00162]またさらなる態様では、ＥＣＣＡモジュール１６０８は、第１の無認可キャリアと第２の無認可キャリアとに対してＥＣＣＡカウントダウンを実行する。データ処理モジュール１６０６、ＥＣＣＡモジュール１６０８、またはＣＣＡモジュール１６１０のうちの１つまたは複数は、ＥＣＣＡカウントダウンの終了時に第１の無認可キャリアまたは第２の無認可キャリアのうちの１つまたは複数のために自己遅延状態に入ることができる。ＣＣＡモジュール１６１０は、第１の無認可キャリアまたは第２の無認可キャリアのうちの１つまたは複数の初期ＣＣＡ（ＩＣＣＡ）を実行することができる。データ処理モジュール１６０６は、第１の無認可キャリアまたは第２の無認可キャリアのうちの１つまたは複数に対するＩＣＣＡがクリアになる場合、（送信モジュール１６１２を介して）データを送信することができる。
【０１４３】
[00163]一態様では、装置１６０２がＵＥ（たとえば、ＵＥ１１５）として実施される場合、データは、基地局１６５０に送信され得る。別の態様では、装置１６０２が基地局（たとえば、基地局１０５）として実施される場合、データは、ＵＥ１６６０に送信され得る。
【０１４４】
[00164]さらなる態様では、装置１６０２がＵＥ（たとえば、ＵＥ１１５）として実施される場合、スケジューリングモジュール１６１４は、（受信モジュール１５０４を介して）少なくとも２つの無認可キャリアのうちの１つまたは複数を介して送信するためのスケジュールを基地局１６５０（または別のネットワークエンティティ）から受信し得る。スケジュールは、第１の無認可キャリア上でアイドルのままであるためのタイムスロットの最大数、第１の無認可キャリアまたは第２の無認可キャリアのうちの少なくとも１つ上のリソース許可の有効性、および／あるいは基地局への送信のための無認可キャリアの間の優先度を示し得る。スケジュールはまた、物理アップリンク制御チャネル（ＰＵＣＣＨ）を送信することに関係する情報を含み得る。
【０１４５】
[00165]本装置は、図１１〜図１５の上述のフローチャート中のアルゴリズムのステップの各々を実行する追加のモジュールを含み得る。したがって、図１１〜１５の上述のフローチャート中の各ステップは１つのモジュールによって実行され得、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１４６】
[00166]図１７は、処理システム１７１４を採用する装置１６０２’のためのハードウェア実装形態の一例を示す図１７００である。処理システム１７１４は、バス１７２４によって概略的に表されるバスアーキテクチャを用いて実装され得る。バス１７２４は、処理システム１７１４の特定の適用例および全体的な設計制約に応じて、任意の数の相互接続バスとブリッジとを含み得る。バス１７２４は、プロセッサ１７０４によって表される１つまたは複数のプロセッサおよび／またはハードウェアモジュールと、モジュール１６０４、１６０６、１６０８、１６１０、１６１２、１６１４と、コンピュータ可読媒体／メモリ１７０６とを含む様々な回路を互いにリンクする。バス１７２４はまた、タイミングソース、周辺機器、電圧調整器、および電力管理回路など、様々な他の回路をリンクし得るが、これらの回路は当技術分野においてよく知られており、したがって、これ以上説明されない。処理システム１７１４はトランシーバ１７１０に結合され得る。トランシーバ１７１０は１つまたは複数のアンテナ１７２０に結合される。トランシーバ１７１０は、伝送媒体を介して様々な他の装置と通信するための手段を与える。トランシーバ１７１０は、１つまたは複数のアンテナ１７２０から信号を受信し、受信された信号から情報を抽出し、抽出された情報を処理システム１７１４、特に受信モジュール１６０４に与える。さらに、トランシーバ１７１０は、処理システム１７１４、特に送信モジュール１６１２から情報を受信し、受信された情報に基づいて、１つまたは複数のアンテナ１７２０に適用されるべき信号を生成する。処理システム１７１４は、コンピュータ可読媒体／メモリ１７０６に結合されたプロセッサ１７０４を含む。プロセッサ１７０４は、コンピュータ可読媒体／メモリ１７０６に記憶されたソフトウェアの実行を含む一般的な処理を担当する。ソフトウェアは、プロセッサ１７０４によって実行されたとき、処理システム１７１４に、特定の装置のための上記で説明した様々な機能を実行させる。コンピュータ可読媒体／メモリ１７０６はまた、ソフトウェアを実行するときにプロセッサ１７０４によって操作されるデータを記憶するために使用され得る。処理システムは、モジュール１６０４、１６０６、１６０８、１６１０、１６１２、および１６１４のうちの少なくとも１つをさらに含む。それらのモジュールは、プロセッサ１７０４中で動作し、コンピュータ可読媒体／メモリ１７０６中に存在する／記憶されたソフトウェアモジュールであるか、プロセッサ１７０４に結合された１つまたは複数のハードウェアモジュールであるか、またはそれらの何らかの組合せであり得る。処理システム１７１４は、基地局１０５の構成要素であり得、メモリ４４２、および／またはＴＸプロセッサ４２０と、ＲＸプロセッサ４３８と、制御器／プロセッサ４４０とのうちの少なくとも１つを含み得る。処理システム１７１４は、代替的に、ＵＥ１１５の構成要素であり得、メモリ４８２、および／またはＴＸプロセッサ４６４と、ＲＸプロセッサ４５８と、制御器／プロセッサ４８０とのうちの少なくとも１つを含み得る。一構成では、ワイヤレス通信のための装置１６０２／１６０２’は、少な��とも２つの無認可キャリアを介した送信のためのデータを受信するための手段と、少なくとも２つの無認可キャリアが第１の無認可キャリアと第２の無認可キャリアとを含む、第１の無認可キャリアに対して拡張クリアチャネルアセスメント（ＥＣＣＡ）カウントダウンを実行するための手段と、第１の無認可キャリアに対するＥＣＣＡカウントダウンの１つまたは複数の潜在的最終タイムスロットから潜在的最終タイムスロットを決定するための手段と、潜在的最終タイムスロット中に第２の無認可キャリアに対してクリアチャネルアセスメント（ＣＣＡ）検査を実行するための手段と、第１の無認可キャリアのＥＣＣＡカウントダウンが潜在的最終タイムスロット中にクリアであるかどうかを決定するための手段と、第２の無認可キャリアのＣＣＡ検査が潜在的最終タイムスロット中にクリアであるかどうかを決定するための手段と、第１の無認可キャリアのＥＣＣＡカウントダウンが潜在的最終タイムスロット中にクリアであること、または第２の無認可キャリアのＣＣＡ検査が潜在的最終タイムスロット中にクリアであることのうちの１つまたは複数であるとき、第１の無認可キャリアまたは第２の無認可キャリアのうちの１つまたは複数上でデータを送信するための手段と、第１の無認可キャリアのＥＣＣＡカウントダウンが潜在的最終タイムスロット中にクリアでないとき、第１の無認可キャリアのＥＣＣＡカウントダウンがクリアになるまで、第２の無認可キャリア上でフリーズ状態に入るための手段と、第１の無認可キャリアのＥＣＣＡカウントダウンが潜在的最終タイムスロット中にクリアでないとき、第１の無認可キャリアのＥＣＣＡカウントダウンがクリアになるとき、第１の無認可キャリアまたは第２の無認可キャリアのうちの１つまたは複数上でデータを送信するための手段と、第２の無認可キャリアのＣＣＡ検査が潜在的最終タイムスロット中にクリアでないとき、第２の無認可キャリアのＣＣＡ検査がクリアになるまで、潜在的最終タイムスロットの後の少なくとも１つの追加のタイムスロットの間、第１の無認可キャリア上でアイドルのままであるための手段と、第２の無認可キャリアのＣＣＡ検査が潜在的最終タイムスロット中にクリアでないとき、第２の無認可キャリアのＣＣＡ検査がクリアになるとき、第１の無認可キャリアまたは第２の無認可キャリアのうちの１つまたは複数上でデータを送信するための手段と、少なくとも２つの無認可キャリアのうちの１つまたは複数を介してデータを送信するためのスケジュールを、基地局から受信するための手段と、ここにおいて、スケジュールが、第１の無認可キャリア上でアイドルのままであるためのタイムスロットの最大数、第１の無認可キャリアまたは第２の無認可キャリアのうちの少なくとも１つ上のリソース許可の有効性、あるいは基地局にデータを送信するための無認可キャリアの間の優先度のうちの少なくとも１つを示す、ここにおいて、スケジュールが、物理アップリンク制御チャネル（ＰＵＣＣＨ）を送信することに関係する情報を備える、少なくとも２つの無認可キャリアの各々に対して拡張クリアチャネルアセスメント（ＥＣＣＡ）カウントダウンを実行するための手段と、第２の無認可キャリアに対するＥＣＣＡカウ��トダウンの１つまたは複数の潜在的最終タイムスロットから潜在的最終タイムスロットを決定するための手段と、潜在的最終タイムスロット中に第１の無認可キャリアに対してクリアチャネルアセスメント（ＣＣＡ）検査を実行するための手段と、第２の無認可キャリアに対するＥＣＣＡカウントダウンの潜在的最終タイムスロットが到達されるまで、第１の無認可キャリアのＥＣＣＡカウントダウンの後の少なくとも１つのタイムスロット中に、第１の無認可キャリア上でアイドルのままであるための手段と、第１の無認可キャリアに対するＣＣＡ検査が潜在的最終タイムスロット中にクリアであるかどうかを決定するための手段と、第２の無認可キャリアに対するＥＣＣＡカウントダウンが潜在的最終タイムスロット中にクリアであるかどうかを決定するための手段と、第１の無認可キャリアのＣＣＡ検査が潜在的最終タイムスロット中にクリアであること、または第２の無認可キャリアのＥＣＣＡカウントダウンが潜在的最終タイムスロット中にクリアであることのうちの１つまたは複数であるとき、第１の無認可キャリアまたは第２の無認可キャリアのうちの１つまたは複数上でデータを送信するための手段と、第１の無認可キャリアのＣＣＡ検査が潜在的最終タイムスロット中にクリアでないとき、ＣＣＡ検査がクリアになるまで、第２の無認可キャリア上でフリーズ状態に入るための手段と、第１の無認可キャリアのＣＣＡ検査が潜在的最終タイムスロット中にクリアでないとき、ＣＣＡ検査が第１の無認可キャリアをクリアするとき、第１の無認可キャリアまたは第２の無認可キャリアのうちの１つまたは複数上でデータを送信するための手段と、第２の無認可キャリアのＥＣＣＡカウントダウンが潜在的最終タイムスロット中にクリアでないと決定されたとき、第２の無認可キャリアのＥＣＣＡカウントダウンがクリアになるまで、潜在的最終タイムスロットの後の少なくとも１つの追加のタイムスロットの間、第１の無認可キャリア上でアイドルのままであるための手段と、第２の無認可キャリアのＥＣＣＡカウントダウンが潜在的最終タイムスロット中にクリアでないと決定されたとき、第２の無認可キャリアに対するＥＣＣＡカウントダウンがクリアになるとき、第１の無認可キャリアまたは第２の無認可キャリアのうちの１つまたは複数上でデータを送信するための手段と、第１の無認可キャリアのＥＣＣＡカウントダウンの終了と第２の無認可キャリアのＥＣＣＡカウントダウンが潜在的最終タイムスロット中にクリアでないと決定されたときに第２の無認可キャリアのＥＣＣＡカウントダウンが終了する潜在的最終タイムスロットとの間のタイムスロットの潜在的な数を決定するための手段と、タイムスロットの潜在的な数がしきい値よりも大きいとき、第１の無認可キャリアに対してＣＣＡ検査を実行するための手段と、第１の無認可キャリアのＥＣＣＡカウントダウンを実行するための第１の潜在的カウントダウン値を決定するための手段と、第１の無認可キャリアのＥＣＣＡカウントダウンの終了と第２の無認可キャリアのＥＣＣＡカウントダウンの終了との間の第２の潜在的カウントダウン値を決定するための手段と、デューティサイクルがしきい値よりも大きいときに第１の無認可キャリア��対してＣＣＡ検査を実行するための手段と、ここにおいて、デューティサイクルが、第２の潜在的カウントダウン値を第１の潜在的カウントダウン値と第２の潜在的カウントダウン値との和で割った値に等しい、第１の無認可キャリアに対して拡張クリアチャネルアセスメント（ＥＣＣＡ）カウントダウンを実行するための手段と、第２の無認可キャリアのしきい値タイムスロットを過ぎて第１の無認可キャリアに対するＥＣＣＡカウントダウンの潜在的最終タイムスロットが生じるかどうかを決定するための手段と、決定に基づいて第２の無認可キャリアに対してクリアチャネルアセスメント（ＣＣＡ）検査を実行すべきかどうかを決めるための手段と、潜在的最終タイムスロット中に第１の無認可キャリアと第２の無認可キャリアの両方のクリアチャネルアセスメント（ＣＣＡ）検査を実行するための手段と、第１の無認可キャリアのＣＣＡ検査がクリアになる場合、第１の無認可キャリアまたは第２の無認可キャリアのうちの１つまたは複数上でデータを送信するための手段と、第１の無認可キャリアと第２の無認可キャリアとに対して拡張クリアチャネルアセスメント（ＥＣＣＡ）カウントダウンを実行するための手段と、第１の無認可キャリアまたは第２の無認可キャリアのうちの１つまたは複数上で遅延状態に入るための手段と、遅延状態の終了時に第１の無認可キャリアまたは第２の無認可キャリアのうちの１つまたは複数に対して初期クリアチャネルアセスメント（ＩＣＣＡ）を実行するための手段と、ＩＣＣＡがクリアになる場合、第１の無認可キャリアまたは第２の無認可キャリアのうちの１つまたは複数上でデータを送信するための手段とを含む。
【０１４７】
[00167]上述の手段は、上述の手段によって具陳された機能を実行するように構成された、装置１６０２、および／または装置１６０２’の処理システム１７１４の上述のモジュールのうちの１つまたは複数であり得る。上記で説明したように、処理システム１７１４は、ＴＸプロセッサ４２０と、ＲＸプロセッサ４３８と、制御器／プロセッサ４４０とを含み得る。したがって、一構成では、上述の手段は、上述の手段によって具陳された機能を実行するように構成された、ＴＸプロセッサ４２０と、ＲＸプロセッサ４３８と、制御器／プロセッサ４４０とであり得る。代替的に、上記で説明したように、処理システム１７１４は、ＴＸプロセッサ４６４と、ＲＸプロセッサ４５８と、制御器／プロセッサ４８０とを含み得る。したがって、一構成では、上述の手段は、上述の手段によって具陳された機能を実行するように構成された、ＴＸプロセッサ４６４と、ＲＸプロセッサ４５８と、制御器／プロセッサ４８０とであり得る。
【０１４８】
[00168]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１４９】
[00169]さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈されるべきではない。当業者はまた、本明細書で説明した構成要素、方法、または相互作用の順序あるいは組合せは例にすぎないこと、および本開示の様々な態様の構成要素、方法、または相互作用は、本明細書で例示し、説明したもの以外の方法で組み合わせられるかまたは実行され得ることを容易に認識されよう。
【０１５０】
[00170]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、制御器、マイクロ制御器、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１５１】
[00171]本明細書の開示に関して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取ることができ、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末内に存在し得る。代替として、プロセッサおよび記憶媒体は、ユーザ端末中に個別構成要素として存在し得る。
【０１５２】
[00172]１つまたは複数の例示的な設計では、説明した機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気記憶デバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【０１５３】
[00173]特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１５４】
[00174]本開示についての以上の説明は、いかなる当業者も本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対して拡張クリアチャネルアセスメント（ＥＣＣＡ）カウントダウンを実行することと、
前記第１の無認可キャリアに対する前記ＥＣＣＡカウントダウンの１つまたは複数の潜在的最終タイムスロットから潜在的最終タイムスロットを決定することと、
前記潜在的最終タイムスロット中に前記第２の無認可キャリアに対してクリアチャネルアセスメント（ＣＣＡ）検査を実行することと
を備える、ワイヤレス通信の方法。
［Ｃ２］
前記第１の無認可キャリアの前記ＥＣＣＡカウントダウンが前記潜在的最終タイムスロット中にクリアであるかどうかを決定することと、
前記第２の無認可キャリアの前記ＣＣＡ検査が前記潜在的最終タイムスロット中にクリアであるかどうかを決定することと
をさらに備える、Ｃ１に記載の方法。
［Ｃ３］
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信することをさらに備える、
Ｃ２に記載の方法。
［Ｃ４］
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入ることと、
前記第１の無認可キャリアの前記ＥＣＣＡカウントダウンがクリアになるとき、前記第１の無認可キャリアまたは前記第２の無認可キャリアのうちの１つまたは複数上で前記データを送信することと
をさらに備える、Ｃ２に記載の方法。
［Ｃ５］
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであることと、
前記第２の無認可キャリアの前記ＣＣＡ検査がクリアになるとき、前記第１の無認可キャリアまたは前記第２の無認可キャリアのうちの１つまたは複数上で前記データを送信することと
をさらに備える、Ｃ２に記載の方法。
［Ｃ６］
前記少なくとも２つの無認可キャリアのうちの１つまたは複数を介して前記データを送信するためのスケジュールを、基地局から受信することをさらに備える、
Ｃ１に記載の方法。
［Ｃ７］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、Ｃ６に記載の方法。
［Ｃ８］
前記スケジュールは、物理アップリンク制御チャネル（ＰＵＣＣＨ）を送信することに関係する情報を備える、
Ｃ６に記載の方法。
［Ｃ９］
少なくとも２つの無認可キャリアを介した送信のためのデータを受信すること、前記少なくとも２つの無認可キャリアは、第１の無認可キャリアと第２の無認可キャリアとを含む、と、
前記少なくとも２つの無認可キャリアの各々に対して拡張クリアチャネルアセスメント（ＥＣＣＡ）カウントダウンを実行することと、
前記第２の無認可キャリアに対する前記ＥＣＣＡカウントダウンの１つまたは複数の潜在的最終タイムスロットから潜在的最終タイムスロットを決定することと、
前記潜在的最終タイムスロット中に前記第１の無認可キャリアに対してクリアチャネルアセスメント（ＣＣＡ）検査を実行することと
を備える、ワイヤレス通信の方法。
［Ｃ１０］
前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであることをさらに備える、
Ｃ９に記載の方法。
［Ｃ１１］
前記第１の無認可キャリアに対する前記ＣＣＡ検査が前記潜在的最終タイムスロット中にクリアであるかどうかを決定することと、
前記第２の無認可キャリアに対する前記ＥＣＣＡカウントダウンが前記潜在的最終タイムスロット中にクリアであるかどうかを決定することと
をさらに備える、Ｃ１０に記載の方法。
［Ｃ１２］
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信すること
をさらに備える、Ｃ１１に記載の方法。
［Ｃ１３］
前記第１の無認可キャリアの前記ＣＣＡ検査が前記潜在的最終タイムスロット中にクリアでないとき、前記ＣＣＡ検査がクリアになるまで、前記第２の無認可キャリア上でフリーズ状態に入ることと、
前記ＣＣＡ検査が前記第１の無認可キャリアをクリアするとき、前記第１の無認可キャリアまたは前記第２の無認可キャリアのうちの１つまたは複数上で前記データを送信することと
をさらに備える、Ｃ１１に記載の方法。
［Ｃ１４］
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであることと、
前記第２の無認可キャリアに対する前記ＥＣＣＡカウントダウンがクリアになるとき、前記第１の無認可キャリアまたは前記第２の無認可キャリアのうちの１つまたは複数上で前記データを送信することと
をさらに備える、Ｃ１１に記載の方法。
［Ｃ１５］
前記ＣＣＡ検査を前記実行することは、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定することと、
タイムスロットの前記潜在的な数がしきい値よりも大きいとき、前記第１の無認可キャリアに対して前記ＣＣＡ検査を実行することと
を備える、Ｃ９に記載の方法。
［Ｃ１６］
前記ＣＣＡ検査を前記実行することは、
前記第１の無認可キャリアの前記ＥＣＣＡカウントダウンを実行するための第１の潜在的カウントダウン値を決定することと、
前記第１の無認可キャリアの前記ＥＣＣＡカウントダウンの終了と前記第２の無認可キャリアの前記ＥＣＣＡカウントダウンの終了との間の第２の潜在的カウントダウン値を決定することと、
デューティサイクルがしきい値よりも大きいときに前記第１の無認可キャリアに対して前記ＣＣＡ検査を実行すること、ここにおいて、前記デューティサイクルは、前記第２の潜在的カウントダウン値を前記第１の潜在的カウントダウン値と前記第２の潜在的カウントダウン値との和で割った値に等しい、と
を備える、Ｃ９に記載の方法。
［Ｃ１７］
前記少なくとも２つの無認可キャリアのうちの１つまたは複数を介して送信するためのスケジュールを、基地局から受信することをさらに備える、
Ｃ９に記載の方法。
［Ｃ１８］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、Ｃ１７に記載の方法。
［Ｃ１９］
前記スケジュールは、物理アップリンク制御チャネル（ＰＵＣＣＨ）を送信することに関係する情報を備える、
Ｃ１７に記載の方法。
［Ｃ２０］
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対して拡張クリアチャネルアセスメント（ＥＣＣＡ）カウントダウンを実行することと、
前記第２の無認可キャリアのしきい値タイムスロットを過ぎて前記第１の無認可キャリアに対する前記ＥＣＣＡカウントダウンの潜在的最終タイムスロットが生じるかどうかを決定することと、
前記決定に基づいて前記第２の無認可キャリアに対してクリアチャネルアセスメント（ＣＣＡ）検査を実行すべきかどうかを決めることと
を備える、ワイヤレス通信の方法。
［Ｃ２１］
前記潜在的最終タイムスロット中に、前記第１の無認可キャリアに対してＣＣＡ検査を実行し、前記第２の無認可キャリアに対して前記ＣＣＡ検査を実行することと、
前記第１の無認可キャリアの前記ＣＣＡ検査がクリアになる場合、前記第１の無認可キャリアまたは前記第２の無認可キャリアのうちの１つまたは複数上で前記データを送信することと
をさらに備える、Ｃ２０に記載の方法。
［Ｃ２２］
少なくとも２つの無認可キャリアを介した送信のためのデータを受信すること、前記少なくとも２つの無認可キャリアが第１の無認可キャリアと第２の無認可キャリアとを含む、と、
前記第１の無認可キャリアと前記第２の無認可キャリアとに対して拡張クリアチャネルアセスメント（ＥＣＣＡ）カウントダウンを実行することと、
前記第１の無認可キャリアまたは前記第２の無認可キャリアのうちの１つまたは複数上で遅延状態に入ることと、
前記遅延状態の終了時に前記第１の無認可キャリアまたは前記第２の無認可キャリアのうちの前記１つまたは複数に対して初期クリアチャネルアセスメント（ＩＣＣＡ）を実行することと、
前記ＩＣＣＡがクリアになる場合、前記第１の無認可キャリアまたは前記第２の無認可キャリアのうちの前記１つまたは複数上で前記データを送信することと
を備える、ワイヤレス通信の方法。
［Ｃ２３］
少なくとも２つの無認可キャリアを介した送信のためのデータを受信するための手段、前記少なくとも２つの無認可キャリアが第１の無認可キャリアと第２の無認可キャリアとを含む、と、
前記第１の無認可キャリアに対して拡張クリアチャネルアセスメント（ＥＣＣＡ）カウントダウンを実行するための手段と、
前記第１の無認可キャリアに対する前記ＥＣＣＡカウントダウンの１つまたは複数の潜在的最終タイムスロットから潜在的最終タイムスロットを決定するための手段と、
前記潜在的最終タイムスロット中に前記第２の無認可キャリアに対してクリアチャネルアセスメント（ＣＣＡ）検査を実行するための手段と
を備える、ワイヤレス通信のための装置。
［Ｃ２４］
前記第１の無認可キャリアの前記ＥＣＣＡカウントダウンが前記潜在的最終タイムスロット中にクリアであるかどうかを決定するための手段と、
前記第２の無認可キャリアの前記ＣＣＡ検査が前記潜在的最終タイムスロット中にクリアであるかどうかを決定するための手段と
をさらに備える、Ｃ２３に記載の装置。
［Ｃ２５］
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信するための手段をさらに備える、
Ｃ２４に記載の装置。
［Ｃ２６］
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入るための手段と、
前記第１の無認可キャリアの前記ＥＣＣＡカウントダウンがクリアになるとき、前記第１の無認可キャリアまたは前記第２の無認可キャリアのうちの１つまたは複数上で前記データを送信するための手段と
をさらに備える、Ｃ２４に記載の装置。
［Ｃ２７］
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであるための手段と、
前記第２の無認可キャリアの前記ＣＣＡ検査がクリアになるとき、前記第１の無認可キャリアまたは前記第２の無認可キャリアのうちの１つまたは複数上で前記データを送信するための手段と
をさらに備える、Ｃ２４に記載の装置。
［Ｃ２８］
前記少なくとも２つの無認可キャリアのうちの１つまたは複数を介して前記データを送信するためのスケジュールを、基地局から受信するための手段をさらに備える、
Ｃ２３に記載の装置。
［Ｃ２９］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、Ｃ２８に記載の装置。
［Ｃ３０］
前記スケジュールは、物理アップリンク制御チャネル（ＰＵＣＣＨ）を送信することに関係する情報を備える、
Ｃ２８に記載の装置。
［Ｃ３１］
少なくとも２つの無認可キャリアを介した送信のためのデータを受信するための手段、前記少なくとも２つの無認可キャリアが第１の無認可キャリアと第２の無認可キャリアとを含む、と、
前記少なくとも２つの無認可キャリアの各々に対して拡張クリアチャネルアセスメント（ＥＣＣＡ）カウントダウンを実行するための手段と、
前記第２の無認可キャリアに対する前記ＥＣＣＡカウントダウンの１つまたは複数の潜在的最終タイムスロットから潜在的最終タイムスロットを決定するための手段と、
前記潜在的最終タイムスロット中に前記第１の無認可キャリアに対してクリアチャネルアセスメント（ＣＣＡ）検査を実行するための手段と
を備える、ワイヤレス通信のための装置。
［Ｃ３２］
前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであるための手段をさらに備える、
Ｃ３１に記載の装置。
［Ｃ３３］
前記第１の無認可キャリアに対する前記ＣＣＡ検査が前記潜在的最終タイムスロット中にクリアであるかどうかを決定するための手段と、
前記第２の無認可キャリアに対する前記ＥＣＣＡカウントダウンが前記潜在的最終タイムスロット中にクリアであるかどうかを決定するための手段と
をさらに備える、Ｃ３１に記載の装置。
［Ｃ３４］
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信することをさらに備える、
Ｃ３３に記載の装置。
［Ｃ３５］
前記第１の無認可キャリアの前記ＣＣＡ検査が前記潜在的最終タイムスロット中にクリアでないとき、前記ＣＣＡ検査がクリアになるまで、前記第２の無認可キャリア上でフリーズ状態に入るための手段と、
前記ＣＣＡ検査が前記第１の無認可キャリアをクリアするとき、前記第１の無認可キャリアまたは前記第２の無認可キャリアのうちの１つまたは複数上で前記データを送信するための手段と
をさらに備える、Ｃ３３に記載の装置。
［Ｃ３６］
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであるための手段と、
前記第２の無認可キャリアに対する前記ＥＣＣＡカウントダウンがクリアになるとき、前記第１の無認可キャリアまたは前記第２の無認可キャリアのうちの１つまたは複数上で前記データを送信するための手段と
をさらに備える、Ｃ３３に記載の装置。
［Ｃ３７］
前記ＣＣＡ検査を前記実行するための手段は、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定するための手段と、
タイムスロットの前記潜在的な数がしきい値よりも大きいとき、前記第１の無認可キャリアに対して前記ＣＣＡ検査を実行するための手段と
を備える、Ｃ３１に記載の装置。
［Ｃ３８］
前記ＣＣＡ検査を前記実行するための手段は、
前記第１の無認可キャリアの前記ＥＣＣＡカウントダウンを実行するための第１の潜在的カウントダウン値を決定するための手段と、
前記第１の無認可キャリアの前記ＥＣＣＡカウントダウンの終了と前記第２の無認可キャリアの前記ＥＣＣＡカウントダウンの終了との間の第２の潜在的カウントダウン値を決定するための手段と、
デューティサイクルがしきい値よりも大きいときに前記第１の無認可キャリアに対して前記ＣＣＡ検査を実行するための手段、ここにおいて、前記デューティサイクルが、前記第２の潜在的カウントダウン値を前記第１の潜在的カウントダウン値と前記第２の潜在的カウントダウン値との和で割った値に等しい、と
を備える、Ｃ３１に記載の装置。
［Ｃ３９］
前記少なくとも２つの無認可キャリアのうちの１つまたは複数を介して送信するためのスケジュールを、基地局から受信するための手段をさらに備える、
Ｃ３１に記載の装置。
［Ｃ４０］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、Ｃ３９に記載の装置。
［Ｃ４１］
前記スケジュールは、物理アップリンク制御チャネル（ＰＵＣＣＨ）を送信することに関係する情報を備える、
Ｃ３９に記載の装置。
［Ｃ４２］
少なくとも２つの無認可キャリアを介した送信のためのデータを受信するための手段、前記少なくとも２つの無認可キャリアが第１の無認可キャリアと第２の無認可キャリアとを含む、と、
前記第１の無認可キャリアに対して拡張クリアチャネルアセスメント（ＥＣＣＡ）カウントダウンを実行するための手段と、
前記第２の無認可キャリアのしきい値タイムスロットを過ぎて前記第１の無認可キャリアに対する前記ＥＣＣＡカウントダウンの潜在的最終タイムスロットが生じるかどうかを決定するための手段と、
前記決定に基づいて前記第２の無認可キャリアに対してクリアチャネルアセスメント（ＣＣＡ）検査を実行すべきかどうかを決めるための手段と
を備える、ワイヤレス通信のための装置。
［Ｃ４３］
前記潜在的最終タイムスロット中に、前記第１の無認可キャリアに対してＣＣＡ検査を実行し、前記第２の無認可キャリアに対して前記ＣＣＡ検査を実行するための手段と、
前記第１の無認可キャリアの前記ＣＣＡ検査がクリアになる場合、前記第１の無認可キャリアまたは前記第２の無認可キャリアのうちの１つまたは複数上で前記データを送信するための手段と
をさらに備える、Ｃ４２に記載の装置。
［Ｃ４４］
少なくとも２つの無認可キャリアを介した送信のためのデータを受信するための手段、前記少なくとも２つの無認可キャリアが第１の無認可キャリアと第２の無認可キャリアとを含む、と、
前記第１の無認可キャリアと前記第２の無認可キャリアとに対して拡張クリアチャネルアセスメント（ＥＣＣＡ）カウントダウンを実行するための手段と、
前記第１の無認可キャリアまたは前記第２の無認可キャリアのうちの１つまたは複数上で遅延状態に入るための手段と、
前記遅延状態の終了時に前記第１の無認可キャリアまたは前記第２の無認可キャリアのうちの前記１つまたは複数に対して初期クリアチャネルアセスメント（ＩＣＣＡ）を実行するための手段と、
前記ＩＣＣＡがクリアになる場合、前記第１の無認可キャリアまたは前記第２の無認可キャリアのうちの前記１つまたは複数上で前記データを送信するための手段と
を備える、ワイヤレス通信のための装置。
［Ｃ４５］
メモリと、
前記メモリに結合された少なくとも１つのプロセッサと
を備え、前記少なくとも１つのプロセッサは、
少なくとも２つの無認可キャリアを介した送信のためのデータを受信すること、前記少なくとも２つの無認可キャリアが第１の無認可キャリアと第２の無認可キャリアとを含む、と、
前記第１の無認可キャリアに対して拡張クリアチャネルアセスメント（ＥＣＣＡ）カウントダウンを実行することと、
前記第１の無認可キャリアに対する前記ＥＣＣＡカウントダウンの１つまたは複数の潜在的最終タイムスロットから潜在的最終タイムスロットを決定することと、
前記潜在的最終タイムスロット中に前記第２の無認可キャリアに対してクリアチャネルアセスメント（ＣＣＡ）検査を実行することと
を行うように構成された、ワイヤレス通信のための装置。
［Ｃ４６］
前記少なくとも１つのプロセッサは、
前記第１の無認可キャリアの前記ＥＣＣＡカウントダウンが前記潜在的最終タイムスロット中にクリアであるかどうかを決定することと、
前記第２の無認可キャリアの前記ＣＣＡ検査が前記潜在的最終タイムスロット中にクリアであるかどうかを決定することと
を行うようにさらに構成された、Ｃ４５に記載の装置。
［Ｃ４７］
前記少なくとも１つのプロセッサは、
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信することを行うようにさらに構成された、
Ｃ４６に記載の装置。
［Ｃ４８］
前記少なくとも１つのプロセッサは、
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入ることと、
前記第１の無認可キャリアの前記ＥＣＣＡカウントダウンがクリアになるとき、前記第１の無認可キャリアまたは前記第２の無認可キャリアのうちの１つまたは複数上で前記データを送信することと
を行うようにさらに構成された、Ｃ４６に記載の装置。
［Ｃ４９］
前記少なくとも１つのプロセッサは、
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであることと、
前記第２の無認可キャリアの前記ＣＣＡ検査がクリアになるとき、前記第１の無認可キャリアまたは前記第２の無認可キャリアのうちの１つまたは複数上で前記データを送信することと
を行うようにさらに構成された、Ｃ４６に記載の装置。
［Ｃ５０］
前記少なくとも１つのプロセッサは、前記少なくとも２つの無認可キャリアのうちの１つまたは複数を介して前記データを送信するためのスケジュールを、基地局から受信するようにさらに構成された、
Ｃ４５に記載の装置。
［Ｃ５１］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、Ｃ５０に記載の装置。
［Ｃ５２］
前記スケジュールは、物理アップリンク制御チャネル（ＰＵＣＣＨ）を送信することに関係する情報を備える、
Ｃ５０に記載の装置。
［Ｃ５３］
メモリと、
前記メモリに結合された少なくとも１つのプロセッサと
を備え、前記少なくとも１つのプロセッサは、
少なくとも２つの無認可キャリアを介した送信のためのデータを受信すること、前記少なくとも２つの無認可キャリアが第１の無認可キャリアと第２の無認可キャリアとを含む、と、
前記少なくとも２つの無認可キャリアの各々に対して拡張クリアチャネルアセスメント（ＥＣＣＡ）カウントダウンを実行することと、
前記第２の無認可キャリアに対する前記ＥＣＣＡカウントダウンの１つまたは複数の潜在的最終タイムスロットから潜在的最終タイムスロットを決定することと、
前記潜在的最終タイムスロット中に前記第１の無認可キャリアに対してクリアチャネルアセスメント（ＣＣＡ）検査を実行することと
を行うように構成された、ワイヤレス通信のための装置。
［Ｃ５４］
前記少なくとも１つのプロセッサは、前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであるようにさらに構成された、
Ｃ５３に記載の装置。
［Ｃ５５］
前記少なくとも１つのプロセッサは、
前記第１の無認可キャリアに対する前記ＣＣＡ検査が前記潜在的最終タイムスロット中にクリアであるかどうかを決定することと、
前記第２の無認可キャリアに対する前記ＥＣＣＡカウントダウンが前記潜在的最終タイムスロット中にクリアであるかどうかを決定することと
を行うようにさらに構成された、Ｃ５４に記載の装置。
［Ｃ５６］
前記少なくとも１つのプロセッサは、
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信することを行うようにさらに構成された、
Ｃ５５に記載の装置。
［Ｃ５７］
前記少なくとも１つのプロセッサは、
前記ＣＣＡ検査がクリアになるまで、前記第２の無認可キャリア上でフリーズ状態に入ることと、
前記第１の無認可キャリアの前記ＣＣＡ検査が前記潜在的最終タイムスロット中にクリアでないとき、前記ＣＣＡ検査が前記第１の無認可キャリアをクリアするとき、前記第１の無認可キャリアまたは前記第２の無認可キャリアのうちの１つまたは複数上で前記データを送信することと
を行うようにさらに構成された、Ｃ５５に記載の装置。
［Ｃ５８］
前記少なくとも１つのプロセッサは、
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであることと、
前記第２の無認可キャリアに対する前記ＥＣＣＡカウントダウンがクリアになるとき、前記第１の無認可キャリアまたは前記第２の無認可キャリアのうちの１つまたは複数上で前記データを送信することと
を行うようにさらに構成された、Ｃ５５に記載の装置。
［Ｃ５９］
前記少なくとも１つのプロセッサは、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定することと、
タイムスロットの前記潜在的な数がしきい値よりも大きいとき、前記第１の無認可キャリアに対して前記ＣＣＡ検査を実行することと
によって前記ＣＣＡ検査を実行するようにさらに構成された、Ｃ５３に記載の装置。
［Ｃ６０］
前記少なくとも１つのプロセッサは、
前記第１の無認可キャリアの前記ＥＣＣＡカウントダウンを実行するための第１の潜在的カウントダウン値を決定することと、
前記第１の無認可キャリアの前記ＥＣＣＡカウントダウンの終了と前記第２の無認可キャリアの前記ＥＣＣＡカウントダウンの終了との間の第２の潜在的カウントダウン値を決定することと、
デューティサイクルがしきい値よりも大きいときに前記第１の無認可キャリアに対して前記ＣＣＡ検査を実行すること、ここにおいて、前記デューティサイクルが、前記第２の潜在的カウントダウン値を前記第１の潜在的カウントダウン値と前記第２の潜在的カウントダウン値との和で割った値に等しい、と
によって前記ＣＣＡ検査を実行するようにさらに構成された、Ｃ５３に記載の装置。
［Ｃ６１］
前記少なくとも１つのプロセッサは、前記少なくとも２つの無認可キャリアのうちの１つまたは複数を介して送信するためのスケジュールを、基地局から受信するようにさらに構成された、
Ｃ５３に記載の装置。
［Ｃ６２］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、Ｃ６１に記載の装置。
［Ｃ６３］
前記スケジュールは、物理アップリンク制御チャネル（ＰＵＣＣＨ）を送信することに関係する情報を備える、
Ｃ６１に記載の装置。
［Ｃ６４］
メモリと、
前記メモリに結合された少なくとも１つのプロセッサと
を備え、前記少なくとも１つのプロセッサは、
少なくとも２つの無認可キャリアを介した送信のためのデータを受信すること、前記少なくとも２つの無認可キャリアが第１の無認可キャリアと第２の無認可キャリアとを含む、と、
前記第１の無認可キャリアに対して拡張クリアチャネルアセスメント（ＥＣＣＡ）カウントダウンを実行することと、
前記第２の無認可キャリアのしきい値タイムスロットを過ぎて前記第１の無認可キャリアに対する前記ＥＣＣＡカウントダウンの潜在的最終タイムスロットが生じるかどうかを決定することと、
前記決定に基づいて前記第２の無認可キャリアに対してクリアチャネルアセスメント（ＣＣＡ）検査を実行すべきかどうかを決めることと
を行うように構成された、ワイヤレス通信のための装置。
［Ｃ６５］
前記少なくとも１つのプロセッサは、
前記潜在的最終タイムスロット中に、前記第１の無認可キャリアに対してＣＣＡ検査を実行し、前記第２の無認可キャリアに対して前記ＣＣＡ検査を実行することと、
前記第１の無認可キャリアの前記ＣＣＡ検査がクリアになる場合、前記第１の無認可キャリアまたは前記第２の無認可キャリアのうちの１つまたは複数上で前記データを送信することと
を行うようにさらに構成された、Ｃ６４に記載の装置。
［Ｃ６６］
メモリと、
前記メモリに結合された少なくとも１つのプロセッサと
を備え、前記少なくとも１つのプロセッサは、
少なくとも２つの無認可キャリアを介した送信のためのデータを受信することと、前記少なくとも２つの無認可キャリアが第１の無認可キャリアと第２の無認可キャリアとを含む、
前記第１の無認可キャリアと前記第２の無認可キャリアとに対して拡張クリアチャネルアセスメント（ＥＣＣＡ）カウントダウンを実行することと、
前記第１の無認可キャリアまたは前記第２の無認可キャリアのうちの１つまたは複数上で遅延状態に入ることと、
前記遅延状態の終了時に前記第１の無認可キャリアまたは前記第２の無認可キャリアのうちの前記１つまたは複数に対して初期クリアチャネルアセスメント（ＩＣＣＡ）を実行することと、
前記ＩＣＣＡがクリアになる場合、前記第１の無認可キャリアまたは前記第２の無認可キャリアのうちの前記１つまたは複数上で前記データを送信することと
を行うように構成された、ワイヤレス通信のための装置。
［Ｃ６７］
ワイヤレス通信のためのコンピュータ実行可能コードを記憶するコンピュータ可読媒体であって、
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対して拡張クリアチャネルアセスメント（ＥＣＣＡ）カウントダウンを実行することと、
前記第１の無認可キャリアに対する前記ＥＣＣＡカウントダウンの１つまたは複数の潜在的最終タイムスロットから潜在的最終タイムスロットを決定することと、
前記潜在的最終タイムスロット中に前記第２の無認可キャリアに対してクリアチャネルアセスメント（ＣＣＡ）検査を実行することと
を行うためのコードを備える、コンピュータ可読媒体。
［Ｃ６８］
前記第１の無認可キャリアの前記ＥＣＣＡカウントダウンが前記潜在的最終タイムスロット中にクリアであるかどうかを決定することと、
前記第２の無認可キャリアの前記ＣＣＡ検査が前記潜在的最終タイムスロット中にクリアであるかどうかを決定することと
を行うためのコードをさらに備える、Ｃ６７に記載のコンピュータ可読媒体。
［Ｃ６９］
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信すること
を行うためのコードをさらに備える、Ｃ６８に記載のコンピュータ可読媒体。
［Ｃ７０］
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入ることと、
前記第１の無認可キャリアの前記ＥＣＣＡカウントダウンがクリアになるとき、前記第１の無認可キャリアまたは前記第２の無認可キャリアのうちの１つまたは複数上で前記データを送信することと
を行うためのコードをさらに備える、Ｃ６８に記載のコンピュータ可読媒体。
［Ｃ７１］
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであることと、
前記第２の無認可キャリアの前記ＣＣＡ検査がクリアになるとき、前記第１の無認可キャリアまたは前記第２の無認可キャリアのうちの１つまたは複数上で前記データを送信することと
を行うためのコードをさらに備える、Ｃ６８に記載のコンピュータ可読媒体。
［Ｃ７２］
前記少なくとも２つの無認可キャリアのうちの１つまたは複数を介して前記データを送信するためのスケジュールを、基地局から受信するためのコードをさらに備える、
Ｃ６７に記載のコンピュータ可読媒体。
［Ｃ７３］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、Ｃ７２に記載のコンピュータ可読媒体。
［Ｃ７４］
前記スケジュールは、物理アップリンク制御チャネル（ＰＵＣＣＨ）を送信することに関係する情報を備える、
Ｃ７２に記載のコンピュータ可読媒体。
［Ｃ７５］
ワイヤレス通信のためのコンピュータ実行可能コードを記憶するコンピュータ可読媒体であって、
少なくとも２つの無認可キャリアを介した送信のためのデータを受信すること、前記少なくとも２つの無認可キャリアは、第１の無認可キャリアと第２の無認可キャリアとを含む、と、
前記少なくとも２つの無認可キャリアの各々に対して拡張クリアチャネルアセスメント（ＥＣＣＡ）カウントダウンを実行することと、
前記第２の無認可キャリアに対する前記ＥＣＣＡカウントダウンの１つまたは複数の潜在的最終タイムスロットから潜在的最終タイムスロットを決定することと、
前記潜在的最終タイムスロット中に前記第１の無認可キャリアに対してクリアチャネルアセスメント（ＣＣＡ）検査を実行することと
を行うためのコードを備える、コンピュータ可読媒体。
［Ｃ７６］
前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであるためのコードをさらに備える、
Ｃ７５に記載のコンピュータ可読媒体。
［Ｃ７７］
前記第１の無認可キャリアに対する前記ＣＣＡ検査が前記潜在的最終タイムスロット中にクリアであるかどうかを決定することと、
前記第２の無認可キャリアに対する前記ＥＣＣＡカウントダウンが前記潜在的最終タイムスロット中にクリアであるかどうかを決定することと
を行うためのコードをさらに備える、Ｃ７６に記載のコンピュータ可読媒体。
［Ｃ７８］
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信することを行うためのコードをさらに備える、
Ｃ７７に記載のコンピュータ可読媒体。
［Ｃ７９］
前記第１の無認可キャリアの前記ＣＣＡ検査が前記潜在的最終タイムスロット中にクリアでないとき、前記ＣＣＡ検査がクリアになるまで、前記第２の無認可キャリア上でフリーズ状態に入ることと、
前記ＣＣＡ検査が前記第１の無認可キャリアをクリアするとき、前記第１の無認可キャリアまたは前記第２の無認可キャリアのうちの１つまたは複数上で前記データを送信することと
を行うためのコードをさらに備える、Ｃ７７に記載のコンピュータ可読媒体。
［Ｃ８０］
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであることと、
前記第２の無認可キャリアに対する前記ＥＣＣＡカウントダウンがクリアになるとき、前記第１の無認可キャリアまたは前記第２の無認可キャリアのうちの１つまたは複数上で前記データを送信することと
を行うためのコードをさらに備える、Ｃ７７に記載のコンピュータ可読媒体。
［Ｃ８１］
前記ＣＣＡ検査を実行するための前記コードは、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定することと、
タイムスロットの前記潜在的な数がしきい値よりも大きいとき、前記第１の無認可キャリアに対して前記ＣＣＡ検査を実行することと
を行うためのコードをさらに備える、Ｃ７５に記載のコンピュータ可読媒体。
［Ｃ８２］
前記ＣＣＡ検査を実行するための前記コードは、
前記第１の無認可キャリアの前記ＥＣＣＡカウントダウンを実行するための第１の潜在的カウントダウン値を決定することと、
前記第１の無認可キャリアの前記ＥＣＣＡカウントダウンの終了と前記第２の無認可キャリアの前記ＥＣＣＡカウントダウンの終了との間の第２の潜在的カウントダウン値を決定することと、
デューティサイクルがしきい値よりも大きいときに前記第１の無認可キャリアに対して前記ＣＣＡ検査を実行すること、ここにおいて、前記デューティサイクルが、前記第２の潜在的カウントダウン値を前記第１の潜在的カウントダウン値と前記第２の潜在的カウントダウン値との和で割った値に等しい、と
を行うためのコードをさらに備える、Ｃ７５に記載のコンピュータ可読媒体。
［Ｃ８３］
前記少なくとも２つの無認可キャリアのうちの１つまたは複数を介して送信するためのスケジュールを、基地局から受信するためのコードをさらに備える、
Ｃ７５に記載のコンピュータ可読媒体。
［Ｃ８４］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、Ｃ８３に記載のコンピュータ可読媒体。
［Ｃ８５］
前記スケジュールは、物理アップリンク制御チャネル（ＰＵＣＣＨ）を送信することに関係する情報を備える、
Ｃ８３に記載のコンピュータ可読媒体。
［Ｃ８６］
ワイヤレス通信のためのコンピュータ実行可能コードを記憶するコンピュータ可読媒体であって、
少なくとも２つの無認可キャリアを介した送信のためのデータを受信することと、前記少なくとも２つの無認可キャリアが第１の無認可キャリアと第２の無認可キャリアとを含む、
前記第１の無認可キャリアに対して拡張クリアチャネルアセスメント（ＥＣＣＡ）カウントダウンを実行することと、
前記第２の無認可キャリアのしきい値タイムスロットを過ぎて前記第１の無認可キャリアに対する前記ＥＣＣＡカウントダウンの潜在的最終タイムスロットが生じるかどうかを決定することと、
前記決定に基づいて前記第２の無認可キャリアに対してクリアチャネルアセスメント（ＣＣＡ）検査を実行すべきかどうかを決めることと
を行うためのコードを備える、コンピュータ可読媒体。
［Ｃ８７］
前記潜在的最終タイムスロット中に、前記第１の無認可キャリアに対してＣＣＡ検査を実行し、前記第２の無認可キャリアに対して前記ＣＣＡ検査を実行することと、
前記第１の無認可キャリアの前記ＣＣＡ検査がクリアになる場合、前記第１の無認可キャリアまたは前記第２の無認可キャリアのうちの１つまたは複数上で前記データを送信することと
を行うためのコードをさらに備える、Ｃ８６に記載のコンピュータ可読媒体。
［Ｃ８８］
ワイヤレス通信のためのコンピュータ実行可能コードを記憶するコンピュータ可読媒体であって、
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアと前記第２の無認可キャリアとに対して拡張クリアチャネルアセスメント（ＥＣＣＡ）カウントダウンを実行することと、
前記第１の無認可キャリアまたは前記第２の無認可キャリアのうちの１つまたは複数上で遅延状態に入ることと、
前記遅延状態の終了時に前記第１の無認可キャリアまたは前記第２の無認可キャリアのうちの前記１つまたは複数に対して初期クリアチャネルアセスメント（ＩＣＣＡ）を実行することと、
前記ＩＣＣＡがクリアになる場合、前記第１の無認可キャリアまたは前記第２の無認可キャリアのうちの前記１つまたは複数上で前記データを送信することと
を行うためのコードを備える、コンピュータ可読媒体。
【図１】
2018164309.tif 000003
【図２Ａ】
2018164309.tif 000004
【図２Ｂ】
2018164309.tif 000005
【図３】
2018164309.tif 000006
【図４】
2018164309.tif 000007
【図５Ａ】
2018164309.tif 000008
【図５Ｂ】
2018164309.tif 000009
【図６Ａ】
2018164309.tif 000010
【図６Ｂ】
2018164309.tif 000011
【図６Ｃ】
2018164309.tif 000012
【図７】
2018164309.tif 000013
【図８】
2018164309.tif 000014
【図９】
2018164309.tif 000015
【図１０Ａ】
2018164309.tif 000016
【図１０Ｂ】
2018164309.tif 000017
【図１１】
2018164309.tif 000018
【図１２】
2018164309.tif 000019
【図１３】
2018164309.tif 000020
【図１４】
2018164309.tif 000021
【図１５】
2018164309.tif 000022
【図１６】
2018164309.tif 000023
【図１７】
2018164309.tif 000024
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
少なくとも２つの無認可キャリアを介した送信のためのデータを受信することと、
前記少なくとも２つの無認可キャリアのうちの第１の無認可キャリアに対して拡張クリアチャネルアセスメント（ＥＣＣＡ）カウントダウンを実行することと、
前記第１の無認可キャリアの前記ＥＣＣＡカウントダウンが終了するタイムスロットを決定することと、
前記決定されたタイムスロット中に前記少なくとも２つの無認可キャリアのうちの第２の無認可キャリアに対してクリアチャネルアセスメント（ＣＣＡ）検査を実行することと、
前記ＣＣＡ検査がクリアである場合、前記第２の無認可キャリア上でデータを送信することと
を備える、ワイヤレス通信の方法。
【請求項２】
前記第１の無認可キャリアの前記ＣＣＡ検査が終了するとき、前記第１の無認可キャリア上で前記データを送信することをさらに備える、
請求項１に記載の方法。
【請求項３】
前記少なくとも２つの無認可キャリアのうちの１つまたは複数を介して送信するためのスケジュールを、基地局から受信することをさらに備える、
請求項１に記載の方法。
【請求項４】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、請求項３に記載の方法。
【請求項５】
前記スケジュールは、物理アップリンク制御チャネル（ＰＵＣＣＨ）を送信することに関係する情報を備える、
請求項３に記載の方法。
【請求項６】
少なくとも２つの無認可キャリアを介した送信のためのデータを受信するための手段とと、
前記少なくとも２つの無認可キャリアのうちの第１の無認可キャリアに対して拡張クリアチャネルアセスメント（ＥＣＣＡ）カウントダウンを実行するための手段と、
前記第１の無認可キャリアの前記ＥＣＣＡカウントダウンが終了するタイムスロットを決定するための手段と、
前記決定されたタイムスロット中に前記少なくとも２つの無認可キャリアのうちの第２の無認可キャリアに対してクリアチャネルアセスメント（ＣＣＡ）検査を実行するための手段と、
前記ＣＣＡ検査がクリアである場合、前記第２の無認可キャリア上でデータを送信するための手段と
を備える、ワイヤレス通信の装置。
【請求項７】
前記第１の無認可キャリアの前記ＥＣＣＡカウントダウンが終了するとき、前記第１の無認可キャリア上で前記データを送信するための手段をさらに備える、
請求項６に記載の装置。
【請求項８】
前記少なくとも２つの無認可キャリアのうちの１つまたは複数を介して送信するためのスケジュールを、基地局から受信するための手段をさらに備える、
請求項６に記載の装置。
【請求項９】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、請求項８に記載の装置。
【請求項１０】
前記スケジュールは、物理アップリンク制御チャネル（ＰＵＣＣＨ）を送信することに関係する情報を備える、
請求項８に記載の装置。
【請求項１１】
メモリと、
前記メモリに結合された少なくとも１つのプロセッサと
を備え、前記少なくとも１つのプロセッサは、
少なくとも２つの無認可キャリアを介した送信のためのデータを受信することと、
前記少なくとも２つの無認可キャリアのうちの第１の無認可キャリアに対して拡張クリアチャネルアセスメント（ＥＣＣＡ）カウントダウンを実行することと、
前記第１の無認可キャリアの前記ＥＣＣＡカウントダウンが終了するタイムスロットを決定することと、
前記決定されたタイムスロット中に前記少なくとも２つの無認可キャリアのうちの第２の無認可キャリアに対してクリアチャネルアセスメント（ＣＣＡ）検査を実行することと、
前記ＣＣＡ検査がクリアである場合、前記第２の無認可キャリア上でデータを送信することと
を行うように構成された、ワイヤレス通信のための装置。
【請求項１２】
コンピュータ可読媒体上に記憶されたコンピュータプログラム製品であって、少なくとも１つのプロセッサ上で実行されると、前記少なくとも１つのプロセッサに、
少なくとも２つの無認可キャリアを介した送信のためのデータを受信することと、
前記少なくとも２つの無認可キャリアのうちの第１の無認可キャリアに対して拡張クリアチャネルアセスメント（ＥＣＣＡ）カウントダウンを実行することと、
前記第１の無認可キャリアの前記ＥＣＣＡカウントダウンが終了するタイムスロットを決定することと、
前記決定されたタイムスロット中に前記少なくとも２つの無認可キャリアのうちの第２の無認可キャリアに対してクリアチャネルアセスメント（ＣＣＡ）検査を実行することと、
前記ＣＣＡ検査がクリアである場合、前記第２の無認可キャリア上でデータを送信することと
を行わせるためのコードを備える、コンピュータプログラム製品。